(57)【特許請求の範囲】
【請求項１】
コンポーネントキャリア（ＣＣ）を使用する通信のためのワイヤレスデバイスを構成することと、
前記ワイヤレスデバイスが、キャリアアグリゲーション（ＣＡ）構成における少なくともセカンダリセル上の前記ＣＣを使用して通信すること、ここにおいて、前記ＣＣは、プライマリセルのキャリアに関して非後方互換性直交周波数分割多元接続（ＯＦＤＭＡ）ヌメロロジーを有する広帯域キャリアを備える、と、
前記ワイヤレスデバイスが、前記ＣＣ上での通信に関係する制御情報のために、前記プライマリセルを使用すること、ここにおいて、前記制御情報のために前記プライマリセルを使用することは、前記ＣＣに関するチャネル状態情報（ＣＳＩ）を送ることをさらに備える、と、
前記ワイヤレスデバイスで、非周期ＣＳＩフィードバックのためのトリガを備える許可を受信することと、
前記ワイヤレスデバイスが、前記非周期ＣＳＩフィードバックの送信のための前記プライマリセルまたはセカンダリセルのキャリアを決定することと、
前記ワイヤレスデバイスで、前記ＣＣ上の物理アップリンク共有チャネル（ＰＵＳＣＨ）送信のための時間および周波数リソースの一方または両方を識別するアップリンク許可を受信することと、
前記ワイヤレスデバイスで、前記識別された時間または周波数リソースを使用して前記アップリンク許可中で識別された媒体へのアクセスを獲得することに失敗したことに応答して、アップリンクデータを送ることを控えることと
を備える、ワイヤレス通信のための方法。
【請求項２】
前記ＣＣを使用して通信することは、
無認可無線周波数スペクトル帯域または共有無線周波数スペクトル帯域上で通信することを備える、
請求項１に記載の方法。
【請求項３】
ＣＳＩを送ることまたは受信することは、
前記プライマリセルの物理アップリンク制御チャネル（ＰＵＣＣＨ）および前記プライマリセルの物理アップリンク共有チャネル（ＰＵＳＣＨ）の一方または両方上で前記ＣＳＩを送ることをさらに備える、
請求項１に記載の方法。
【請求項４】
前記キャリアを決定することは、
前記許可が受信されたセル、前記許可によってスケジュールされたセル、またはそれらの組合せのいずれかに少なくとも部分的に基づいて、前記キャリアを決定することを備える、
請求項１に記載の方法。
【請求項５】
制御情報のために前記プライマリセルを使用することは、
前記ＣＣを介して受信されたデータに応答して、アップリンク肯定応答／否定応答（ＡＣＫ／ＮＡＣＫ）フィードバック情報を送ることをさらに備える、
請求項１に記載の方法。
【請求項６】
前記セカンダリセルのＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ＣＣ上で受信された前記複数のコードブロックの送信が完了された前記プライマリセルのサブフレームに少なくとも部分的に基づいて、前記アップリンクＡＣＫ／ＮＡＣＫフィードバック情報を提供するための前記プライマリセルのフィードバックサブフレームを識別すること、ここにおいて、前記アップリンクＡＣＫ／ＮＡＣＫフィードバック情報を送ることは、前記識別されたフィードバックサブフレーム中で前記プライマリセルを介して前記アップリンクＡＣＫ／ＮＡＣＫフィードバック情報を送信することをさらに備える、と
をさらに備える、請求項５に記載の方法。
【請求項７】
前記プライマリセルは、ダウンリンクプライマリコンポーネントキャリアと、周波数分割複信（ＦＤＤ）アップリンクプライマリコンポーネントキャリアとを備え、前記フィードバックサブフレームは、前記ＣＣ上で受信された前記複数のコードブロックの前記送信が完了した前記プライマリセルの前記サブフレームからの所定のオフセットを有する、
請求項６に記載の方法。
【請求項８】
前記プライマリセルは、時分割複信（ＴＤＤ）コンポーネントキャリアを備え、前記フィードバックサブフレームは、前記ＣＣ上で受信された前記複数のコードブロックの前記送信が完了した前記プライマリセルの前記サブフレームからの所定のオフセットの後の、前記ＴＤＤコンポーネントキャリアの第１のアップリンクサブフレームを備える、
請求項６に記載の方法。
【請求項９】
制御情報を送るために前記プライマリセルを使用することは、
前記プライマリセルの物理アップリンク制御チャネル（ＰＵＣＣＨ）および前記プライマリセルの物理アップリンク共有チャネル（ＰＵＳＣＨ）の一方または両方上でＣＣダウンリンクデータに応答して前記アップリンクＡＣＫ／ＮＡＣＫを送ることをさらに備える、
請求項５に記載の方法。
【請求項１０】
前記アップリンクＡＣＫ／ＮＡＣＫフィードバック情報を送ることは、
複数のＣＣダウンリンクデータに対応する複数のＡＣＫ／ＮＡＣＫを含んでいるブロックＡＣＫ／ＮＡＣＫを送ることをさらに備える、
請求項５に記載の方法。
【請求項１１】
前記複数のスケジュールされたトランスポートブロックに関連するダウンリンク許可内のダウンリンク送信インデックス情報を受信することをさらに備える、
請求項６に記載の方法。
【請求項１２】
前記アップリンクＡＣＫ／ＮＡＣＫフィードバック情報のＡＣＫ／ＮＡＣＫビットの数が、前記アップリンクＡＣＫ／ＮＡＣＫフィードバック情報を送信するために使用されるＰＵＣＣＨフォーマットの容量を超えると決定することと、
前記アップリンクＡＣＫ／ＮＡＣＫフィードバック情報の送信のための複数のＰＵＣＣＨリソースを決定すること、ここにおいて、前記アップリンクＡＣＫ／ＮＡＣＫフィードバック情報を送ることは、前記複数のＰＵＣＣＨリソースを使用して複数のＰＵＣＣＨ送信を送信することをさらに備える、と
をさらに備える、請求項５に記載の方法。
【請求項１３】
コンポーネントキャリア（ＣＣ）を使用する通信のためのワイヤレスデバイスを構成することと、
前記ワイヤレスデバイスが、キャリアアグリゲーション（ＣＡ）構成における少なくともセカンダリセル上の前記ＣＣを使用して通信すること、ここにおいて、前記ＣＣは、プライマリセルのキャリアに関して非後方互換性直交周波数分割多元接続（ＯＦＤＭＡ）ヌメロロジーを有する広帯域キャリアを備える、と、
前記ワイヤレスデバイスが、前記ＣＣ上での通信に関係する制御情報のために、前記プライマリセルを使用すること、ここにおいて、前記制御情報のために前記プライマリセルを使用することは、前記ＣＣに関するチャネル状態情報（ＣＳＩ）を送ることをさらに備える、と、
前記ワイヤレスデバイスで、非周期ＣＳＩフィードバックのためのトリガを備える許可を受信することと、
前記ワイヤレスデバイスが、前記非周期ＣＳＩフィードバックの送信のための前記プライマリセルまたはセカンダリセルのキャリアを決定することと、
前記ワイヤレスデバイスが、前記ＣＣ上での物理ダウンリンク共有チャネル（ＰＤＳＣＨ）送信のための時間および周波数リソースの一方または両方を識別するダウンリンク許可を送ることと、
前記ワイヤレスデバイスで、前記識別された時間または周波数リソースを使用して前記ダウンリンク許可中で識別された媒体へのアクセスを獲得することに失敗したことに応答して、ダウンリンクデータを送ることを控えることと
を備える、ワイヤレス通信のための方法。
【請求項１４】
ダウンリンク許可は、前記ＣＣ上での物理ダウンリンク共有チャネル（ＰＤＳＣＨ）送信のための複数の時間および周波数リソースを識別する、
請求項１３に記載の方法。
【請求項１５】
前記ダウンリンク許可は、前記ＣＣ上での物理ダウンリンク共有チャネル（ＰＤＳＣＨ）送信のための満了時間を識別し、前記方法は、
前記ワイヤレスデバイスで、前記満了時間までに前記ダウンリンク許可中で識別された媒体へのアクセスを獲得することに失敗したことに応答して、前記ダウンリンクデータを送ることを控えることをさらに備える、
請求項１３に記載の方法。
【請求項１６】
アップリンク許可は、前記ＣＣ上での物理アップリンク共有チャネル（ＰＵＳＣＨ）送信のための満了時間を識別し、前記方法は、
前記ワイヤレスデバイスで、前記満了時間までに前記アップリンク許可中で識別された前記媒体へのアクセスを獲得することに失敗したことに応答して、前記アップリンクデータを送ることを控えることをさらに備える、
請求項１に記載の方法。
【請求項１７】
プロセッサと、
前記プロセッサと電子通信しているメモリと、
前記メモリに記憶された命令と
を備え、前記命令は、
コンポーネントキャリア（ＣＣ）を使用する通信のためのワイヤレスデバイスを構成することと、
前記ワイヤレスデバイスが、キャリアアグリゲーション（ＣＡ）構成における少なくともセカンダリセル上の前記ＣＣを使用して通信すること、ここにおいて、前記ＣＣは、プライマリセルのキャリアに関して非後方互換性直交周波数分割多元接続（ＯＦＤＭＡ）ヌメロロジーを有する広帯域キャリアを備える、と、
前記ワイヤレスデバイスが、前記ＣＣ上での通信に関係する制御情報のために、前記プライマリセルを使用すること、ここにおいて、前記制御情報のために前記プライマリセルを使用することは、前記ＣＣに関するチャネル状態情報（ＣＳＩ）を送ることをさらに備える、と
前記ワイヤレスデバイスで、非周期ＣＳＩフィードバックのためのトリガを備える許可を受信することと、
前記ワイヤレスデバイスが、前記非周期ＣＳＩフィードバックの送信のための前記プライマリセルまたはセカンダリセルのキャリアを決定することと、
前記ワイヤレスデバイスが、前記ＣＣ上の物理アップリンク共有チャネル（ＰＵＳＣＨ）のための時間および周波数リソースの一方または両方を識別するアップリンク許可を受信することと、
前記ワイヤレスデバイスが、前記識別された時間または周波数リソースを使用して前記アップリンク許可中で識別された媒体へのアクセスを獲得することに失敗したことに応答して、アップリンクデータを送ることを控えることと
を行うために前記プロセッサによって実行可能である、
ワイヤレス通信のための装置。
【請求項１８】
前記命令は、
前記ＣＣを介して受信されたデータに応答して、アップリンクＡＣＫ／ＮＡＣＫフィードバック情報を送ることを行うために前記プロセッサによって実行可能である、
請求項１７に記載の装置。
【請求項１９】
前記命令は、
前記セカンダリセルのＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ＣＣ上で受信された前記複数のコードブロックの送信が完了された前記プライマリセルのサブフレームに少なくとも部分的に基づいて、前記アップリンクＡＣＫ／ＮＡＣＫフィードバック情報を提供するための前記プライマリセルのフィードバックサブフレームを識別すること、ここにおいて、前記命令は、前記識別されたフィードバックサブフレーム中で前記プライマリセルを介して前記アップリンクＡＣＫ／ＮＡＣＫフィードバック情報を送るようことを行うように前記プロセッサによって実行可能である、と
を行うために前記プロセッサによって実行可能である、請求項１８に記載の装置。
【請求項２０】
前記ＣＣを使用して通信することは、
無認可無線周波数スペクトル帯域または共有無線周波数スペクトル帯域上で通信することを備える、
請求項１３に記載の方法。
【請求項２１】
制御情報のために前記プライマリセルを使用することは、
前記ＣＣを介して受信されたデータに応答して、ダウンリンク肯定応答／否定応答（ＡＣＫ／ＮＡＣＫ）フィードバック情報を送ることをさらに備える、
請求項１３に記載の方法。
【請求項２２】
前記セカンダリセルのＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ＣＣ上で受信された前記複数のコードブロックの送信が完了された前記プライマリセルのサブフレームに少なくとも部分的に基づいて、前記ダウンリンクＡＣＫ／ＮＡＣＫフィードバック情報を提供するための前記プライマリセルのフィードバックサブフレームを識別すること、ここにおいて、前記ダウンリンクＡＣＫ／ＮＡＣＫを送ることは、前記識別されたフィードバックサブフレーム中で前記プライマリセルを介して前記ダウンリンクＡＣＫ／ＮＡＣＫフィードバック情報を送信することをさらに備える、と
をさらに備える、請求項２１に記載の方法。
【請求項２３】
前記プライマリセルは、ダウンリンクプライマリコンポーネントキャリアと、周波数分割複信（ＦＤＤ）アップリンクプライマリコンポーネントキャリアとを備え、前記フィードバックサブフレームは、前記ＣＣ上で受信された前記複数のコードブロックの前記送信が完了した前記プライマリセルの前記サブフレームからの所定のオフセットを有する、
請求項２２に記載の方法。
【請求項２４】
前記プライマリセルは、時分割複信（ＴＤＤ）コンポーネントキャリアを備え、前記フィードバックサブフレームは、前記ＣＣ上で受信された前記複数のコードブロックの前記送信が完了した前記プライマリセルの前記サブフレームからの所定のオフセットの後の、前記ＴＤＤコンポーネントキャリアの第１のアップリンクサブフレームを備える、
請求項２２に記載の方法。
【請求項２５】
制御情報のために前記プライマリセルを使用することは、
前記プライマリセルのインジケータチャネル、前記プライマリセルの物理ダウンリンク共有チャネル（ＰＤＳＣＨ）、およびこれらの組合せのうちの少なくとも１つ上でＣＣアップリンクデータに応答して前記ダウンリンクＡＣＫ／ＮＡＣＫフィードバック情報を送ることをさらに備える、
請求項２１に記載の方法。
【請求項２６】
前記ダウンリンクＡＣＫ／ＮＡＣＫフィードバック情報を送ることは、
複数のＣＣアップリンクデータに対応する複数のＡＣＫ／ＮＡＣＫを含んでいるブロックＡＣＫ／ＮＡＣＫを送ることをさらに備える、
請求項２１に記載の方法。
【請求項２７】
前記ブロックＡＣＫ／ＮＡＣＫを送ることは、
前記複数のＡＣＫ／ＮＡＣＫが、前記ＣＣを介して受信された前記データを送信する複数のユーザに対応することを示すことをさらに備える、
請求項２６に記載の方法。
【請求項２８】
プロセッサと、
前記プロセッサと電子通信しているメモリと、
前記メモリに記憶された命令と
を備え、前記命令は、
コンポーネントキャリア（ＣＣ）を使用する通信のためのワイヤレスデバイスを構成することと、
前記ワイヤレスデバイスが、キャリアアグリゲーション（ＣＡ）構成における少なくともセカンダリセル上の前記ＣＣを使用して通信すること、ここにおいて、前記ＣＣは、プライマリセルのキャリアに関して非後方互換性直交周波数分割多元接続（ＯＦＤＭＡ）ヌメロロジーを有する広帯域キャリアを備える、と、
前記ワイヤレスデバイスが、前記ＣＣ上での通信に関係する制御情報のために、プライマリセルを使用すること、ここにおいて、前記制御情報のために前記プライマリセルを使用することは、前記ＣＣに関するチャネル状態情報（ＣＳＩ）を送ることをさらに備える、と、
前記ワイヤレスデバイスで、非周期ＣＳＩフィードバックのためのトリガを備える許可を受信することと、
前記ワイヤレスデバイスが、前記非周期ＣＳＩフィードバックの送信のための前記プライマリセルまたはセカンダリセルのキャリアを決定することと、
前記ワイヤレスデバイスが、前記ＣＣ上での物理ダウンリンク共有チャネル（ＰＤＳＣＨ）送信のための時間および周波数リソースの一方または両方を識別するダウンリンク許可を送ることと、
前記ワイヤレスデバイスで、前記識別された時間または周波数リソースを使用して前記ダウンリンク許可中で識別された媒体へのアクセスを獲得することに失敗したことに応答して、ダウンリンクデータを送ることを控えることと
を行うために前記プロセッサによって実行可能である、ワイヤレス通信のための装置。
【発明の詳細な説明】
【相互参照】
【０００１】
[0001]本特許出願は、各々が本出願の譲受人に譲渡された、２０１５年１２月３０日に出願された、「Control Information Feedback for eCC On PCell」と題する、Ｙｏｏらによる米国特許出願第１４／９８４，３３９号、２０１５年１月１９日に出願された、「HARQ and CSI Feedback for Non-Standalone Enhanced Component Carriers」と題する、Ｄａｍｎｊａｎｏｖｉｃらによる米国仮特許出願第６２／１０４，９６４号、および２０１５年１月１３日に出願された、「Control Information Feedback for ECC on PCell」と題する、Ｙｏｏらによる米国仮特許出願第６２／１０２，７３９号の優先権を主張する。
【技術分野】
【０００２】
[0002]本開示は、たとえば、ワイヤレス通信システムに関し、より詳細には、拡張コンポーネントキャリア（ｅＣＣ）を使用する通信に関する制御情報を通信することに関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]ワイヤレス通信ネットワークは、場合によってはユーザ機器（ＵＥ）として知られる、いくつかのモバイルデバイスのための通信をサポートすることができるいくつかの基地局を含み得る。各基地局は、複数のＵＥのための通信を同時にサポートすること得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。ＵＥは、ダウンリンク（ＤＬ）送信とアップリンク（ＵＬ）送信とを介して基地局と通信し得る。ＤＬ（または順方向リンク）は、基地局からモバイルデバイスへの通信リンクを指し、ＵＬ（または逆方向リンク）は、モバイルデバイスから基地局への通信リンクを指す。
【０００５】
[0005]基地局とモバイルデバイスとを含むワイヤレス通信ネットワークは、キャリアアグリゲーションと呼ばれることがある複数のキャリア上での動作をサポートし得る。キャリアアグリゲーションは、複数のコンポーネントキャリアをサポートする基地局とモバイルデバイスとの間のスループットを高めるために使用され得、モバイルデバイスは、複数の基地局に関連する複数のコンポーネントキャリアを使用して通信するように構成され得る。ジョイント動作を実行する基地局が、理想的でないバックホールを有する場合、複数のキャリアを使用してスループットを高めるための他の技法が使用され得る（たとえば、デュアル接続性など）。１つまたは複数のキャリア上でＵＬ通信とＤＬ通信とを行うために、多元接続技術は周波数分割複信（ＦＤＤ：Frequency Division Duplexing）または時分割複信（ＴＤＤ：Time Division Duplexing）を使用し得る。
【０００６】
[0006]キャリアアグリゲーションのいくつかの事例では、制御情報はノード間で交換され得る。しかしながら、無認可または共有帯域上のセカンダリコンポーネントキャリア上で制御情報を送ることは、送信ノードがメディアアクセスを取得する必要があることにより、非効率的であり得る。無認可または共有帯域上で制御情報を送ることはまた、それが、送信デバイスが情報の短いバーストのみを送っているとき、他のノードがバックオフすることを引き起こすことがあるので、非効率的であり得る。さらに、無認可または共有媒体は、フィードバックを提供するための特定の時間において利用可能でないことがある。たとえば、フィードバックを提供するときに衝突が媒体上で起こり得るか、またはより優先度の高い事業者によって媒体が先取りされていることがある。したがって、無認可または共有スペクトルを使用してセカンダリキャリアのための信頼できるフィードバックを提供することが、課題を提供する。
【発明の概要】
【０００７】
[0007]非スタンドアロン拡張コンポーネントキャリアのためのデータ肯定応答およびチャネルフィードバックのためのシステム、方法、ならびに装置が説明される。キャリアアグリゲーション構成では、ユーザ機器（ＵＥ）または基地局（ＢＳ）は、２つ以上のコンポーネントキャリアを使用し得る。拡張コンポーネントキャリア（ｅＣＣ：enhanced component carrier）構成は、認可無線スペクトル周波数帯域とともに使用され得るが、共有または無認可無線スペクトル周波数帯域とともに使用されることもあり、ここで、複数のＵＥまたは基地局が同じ帯域を使用していることがある。ｅＣＣが無認可または共有無線スペクトル周波数帯域上のセカンダリキャリア成分（ＳＣｅｌｌ）として使用されるとき、ＵＥまたは基地局は、プライマリキャリア成分（ＰＣｅｌｌ）上で制御情報を交換し得る。制御情報など、短い、バースト的データのためにＰＣｅｌｌを使用することが、ＳＣｅｌｌ上の効率を改善し得る。ＰＣｅｌｌ上で交換され得る制御情報は、限定はしないが、ダウンリンク（ＤＬ）肯定応答／否定応答（ＡＣＫ／ＮＡＣＫ）、アップリンク（ＵＬ）ＡＣＫ／ＮＡＣＫ、チャネル状態情報（ＣＳＩ）、ＤＬ許可、およびＵＬ許可を含み得る。
【０００８】
[0008]ｅＣＣのためのデータ肯定応答フィードバックは、ｅＣＣ上で送信された各コードブロックについてのＡＣＫ／ＮＡＣＫフィードバック情報を含み得る。ＡＣＫ／ＮＡＣＫフィードバック情報は、ｅＣＣ上での送信が完了されたＰＣｅｌｌのサブフレームに基づいて決定されたＰＣｅｌｌのフィードバックサブフレーム中で、ＰＣｅｌｌのアップリンク制御チャネルまたはデータチャネル上で送信され得る。ｅＣＣのためのデータ肯定応答フィードバックは、ＰＣｅｌｌの制御チャネルを使用して提供され得、新しいまたは既存の制御チャネルフォーマットを使用し得る。フィードバックサブフレーム中のｅＣＣ上で受信されたコードブロックのブロックＡＣＫ／ＮＡＣＫのためのビット数が制御チャネルフォーマットの容量を超える場合、空間バンドリングまたはトランスポートブロック内のコードブロックのバンドリングが実行され得る。いくつかの実施形態では、ｅＣＣ上で受信された送信に関連するダウンリンク許可は、報告されたデータ肯定応答フィードバック内のＡＣＫ／ＮＡＣＫマッピングあいまいさを解決するために、インデックス情報を含み得る。追加または代替として、複数の制御チャネル送信（たとえば、トランスポートブロックごとに１つなど）が、フィードバックサブフレーム中でＰＣｅｌｌ上で送られ得る。
【０００９】
[0009]いくつかの実施形態では、ＰＣｅｌｌのアップリンクデータチャネルは、アップリンクデータチャネルが、ｅＣＣのためのフィードバックサブフレーム中で、スケジュールされたデータ送信を有するとき、ｅＣＣのためのデータ肯定応答フィードバックの送信のために使用され得る。ｅＣＣ上で受信されたコードブロックのためのブロックＡＣＫ／ＮＡＣＫフィードバックは、バンドリングなしにアップリンクデータチャネル送信において送られ得る。アップリンクデータチャネルは、ＵＥがデータチャネルおよび制御チャネルを介した同時送信のために構成されたときでも、ｅＣＣのためのデータ肯定応答フィードバックのために使用され得る。
【００１０】
[0010]いくつかの実施形態では、ｅＣＣのためのチャネル状態情報（ＣＳＩ）フィードバックが、ＰＣｅｌｌ上で送られ得る。たとえば、ｅＣＣは、周期ＣＳＩフィードバックを報告するように構成され得、ＰＣｅｌｌの（データ送信がＣＳＩフィードバックサブフレーム中に送られている場合）制御チャネルまたはデータチャネル上で周期ＣＳＩフィードバックを報告し得る。非周期ＣＳＩは、ＰＣｅｌｌ上の許可によって、またはｅＣＣ上の許可によってトリガされ得る。いくつかの場合には、非周期ＣＳＩは、非周期ＣＳＩ報告をトリガするセル上で送信される。代替的に、非周期ＣＳＩは、どのセルが非周期ＣＳＩ報告をトリガしたかにかかわらず、ＰＣｅｌｌ上で送信され得る。
【００１１】
[0011]例示的な例の第１のセットでは、ワイヤレス通信のための方法が説明される。一構成では、本方法は、キャリアアグリゲーション（ＣＡ）構成における少なくともＳＣｅｌｌ上のｅＣＣを使用して通信することを含む。本方法は、ｅＣＣ上での通信に関係する制御情報のために、ＰＣｅｌｌを使用することをも含む。
【００１２】
[0012]例示的な例の第２のセットでは、ワイヤレス通信のための装置が説明される。一構成では、本装置は、ＣＡ構成における少なくともＳＣｅｌｌ上のｅＣＣを使用して通信するための手段を含み得る。本装置は、ｅＣＣ上での通信に関係する制御情報のために、ＰＣｅｌｌを使用するための手段をも含み得る。
【００１３】
[0013]例示的な例の第３のセットでは、ワイヤレス通信のための装置が説明される。一構成では、本装置は、プロセッサと、プロセッサと電子通信しているメモリと、メモリに記憶された命令とを含み得る。命令は、ＣＡ構成における少なくともＳＣｅｌｌ上のｅＣＣを使用して通信することを行うためにプロセッサによって実行可能である。命令は、ｅＣＣ上での通信に関係する制御情報のために、ＰＣｅｌｌを使用することを行うためにプロセッサによってさらに実行可能であり得る。
【００１４】
[0014]例示的な例の第４のセットでは、ワイヤレス通信のためのコンピュータ実行可能コードを記憶する非一時的コンピュータ可読媒体が説明される。一構成では、コードは、ＣＡ構成における少なくともＳＣｅｌｌ上のｅＣＣを使用して通信することを行うためにプロセッサによって実行可能である。コードは、ｅＣＣ上での通信に関係する制御情報のために、ＰＣｅｌｌを使用することを行うためにプロセッサによってさらに実行可能であり得る。
【００１５】
[0015]以下の態様のうちの１つまたは複数は、例示的な例の開示されるセットのうちの１つまたは複数に関係し得る。
【００１６】
[0016]いくつかの例示的な実施形態では、ｅＣＣを使用して通信することは、無認可無線周波数スペクトル帯域または共有無線周波数スペクトル帯域上で通信することを含む。他の例では、ｅＣＣを使用して通信することは、認可無線周波数スペクトル帯域上で通信することを含む。
【００１７】
[0017]いくつかの例では、制御情報のためにＰＣｅｌｌを使用することは、ｅＣＣに関するＣＳＩを送ることまたは受信することをさらに含む。ＣＳＩを送ることまたは受信することは、ＰＣｅｌｌの物理ＵＬ制御チャネル（ＰＵＣＣＨ）およびＰＣｅｌｌの物理ＵＬ共有チャネル（ＰＵＳＣＨ）の一方または両方上でＣＳＩを送ることまたは受信することをさらに含み得る。
【００１８】
[0018]別の例示的な実施形態では、制御情報のためにＰＣｅｌｌを使用することは、ｅＣＣを介して受信されたデータに応答して、ＤＬ  ＡＣＫ／ＮＡＣＫおよびＵＬ  ＡＣＫ／ＮＡＣＫのうちの１つを送ることまたは受信することをさらに含む。いくつかの例では、制御情報を送るまたは受信するためにＰＣｅｌｌを使用することは、ＰＣｅｌｌのＰＵＣＣＨおよびＰＣｅｌｌのＰＵＳＣＨの一方または両方上でｅＣＣ  ＤＬデータに応答してＵＬ  ＡＣＫ／ＮＡＣＫを送ることをさらに含む。
【００１９】
[0019]また別の例では、制御情報を送るまたは受信するためにＰＣｅｌｌを使用することは、ＰＣｅｌｌの物理ハイブリッド自動再送要求（ＨＡＲＱ）インジケータチャネル（ＰＨＩＣＨ）、ＰＣｅｌｌの拡張ＰＨＩＣＨ（ｅＰＨＩＣＨ）、ＰＣｅｌｌの物理ＤＬ共有チャネル（ＰＤＳＣＨ）、およびそれらの組合せのうちの少なくとも１つ上でｅＣＣ  ＵＬデータに応答してＤＬ  ＡＣＫ／ＮＡＣＫを送ることをさらに含む。
【００２０】
[0020]ＤＬ  ＡＣＫ／ＮＡＣＫおよびＵＬ  ＡＣＫ／ＮＡＣＫのうちの１つを通信することは、複数のｅＣＣ  ＤＬデータまたは複数のｅＣＣ  ＵＬデータに対応する複数のＡＣＫ／ＮＡＣＫを含んでいるブロックＡＣＫ／ＮＡＣＫを通信することをさらに含み得る。別の例では、ブロックＡＣＫ／ＮＡＣＫを通信することは、複数のＡＣＫ／ＮＡＣＫが、ｅＣＣを介して受信されたデータを送信する複数のユーザに対応することを示すことをさらに含む。
【００２１】
[0021]別の例では、制御情報を送るまたは受信するためにＰＣｅｌｌを使用することは、ＤＬ許可およびＵＬ許可の一方または両方を送ることまたは受信することをさらに含む。本例は、ｅＣＣ上でのＰＤＳＣＨ送信のための時間および周波数リソースの一方または両方を識別するＤＬ許可を送ることと、識別された時間または周波数リソースを使用してＤＬ許可中で識別された媒体へのアクセスを獲得することに失敗したことに応答して、ＤＬデータを送ることを控えることとをさらに含み得る。別の例は、ｅＣＣ上でのＰＤＳＣＨ送信のための複数の時間および周波数リソースを識別するＤＬ許可を送ることと、複数の時間または周波数リソースのうちの１つを使用してＤＬ許可中で識別された媒体へのアクセスを獲得することに失敗したことに応答して、ＤＬデータを送ることを控えることとを含む。
【００２２】
[0022]また別の例は、ｅＣＣ上でのＰＤＳＣＨ送信のための満了時間を識別するＤＬ許可を送ることを含む。本例は、満了時間までにＤＬ許可中で識別された媒体へのアクセスを獲得することに失敗したことに応答して、ＤＬデータを送ることを控えることをさらに含み得る。
【００２３】
[0023]いくつかの例は、媒体へのアクセスを獲得することを含み、ここにおいて、一方または両方のＤＬ許可およびＵＬ許可を送ることまたは受信することは、ＤＬ許可を送ることをさらに備え、ここにおいて、ＤＬ許可は、媒体のためのリソースを識別する。
【００２４】
[0024]別の例は、ｅＣＣ上でのＰＵＳＣＨ送信のための時間および周波数リソースの一方または両方を識別するＵＬ許可を受信することを含む。この例は、識別された時間または周波数リソースを使用してＵＬ許可中で識別された媒体へのアクセスを獲得することに失敗したことに応答して、ＵＬデータを送ることを控えることをさらに含み得る。別の例は、ｅＣＣ上でのＰＵＳＣＨ送信のための満了時間を識別するＵＬ許可を受信することと、満了時間までにＵＬ許可中で識別された媒体へのアクセスを獲得することに失敗したことに応答して、ＵＬデータを送ることを控えることとを含む。
【００２５】
[0025]別の例は、ＳＣｅｌｌのｅＣＣ上で受信された複数のコードブロックのためのＡＣＫ／ＮＡＣＫフィードバック情報を識別することと、複数のコードブロックが、複数のスケジュールされたトランスポートブロック中で受信される、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別することとを含む。ＡＣＫ／ＮＡＣＫフィードバック情報を送ることまたは受信することは、識別されたフィードバックサブフレーム中でＰＣｅｌｌを介してＡＣＫ／ＮＡＣＫフィードバック情報を送信することを含み得る。
【００２６】
[0026]ＰＣｅｌｌが、ダウンリンクプライマリコンポーネントキャリアと、周波数分割複信（ＦＤＤ）アップリンクプライマリコンポーネントキャリアとを備えるいくつかの例では、フィードバックサブフレームは、ｅＣＣ上で受信された複数のコードブロックの送信が完了されたＰＣｅｌｌのサブフレームからの所定のオフセットを有する。ＰＣｅｌｌが、時分割複信（ＴＤＤ）コンポーネントキャリアを備える別の例では、フィードバックサブフレームは、ｅＣＣ上で受信された複数のコードブロックの送信が完了されたＰＣｅｌｌのサブフレームからの所定のオフセットの後の、ＴＤＤコンポーネントキャリアの第１のアップリンクサブフレームを備える。
【００２７】
[0027]いくつかの例は、単一のＰＵＣＣＨ送信において送るためのＡＣＫ／ＮＡＣＫフィードバック情報をジョイントコーディングすることを含む。そのような例は、ＡＣＫ／ＮＡＣＫフィードバック情報のＡＣＫ／ＮＡＣＫビットの数が、ＰＵＣＣＨ送信のために使用されるＰＵＣＣＨフォーマットの容量を超えると決定することと、ジョイント符号化するより前にＡＣＫ／ＮＡＣＫフィードバック情報の１つまたは複数のカテゴリーをバンドルすることとをさらに含み得る。１つまたは複数のカテゴリーは、異なる空間ストリームに関連するＡＣＫ／ＮＡＣＫフィードバック情報、ＳＣｅｌｌのための複数のスケジュールされたトランスポートブロックのうちのトランスポートブロック内のコードブロックのためのＡＣＫ／ＮＡＣＫフィードバック情報、またはそれらの組合せのいずれかを含み得る。
【００２８】
[0028]１つまたは複数の例は、複数のスケジュールされたトランスポートブロックに関連するダウンリンク許可内のダウンリンク送信インデックス情報を受信することを含み得る。これらの例は、順が狂ったインデックスを有するｅＣＣのためのダウンリンク許可を受信したことに少なくとも部分的に基づいて、ｅＣＣのための少なくとも１つのダウンリンク許可の送信が失敗したと決定することと、送信されたＡＣＫ／ＮＡＣＫフィードバック情報中で、失敗したｅＣＣのための少なくとも１つのダウンリンク許可のための１つまたは複数のＮＡＣＫビットを送ることとをさらに含み得る。いくつかの例では、ダウンリンク送信インデックス情報は、複数のスケジュールされたトランスポートブロックのためのＡＣＫ／ＮＡＣＫフィードバックを提供するためのダウンリンク許可順序を識別する。いくつかの例では、ダウンリンク送信インデックス情報は、複数のスケジュールされたトランスポートブロックのコードブロックのためのＡＣＫ／ＮＡＣＫフィードバックを提供するためのコードブロック順序を識別する。ＰＵＣＣＨ送信は、ロングタームエボリューション（ＬＴＥ（登録商標））／ＬＴＥ−Ａ  ＰＵＣＣＨフォーマット３送信であり得る。
【００２９】
[0029]他の例では、ＡＣＫ／ＮＡＣＫフィードバック情報のＡＣＫ／ＮＡＣＫビットの数が、ＡＣＫ／ＮＡＣＫフィードバック情報を送信するために使用されるＰＵＣＣＨフォーマットの容量を超えると決定することを含む。本例は、ＡＣＫ／ＮＡＣＫフィードバック情報の送信のための複数のＰＵＣＣＨリソースを決定することをも含み得る。ＡＣＫ／ＮＡＣＫフィードバック情報を送ることまたは受信することは、複数のＰＵＣＣＨリソースを使用して複数のＰＵＣＣＨ送信を送信することをさらに含み得る。いくつかの例では、ＳＣｅｌｌのための複数のスケジュールされたトランスポートブロックのうちのそれぞれのトランスポートブロックのためのＡＣＫ／ＮＡＣＫフィードバック情報は、複数のＰＵＣＣＨ送信の各々において別々に送信される。
【００３０】
[0030]いくつかの例は、識別されたフィードバックサブフレームのためにスケジュールされたＰＵＳＣＨ送信を識別することをさらに含み得、ここにおいて、識別されたフィードバックサブフレーム中でＰＣｅｌｌを介してＡＣＫ／ＮＡＣＫフィードバック情報を送信することは、スケジュールされたＰＵＳＣＨ送信を使用してＡＣＫ／ＮＡＣＫフィードバック情報を送信することをさらに含む。いくつかの例は、識別されたフィードバックサブフレーム中に送るためのｅＣＣを介して搬送されないダウンリンク送信に関連する第２のＡＣＫ／ＮＡＣＫフィードバック情報を識別することと、識別されたフィードバックサブフレーム中でＰＵＣＣＨ上で第２のＡＣＫ／ＮＡＣＫフィードバック情報を送信することとをも含み得る。
【００３１】
[0031]いくつかの例は、非周期ＣＳＩフィードバックのためのトリガを備える許可を受信することと、非周期ＣＳＩフィードバックの送信のためのＰＣｅｌｌまたはＳＣｅｌｌのキャリアを決定することとをも含む。キャリアを決定することは、許可が受信されたセル、許可によってスケジュールされたセル、またはそれらの組合せのいずれかに少なくとも部分的に基づいて、キャリアを決定することを含み得る。いくつかの例では、非周期ＣＳＩフィードバックの送信のためのキャリアは、ＰＣｅｌｌのキャリアを含む。
【００３２】
[0032]上記では、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明の目的でのみ提供されるものであり、特許請求の範囲の制限の定義として提供されるものではない。
【図面の簡単な説明】
【００３３】
[0033]本開示の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図１】本開示の様々な態様による、ワイヤレス通信システムの図。
【図２Ａ】本開示の様々な態様による、キャリアアグリゲーションを採用するシステムの図。
【図２Ｂ】本開示の様々な態様による、１つまたは複数の拡張コンポーネントキャリア（ｅＣＣ）を利用する例示的な通信環境を示す図。
【図３】本開示の様々な態様による、ワイヤレス通信システムにおけるプライマリキャリア（ＰＣｅｌｌ）上での例示的なｅＣＣチャネル状態情報（ＣＳＩ）通信を示すフローチャート。
【図４】本開示の様々な態様による、ワイヤレス通信システムにおけるＰＣｅｌｌ上での例示的なｅＣＣ肯定応答／否定応答（ＡＣＫ／ＮＡＣＫ）通信を示すフローチャート。
【図５】本開示の様々な態様による、ワイヤレス通信システムにおけるＰＣｅｌｌ上での例示的なダウンリンク（ＤＬ）許可通信を示すフローチャート。
【図６】本開示の様々な態様による、ワイヤレス通信システムにおけるＰＣｅｌｌ上での例示的なアップリンク（ＵＬ）許可通信を示すフローチャート。
【図７】本開示の様々な態様による、セカンダリコンポーネントキャリア（ＣＣ）として構成されたｅＣＣのためのロングタームエボリューション（ＬＴＥ）ＰＣｅｌｌを介して提供されたハイブリッド自動再送要求（ＨＡＲＱ）フィードバックを示すタイミング図。
【図８】本開示の様々な態様による、セカンダリＣＣとして構成されたｅＣＣのためのＬＴＥ時分割複信（ＴＤＤ）ＰＣｅｌｌを介して提供されたＨＡＲＱフィードバックを示すタイミング図。
【図９】本開示の様々な態様による、セカンダリＣＣとして構成されたｅＣＣのためのＬＴＥ  ＰＣｅｌｌを介して提供されたＨＡＲＱフィードバックを示すタイミング図。
【図１０】本開示の様々な態様による、セカンダリＣＣとして構成されたｅＣＣのためのＬＴＥ  ＰＣｅｌｌを介して提供されたＨＡＲＱフィードバックを示すタイミング図。
【図１１】本開示の様々な態様による、セカンダリＣＣとして構成されたｅＣＣのためのＣＳＩフィードバックを示すタイミング図。
【図１２】本開示の様々な態様による、ワイヤレス通信において使用するために構成されたデバイスのブロック図。
【図１３】本開示の様々な態様による、ワイヤレス通信において使用するために構成されたデバイスのブロック図。
【図１４】本開示の様々な態様による、非スタンドアロン拡張コンポーネントキャリアのためのＨＡＲＱおよびＣＳＩフィードバックのために構成されたｅＣＣフィードバックモジュールのブロック図。
【図１５】本開示の様々な態様による、ワイヤレス通信システムのブロック図。
【図１６】本開示の様々な態様による、ワイヤレス通信において使用するためのデバイスのブロック図。
【図１７】本開示の様々な態様による、ワイヤレス通信において使用するためのデバイスのブロック図。
【図１８】本開示の様々な態様による、ワイヤレス通信において使用するための基地局のブロック図。
【図１９】本開示の様々な態様による、多入力／多出力通信システムのブロック図。
【図２０】本開示の様々な態様による、ｅＣＣ制御情報通信の例示的な方法を示すフローチャート。
【図２１】本開示の様々な態様による、ｅＣＣ  ＵＬ  ＡＣＫ／ＮＡＣＫ通信の例示的な方法を示すフローチャート。
【図２２】本開示の様々な態様による、ｅＣＣ  ＤＬ  ＡＣＫ／ＮＡＣＫ通信の例示的な方法を示すフローチャート。
【図２３】本開示の様々な態様による、ｅＣＣ  ＣＳＩ通信の例示的な方法を示すフローチャート。
【図２４】本開示の様々な態様による、ｅＣＣ  ＤＬ許可通信の例示的な方法を示すフローチャート。
【図２５】本開示の様々な態様による、ｅＣＣ  ＵＬ許可通信の例示的な方法を示すフローチャート。
【図２６】本開示の様々な態様による、非スタンドアロン拡張コンポーネントキャリアのためのＨＡＲＱフィードバックのための方法を示すフローチャート。
【図２７】本開示の様々な態様による、非スタンドアロン拡張コンポーネントキャリアのためのＨＡＲＱフィードバックのための方法を示すフローチャート。
【図２８】本開示の様々な態様による、非スタンドアロン拡張コンポーネントキャリアのためのＨＡＲＱフィードバックのための方法を示すフローチャート。
【図２９】本開示の様々な態様による、非スタンドアロン拡張コンポーネントキャリアのためのＨＡＲＱフィードバックのための方法を示すフローチャート。
【図３０】本開示の様々な態様による、非スタンドアロン拡張コンポーネントキャリアのためのＣＳＩフィードバックのための方法を示すフローチャート。
【発明を実施するための形態】
【００３４】
[0065]説明される実施形態は、拡張コンポーネントキャリア（ｅＣＣ）構成を使用するマルチキャリア通信のためのシステム、デバイス、および方法を対象とする。これらの実施形態は、非スタンドアロンｅＣＣのためのハイブリッド自動再送要求（ＨＡＲＱ）およびチャネル状態情報（ＣＳＩ）フィードバックを含み得る。ｅＣＣ構成は、認可無線スペクトル周波数帯域とともに、ならびに共有または無認可無線スペクトル周波数帯域とともに使用され得る。ｅＣＣが共有または無認可チャネル上のセカンダリコンポーネントキャリア（ＳＣｅｌｌまたはＳＣＣ）として展開されるとき、ＳＣｅｌｌを使用する基地局（ＢＳ）およびユーザ機器（ＵＥ）は、それらがそれの上で通信しているチャネルへの排他的アクセスを有しないことがある。代わりに、ＢＳおよびＵＥは、プライマリコンポーネントキャリア（ＰＣｅｌｌまたはＰＣＣ）上で何らかのトラフィックを送ることによって、改善された効率を有し得る。短い、バースト的、または分離された情報が、ＳＣｅｌｌの代わりにＰＣｅｌｌ上で送信するために適切であり得る。そのような情報は制御情報を含む。
【００３５】
[0066]本明細書で説明される技法は、ＰＣｅｌｌ上で、たとえば、ダウンリンク（ＤＬ）肯定応答／否定応答（ＡＣＫ／ＮＡＣＫ）、アップリンク（ＵＬ）ＡＣＫ／ＮＡＣＫ、ＣＳＩ、ＤＬ許可、およびＵＬ許可など、制御情報を交換するための通信ノードを提供する。
【００３６】
[0067]ｅＣＣ構成は、いくつかのレガシーロングタームエボリューション（ＬＴＥ）帯域幅よりも大きくなり得る、最高８０メガヘルツ（ＭＨｚ）帯域幅をサポートする広帯域キャリアであり得る。ｅＣＣ構成はまた、レガシーＬＴＥよりも短い（たとえば、１６．６７マイクロ秒（μｓ））直交周波数分割多重（ＯＦＤＭ）シンボル持続時間と、レガシーＬＴＥよりも大きいサブキャリア間隔（たとえば、６０キロヘルツ（ＫＨｚ））とをサポートし得る。ｅＣＣ構成は、キャリアアグリゲーション（ＣＡ）システムにおいて、スタンドアロンコンポーネントキャリアとして、またはＳＣｅｌｌとして使用され得る。
【００３７】
[0068]ＰＣｅｌｌ上でブロックＡＣＫ／ＮＡＣＫメッセージを送るための技法が、本明細書でさらに説明される。ＵＥまたは基地局が、それぞれ、ＵＬ／ＤＬデータを送信するための共有媒体にアクセスすることができないときにＵＬ／ＤＬ許可を扱うための技法も説明される。
【００３８】
[0069]（たとえば、１つのダウンリンク割当てによって許可された）ｅＣＣ上での送信は、複数のコードブロックを含んでいることがあり、ｅＣＣのためのＨＡＲＱフィードバックは、ＰＣｅｌｌを介してブロックＡＣＫ／ＮＡＣＫ情報として提供され得る。ＰＣｅｌｌがＦＤＤ  ＰＣｅｌｌである場合、サブフレームｋ中で完了する送信のためのＨＡＲＱフィードバックは、サブフレームｋからの固定オフセットを有するフィードバックサブフレームにおいて、ＰＣｅｌｌのアップリンク制御チャネルまたはデータチャネル上で送信され得る。固定オフセットは、他のキャリア（たとえば、ＰＣｅｌｌまたは他のＳＣｅｌｌなど）を介して受信される送信のために使用される固定オフセットよりも短くなり得る。ＰＣｅｌｌが時分割複信（ＴＤＤ）ＰＣｅｌｌである場合、サブフレームｋ中で完了する送信のためのＨＡＲＱフィードバックは、サブフレームｋからの固定オフセットの後のＰＣｅｌｌの第１のアップリンクサブフレームにおいて、ＰＣｅｌｌのアップリンク制御チャネルまたはデータチャネル上で送信され得る。
【００３９】
[0070]ＰＣｅｌｌ上での単一のアップリンク制御チャネル送信は、ＡＣＫ／ＮＡＣＫ情報のための所定の容量を有し得る。たとえば、物理ＵＬ制御チャネル（ＰＵＣＣＨ）フォーマット３は、最高２０ビットのＨＡＲＱフィードバック情報を搬送することができる。ｅＣＣのブロックＡＣＫ／ＮＡＣＫのためのビット数がアップリンク制御チャネルの容量を超える場合、提供されるＡＣＫ／ＮＡＣＫ情報のビット数を低減するために、バンドリングが実行され得る。空間バンドリングが最初に実行され、空間バンドリングの後に、ＡＣＫ／ＮＡＣＫ情報のビット数が、依然としてアップリンク制御チャネルの容量を超える場合、コードブロックバンドリングが実行され得る。追加または代替として、ＰＣｅｌｌの１つのフィードバックサブフレーム内でｅＣＣのためのＨＡＲＱフィードバックを搬送するために、複数のアップリンク制御チャネル送信（たとえば、複数のＰＵＣＣＨフォーマット３送信など）が使用され得る。たとえば、ｅＣＣを介して受信される各送信は、１つのアップリンク制御チャネル送信に関連し得る。複数のリソースがＵＥのために構成され得、どのリソースをフィードバックのために使用すべきかが、ダウンリンク許可において指定され得る。ｅＣＣのためのＨＡＲＱフィードバックのためのリソースが、ＵＥの間でオーバーロードされ得る（たとえば、ｅＣＣ送信のためのＨＡＲＱフィードバックのための同じリソースが、２つ以上のＵＥに割り当てられ得る）。
【００４０】
[0071]いくつかの実施形態では、ダウンリンク許可は、ダウンリンク許可が失われた場合にＡＣＫ／ＮＡＣＫマッピングあいまいさを解決するために、ｅＣＣ上での送信のためのインデックス情報を搬送し得る。インデックス情報は、送信のための送信インデックス、または送信の各コードブロックを識別するコードブロックインデックス情報を含み得る。
【００４１】
[0072]ＰＣｅｌｌ制御チャネルを使用することの容量制限により、ｅＣＣのためのＨＡＲＱフィードバックは、可能なときはいつでも、フィードバックを提供するためにＰＣｅｌｌのアップリンクデータチャネルを利用し得る。ＰＣｅｌｌのアップリンクデータチャネルを介して提供されるｅＣＣのためのＨＡＲＱフィードバックは、アップリンク制御チャネルを介してフィードバックを提供することと同じタイムラインに従い得る。したがって、ＰＣｅｌｌのアップリンクデータチャネルは、データ送信が、ｅＣＣのためのＨＡＲＱフィードバックを提供するためのフィードバックサブフレーム中にスケジュールされるときはいつでも、ｅＣＣのためのＨＡＲＱフィードバックを搬送し得る。ＰＣｅｌｌのアップリンクデータチャネルは、ＵＥが、アップリンク制御チャネルおよびアップリンクデータチャネル上の同時送信のために構成された場合でも、および他のキャリア（たとえば、ＰＣｅｌｌ、他のＳＣｅｌｌなど）のためのＨＡＲＱフィードバックが、アップリンク制御チャネルを使用して提供される場合でも使用され得る。
【００４２】
[0073]いくつかの実施形態では、ｅＣＣのためのＣＳＩフィードバックがＰＣｅｌｌ上で送られ得る。たとえば、ｅＣＣは、周期ＣＳＩフィードバックを報告するように構成され得、ＰＣｅｌｌの（データ送信がＣＳＩフィードバックサブフレーム中に送られている場合）ＰＵＣＣＨまたは物理ＵＬ共有チャネル（ＰＵＳＣＨ）上で周期ＣＳＩフィードバックを報告し得る。非周期ＣＳＩは、ＰＣｅｌｌ上の許可によって、またはｅＣＣ上の許可によってトリガされ得る。いくつかの場合には、非周期ＣＳＩは、非周期ＣＳＩ報告をトリガするセル上で送信される。代替的に、非周期ＣＳＩは、どのセルが非周期ＣＳＩ報告をトリガしたかにかかわらず、ＰＣｅｌｌ上で送信され得る。
【００４３】
[0074]本明細書で説明される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムのために使用され得る。「システム」および「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは、無線アクセスネットワーク（ＲＡＮ）と呼ばれることがある。
【００４４】
[0075]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムの例としては、モバイル通信用グローバルシステム（ＧＳＭ（登録商標））の様々な実装形態がある。ＯＦＤＭおよび／またはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、無認可および／または共有帯域幅を介したセルラー（たとえば、ＬＴＥ）通信を含む、上述のシステムおよび無線技術、ならびに他のシステムおよび無線技術のために使用され得る。
【００４５】
[0076]以下の説明は、例を提供するものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００４６】
[0077]図１に、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを提供し得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラの制御下で動作し得る。様々な例では、基地局１０５は、ワイヤードまたはワイヤレス通信リンクであり得るバックホールリンク１３４（たとえば、Ｘ１など）上で、直接的または間接的のいずれかで（たとえば、コアネットワーク１３０を通して）、互いと通信し得る。
【００４７】
[0078]概して、ワイヤレス通信システムは、様々な規制方式に従って（たとえば、ＦＣＣなどによって）規制され得る周波数帯域に区分されたワイヤレススペクトルを利用する。たとえば、認可帯域は特定の事業者または目的のために予約され得、帯域上で動作することを認可されないデバイスは、概して、帯域上で送信することを禁止される。無認可帯域は、特定の事業者のために予約されないことがあるが、様々なルールまたはプロトコル（たとえば、限られた送信電力、競合解消プロトコルなど）に従って使用され得る。共有周波数帯域は、送信するときに優先される優先事業者を有し得るが、非優先事業者による日和見的使用を可能にし得る。
【００４８】
[0079]基地局１０５は、１つまたは複数の基地局アンテナを介してＵＥ１１５とワイヤレス通信し得る。基地局１０５のサイトの各々は、それぞれの地理的カバレージエリア１１０に通信カバレージを提供し得る。いくつかの例では、基地局１０５は、基地トランシーバ局、無線基地局、アクセスポイント、無線トランシーバ、ノードＢ、発展型ノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００４９】
[0080]いくつかの例では、ワイヤレス通信システム１００はＬＴＥ／ＬＴＥ−Ａネットワークである。ＬＴＥ／ＬＴＥ−Ａネットワークでは、ｅＮＢという用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを提供する、異種ＬＴＥ／ＬＴＥ−Ａネットワークであり得る。たとえば、各ｅＮＢまたは基地局１０５は、マクロセル、スモールセル、および／または他のタイプのセルに通信カバレージを提供し得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【００５０】
[0081]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを提供し得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５１】
[0082]ワイヤレス通信システム１００は、複数のセルまたはキャリア上での動作、すなわち、ＣＡまたはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。「コンポーネントキャリア」という用語は、キャリアアグリゲーション（ＣＡ）動作においてＵＥによって利用される複数のキャリアの各々を指すことがあり、システム帯域幅の他の部分とは別個であり得る。たとえば、コンポーネントキャリアは、独立して、または他のコンポーネントキャリアと組み合わせて利用されることが可能である比較的狭い帯域幅のキャリアであり得る。各キャリアは、制御情報（たとえば、基準信号、制御チャネルなど）、オーバーヘッド情報、データなどを送信するために使用され得る。複数のコンポーネントキャリアは、いくつかのＵＥ１１５に、より大きい帯域幅と、たとえば、より高いデータレートとを提供するために、アグリゲートされるか、またはコンカレントに利用され得る。各コンポーネントキャリアは、ＬＴＥ規格のリリース８またはリリース９に基づいて、分離キャリアと同じ能力を提供し得る。したがって、個々のコンポーネントキャリアは、レガシーＵＥ１１５（たとえば、ＬＴＥリリース８またはリリース９を実装するＵＥ１１５）との後方互換性があることがあるが、他のＵＥ１１５（たとえば、リリース８／９後のＬＴＥバージョンを実装するＵＥ１１５）は、マルチキャリアモードにおいて複数のコンポーネントキャリアで構成され得る。ＤＬのために使用されるキャリアはＤＬ  ＣＣと呼ばれることがあり、ＵＬのために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。追加または代替として、キャリアアグリゲーションは、ＦＤＤコンポーネントキャリアとＴＤＤコンポーネントキャリアの両方とともに使用され得る。
【００５２】
[0083]ワイヤレス通信システム１００は、ＣＡのためにｅＣＣを使用し得る。ｅＣＣは、ＣＡにおいて、スタンドアロンコンポーネントキャリア（たとえば、ＰＣｅｌｌ）としてまたはＳＣｅｌｌとして使用され得る。ｅＣＣは、非後方互換性ＯＦＤＭヌメロロジー（numerology）を有する広帯域キャリアであり得る。たとえば、ｅＣＣは、レガシーＬＴＥにおいて使用されるものよりも、広い帯域幅と、短いＯＦＤＭシンボル持続時間と、大きいサブキャリア間隔とを有し得る。１つの特定の例では、ｅＣＣは、約８０ＭＨｚの帯域幅、１６．６７μｓのＯＦＤＭシンボル持続時間、および６０ＫＨｚのサブキャリア間隔までを有する。他の例では、ｅＣＣは、他の帯域幅、ＯＦＤＭシンボル持続時間、およびサブキャリア間隔を有し得る。
【００５３】
[0084]ワイヤレス通信システム１００は、異なる無線周波数スペクトル帯域中でｅＣＣを使用することが可能である。ワイヤレス通信システム１００は、無認可無線周波数スペクトル帯域中で、または認可無線周波数スペクトル帯域中でｅＣＣを展開し得る。無認可無線周波数スペクトル帯域は、無認可無線周波数スペクトルにおけるＬＴＥアドバンスト（ＬＴＥ−Ｕ）において使用されるものと同様であり得る。ワイヤレス通信システム１００は、共有無線周波数スペクトル帯域中でｅＣＣを展開し得る。共有無線周波数スペクトル帯域は、認可または無認可であり得、いくつかの異なる事業者の間で共有され得る。
【００５４】
[0085]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００５５】
[0086]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００５６】
[0087]基地局１０５は基地局ｅＣＣ制御情報構成要素１４０を含み得る。基地局ｅＣＣ制御情報構成要素１４０は、ＰＣｅｌｌ上でのｅＣＣ通信に関する制御情報を送るまたは受信するために使用され得る。制御情報は、たとえば、ＤＬ／ＵＬ  ＡＣＫ／ＮＡＣＫ、ＣＳＩ、またはＤＬ／ＵＬ許可を含み得る。他の例では、他のタイプの制御情報が、ＰＣｅｌｌを使用して通信され得る。
【００５７】
[0088]ＵＥ１１５はワイヤレス通信システム１００全体にわたって分散され、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００５８】
[0089]ワイヤレス通信システム１００に示されている通信リンク１２５は、ＵＥ１１５から基地局１０５へのＵＬ送信、および／または基地局１０５からＵＥ１１５へのＤＬ送信を含み得る。ＤＬ送信は順方向リンク送信と呼ばれることもあり、ＵＬ送信は逆方向リンク送信と呼ばれることもある。各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００５９】
[0090]ＵＥ１１５はＵＥ  ｅＣＣ制御情報構成要素１４５を含み得る。ＵＥ  ｅＣＣ制御情報構成要素１４５は、ＰＣｅｌｌ上でのＳＣｅｌｌ  ｅＣＣ通信に関する制御情報を送るまたは受信するために使用され得る。制御情報は、たとえば、ＤＬ／ＵＬ  ＡＣＫ／ＮＡＣＫ、ＣＳＩ、またはＤＬ／ＵＬ許可を含み得る。他の例では、他のタイプの制御情報が、ＰＣｅｌｌを使用して通信され得る。
【００６０】
[0091]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００６１】
[0092]ＤＬのために使用されるキャリアはＤＬ  ｅＣＣと呼ばれることがあり、ＵＬのために使用されるキャリアはＵＬ  ｅＣＣと呼ばれることがある。ＵＥ１１５は、ＣＡのために、複数のＤＬ  ｅＣＣと１つまたは複数のＵＬ  ｅＣＣとで構成され得る。マルチレイヤ基地局１０５は、ＤＬまたはＵＬ上の複数のｅＣＣを介したＵＥとの通信をサポートするように構成され得る。したがって、ＵＥ１１５は、１つの基地局１０５から、または複数の基地局１０５（たとえば、シングルまたはマルチレイヤ基地局）から１つまたは複数のＤＬ  ｅＣＣ上でデータと制御情報とを受信し得る。ＵＥ１１５は、１つまたは複数のＵＬ  ｅＣＣ上でデータと制御情報とを１つまたは複数の基地局１０５に送信し得る。ＣＡは、ＦＤＤコンポーネントキャリアとＴＤＤコンポーネントキャリアの両方とともに使用され得る。
【００６２】
[0093]ＵＥ１１５は、複数のキャリアを利用して単一の基地局１０５と通信し得、また、異なるキャリア上で同時に複数の基地局と通信し得る。基地局１０５の各セルは、ＤＬ  ＣＣ、ＴＤＤ  ＵＬ−ＤＬ  ＣＣ、またはＤＬ  ＣＣおよびＵＬ  ＣＣを含み得る。基地局１０５のための各サービングセルのカバレージエリア１１０は異なり得る（たとえば、異なる周波数帯域上のＣＣは、異なる経路損失を経験し得る）。いくつかの例では、あるキャリアは、ＰＣｅｌｌによってサービスされ得る、ＵＥ１１５のための、プライマリキャリア、またはＰＣＣとして指定される。ＰＣｅｌｌは、ＵＥ１１５のためのＲＲＣ接続インターフェースとして働き得る。あるアップリンク制御情報（ＵＣＩ）、たとえば、ＰＵＣＣＨ上で送信された、ＡＣＫ／ＮＡＣＫ、チャネル品質インジケータ（ＣＱＩ）、およびスケジューリング情報が、ＰＣｅｌｌによって搬送され得る。追加のキャリアは、ＳＣｅｌｌによってサービスされ得る、セカンダリキャリア、またはセカンダリコンポーネントキャリア（ＳＣＣ）として指定され得る。セカンダリセルは、ＵＥごとに半静的に構成され得る。いくつかの場合には、セカンダリセルは、プライマリセルと同じ制御情報を含まないかまたはそれを送信するように構成されないことがある。
【００６３】
[0094]データは、論理チャネルと、トランスポートチャネルと、物理レイヤチャネルとに分割され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。ＵＬトランスポートチャネルは、アクセスのためのランダムアクセスチャネル（ＲＡＣＨ）と、データのためのアップリンク共有チャネル（ＵＬ−ＳＣＨ）とを含み得る。ＤＬ物理チャネルは、ブロードキャスト情報のための物理ブロードキャストチャネル（ＰＢＣＨ）と、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ＨＡＲＱステータスメッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）と、制御データのための物理アップリンク制御チャネル（ＰＵＣＣＨ）と、ユーザデータのためのＰＵＳＣＨとを含み得る。
【００６４】
[0095]ＨＡＲＱは、データがワイヤレス通信リンク１２５上で正しく受信されることを保証する方法であり得る。ＨＡＲＱは、（たとえば、巡回冗長検査（ＣＲＣ）を使用する）誤り検出と、前方誤り訂正（ＦＥＣ）と、再送信（たとえば、自動再送要求（ＡＲＱ））との組合せを含み得る。ＨＡＲＱは、不良な無線状態（たとえば、信号対雑音状態）でのＭＡＣレイヤにおけるスループットを改善し得る。インクリメンタル冗長ＨＡＲＱでは、間違って受信されたデータは、データを正常に復号する全体的可能性を改善するために、バッファに記憶され、後続の送信と組み合わせられ得る。いくつかの場合には、冗長ビットが、送信より前に各メッセージに追加される。これは、不良な状態において特に有用であり得る。他の場合には、冗長ビットは、各送信に追加されないが、情報を復号する失敗した試みを示すＮＡＣＫを元のメッセージの送信機が受信した後に再送信される。
【００６５】
[0096]基地局１０５は、ＵＥ１１５のチャネル推定およびコヒーレント復調を助けるために、セル固有基準信号（ＣＲＳ）などの周期パイロットシンボルを挿入し得る。ＣＲＳは、５０４個の異なるセル識別情報のうちの１つを含み得る。それらは、それらを雑音および干渉に対して耐性があるようにするために、４位相偏移変調（ＱＰＳＫ：quadrature phase shift keying）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック中の４〜１６個のリソース要素中に埋め込まれ得る。基地局１０５のカバレージエリア１１０中のすべてのＵＥ１１５によって利用され得るＣＲＳに加えて、復調基準信号（ＤＭＲＳ）は、特定のＵＥ１１５を対象とし得、それらのＵＥ１１５に割り当てられたリソースブロック上でのみ送信され得る。ＤＭＲＳは、それらが送信される各リソースブロック中の６つのリソース要素上に信号を含み得る。いくつかの場合には、ＤＭＲＳの２つのセットは、隣接するリソース要素中で送信され得る。いくつかの場合には、チャネル状態情報基準信号（ＣＳＩ−ＲＳ）として知られる追加の基準信号が、ＣＳＩを生成するのを助けるために含まれ得る。ＵＬ上で、ＵＥ１１５は、それぞれ、リンク適応および復調のための周期サウンディング基準信号（ＳＲＳ）とＵＬ  ＤＭＲＳの組合せを送信し得る。
【００６６】
[0097]ＴＤＤフレーム構造の場合、各サブフレームはＵＬトラフィックまたはＤＬトラフィックを搬送し得、スペシャルサブフレーム（「Ｓ」）は、ＤＬ送信とＵＬ送信との間で切り替えるために使用され得る。無線フレーム内のＵＬサブフレームおよびＤＬサブフレームの割振りは、対称または非対称であり得、（たとえば、Ｓ１および／またはＸ２インターフェース上でのバックホールメッセージングなどを介して）半静的に再構成され得る。スペシャルサブフレームは、何らかのＤＬトラフィックおよび／またはＵＬトラフィックを搬送し得、ＤＬトラフィックとＵＬトラフィックとの間のガード期間（ＧＰ）を含み得る。スペシャルサブフレームは、概して、ＰＵＣＣＨ送信のために使用されない。ＵＬトラフィックからＤＬトラフィックへの切替えは、スペシャルサブフレーム、またはＵＬサブフレームとＤＬサブフレームとの間のガード期間を使用せずに、ＵＥにおいてタイミングアドバンスを設定することによって達成され得る。フレーム期間（たとえば、１０ｍｓ）またはフレーム期間の１／２（たとえば、５ｍｓ）に等しい切替えポイント周期性をもつＵＬ−ＤＬ構成がサポートされ得る。たとえば、ＴＤＤフレームは１つまたは複数のスペシャルフレームを含み得、スペシャルフレーム間の期間がフレームのためのＴＤＤ  ＤＬＵＬ間切替えポイント周期性を決定し得る。
【００６７】
[0098]ＬＴＥ／ＬＴＥ−Ａでは、表１に示されているように、ＤＬサブフレームを４０％と９０％との間で提供する７つの異なるＵＬ−ＤＬ構成が定義される。
【００６８】
【表１】
0006651531.tif 000002
【００６９】
[0099]表１に示されているように、２つの切替え周期性、すなわち、５ｍｓおよび１０ｍｓがある。５ｍｓ切替え周期性をもつ構成の場合は、フレームごとに２つのスペシャルサブフレームがあり、１０ｍｓ切替え周期性をもつ構成の場合は、フレームごとに１つのスペシャルサブフレームがある。これらの構成のうちのいくつかは対称であり、同数のアップリンクスロットとダウンリンクスロットとを有するが、いくつかは非対称であり、異なる数のアップリンクスロットとダウンリンクスロットとを有する。たとえば、４つのアップリンクサブフレームと４つのダウンリンクサブフレームとをもつＵＬ−ＤＬ構成１は対称であり、ＵＬ−ＤＬ構成５はダウンリンクスループットに有利であり、ＵＬ−ＤＬ構成０はアップリンクスループットに有利である。
【００７０】
[0100]いくつかの場合には、ワイヤレス通信システム１００は、１つまたは複数のｅＣＣを利用し得る。ｅＣＣは、短いシンボル持続時間、広いトーン間隔、短いサブフレーム持続時間、競合ベーススペクトルにおける動作、広帯域幅、フレキシブル帯域幅、および可変長ＴＴＩを含む、１つまたは複数の特徴によって特徴づけられ得る。いくつかの場合には、ｅＣＣは、キャリアアグリゲーション構成またはデュアル接続性構成（すなわち、複数のサービングセルが準最適バックホールリンクを有するとき）に関連し得る。ｅＣＣはまた、（２つ以上の事業者がスペクトルを使用することを認可された場合）無認可スペクトルまたは共有スペクトルにおいて使用するために構成され得る。フレキシブル帯域幅によって特徴づけられるｅＣＣは、帯域幅全体をモニタするために構成されないか、または（たとえば、電力を節約するために）限られた帯域幅を優先的に使用する、ＵＥ１１５によって利用され得る１つまたは複数のセグメントを含み得る。ｅＣＣは、スタンドアロン動作のために（たとえば、シングルキャリア動作において、またはＣＡ構成におけるプライマリキャリアとしてなど）構成され得るか、またはいくつかの場合には、非スタンドアロンであり得る。たとえば、ｅＣＣが無認可または共有スペクトル領域において動作する場合、ｅＣＣは、ＣＡ構成においてセカンダリＣＣとして使用され得る。
【００７１】
[0101]図２Ａに、様々な実施形態による、ＣＡを採用するシステム２００を示す。システム２００は、ワイヤレス通信システム１００の態様を示し得る。システム２００は、図１を参照しながら説明された基地局１０５の態様の例であり得る基地局１０５−ａおよび１０５−ｂを含む。システム２００は、図１を参照しながら説明されたＵＥ１１５の態様の一例であり得るＵＥ１１５−ａをも含む。他の例では、システム２００は、他の数の基地局１０５およびＵＥ１１５を含む。
【００７２】
[0102]基地局１０５は、ＵＥ１１５−ａと通信するために、１つまたは複数のコンポーネントキャリア２２５（ＣＣ1〜ＣＣN）を使用し得る。基地局１０５は、コンポーネントキャリア２２５上で順方向（ＤＬ）チャネルを介してＵＥ１１５−ａに情報を送信することができる。さらに、ＵＥ１１５は、コンポーネントキャリア２２５上で逆方向（ＵＬ）チャネルを介して基地局１０５に情報を送信することができる。図２ならびに開示される実施形態のうちのいくつかに関連する他の図の様々なエンティティについて説明する際、説明の目的で、３ＧＰＰ  ＬＴＥまたはＬＴＥ−Ａワイヤレスネットワークに関連する名称が使用される。ただし、システム２００は、ネットワークがｅＣＣ能力をサポートする限り、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。コンポーネントキャリアＣＣ1〜ＣＣN２２５のうちの１つまたは複数は、同じ周波数動作帯域中にあるか（帯域内）、または異なる動作帯域中にあり得（帯域間）、帯域内ＣＣは動作帯域内で連続であるか、または不連続であり得る。さらに、コンポーネントキャリアｅＣＣ1〜ｅＣＣN２２５のうちの１つまたは複数は、無認可無線周波数スペクトル帯域または認可無線周波数スペクトル帯域中にあり得る。無線周波数スペクトル帯域は、異なる事業者の間で共有され得る。さらに、コンポーネントキャリア２２５のうちの１つまたは複数は拡張コンポーネントキャリアであり得る。
【００７３】
[0103]システム２００では、ＵＥ１１５−ａは、基地局１０５−ａおよび１０５−ｂなど、１つまたは複数の基地局１０５に関連する複数のＣＣ２２５で構成され得る。１つのＣＣは、ＵＥ１１５−ａのためのプライマリＣＣまたはＰＣｅｌｌとして指定される。ＰＣｅｌｌ２２５は、ＵＥごとに上位レイヤ（たとえば、ＲＲＣなど）によって半静的に構成され得る。他のＳＣｅｌｌ２２５のうちの１つまたは複数はｅＣＣであり得る。ｅＣＣ上でのデータ送信に関するある制御情報（たとえば、ＡＣＫ／ＮＡＣＫ、ＣＳＩ、ＤＬ／ＵＬ許可、スケジューリング要求（ＳＲ）など）が、ＰＣｅｌｌ２２５−ａによって搬送され得る。ＵＥ１１５−ａは、非対称ＤＬ対ＵＬ  ＣＣ割当てで構成され得る。いくつかの例では、ＰＣｅｌｌはレガシーＬＴＥキャリアであり、ＳＣｅｌｌのうちの少なくとも１つはｅＣＣである。他の例では、ＰＣｅｌｌとＳＣｅｌｌの両方はｅＣＣである。
【００７４】
[0104]図２Ａに示されている例では、ＵＥ１１５−ａは、基地局１０５−ａに関連するＰＣｅｌｌ２２５−ａおよびＳＣｅｌｌ２２５−ｂと、基地局１０５−ｂに関連するＳＣｅｌｌ３２５−ｃとで構成される。ＳＣｅｌｌ２２５−ｂおよび２２５−ｃは拡張コンポーネントキャリアである。説明の目的で、ＰＣｅｌｌ２２５−ａはレガシーコンポーネントキャリアであるが、これは他の例では異なり得る。システム２００は、ＦＤＤまたはＴＤＤ  ｅＣＣ２２５の様々な組合せを使用してＣＡをサポートするように構成され得る。たとえば、システム２００のいくつかの構成は、ＦＤＤ  ｅＣＣ（たとえば、ＦＤＤ  ＰＣｅｌｌ、および１つまたは複数のＦＤＤ  ＳＣｅｌｌ）のためのＣＡをサポートし得る。他の構成は、ＴＤＤ  ＣＣ（たとえば、ＴＤＤ  ＰＣｅｌｌ、および１つまたは複数のＴＤＤ  ＳＣｅｌｌ）を使用してＣＡをサポートし得る。いくつかの例では、ＣＡのためのＴＤＤ  ＳＣｅｌｌは同じＤＬ／ＵＬ構成を有するが、他の例は、異なるＤＬ／ＵＬ構成のｅＣＣを用いてＴＤＤ  ＣＡをサポートする。
【００７５】
[0105]いくつかの実施形態では、システム２００は、ＣＡと他のタイプのジョイント動作とを含むＴＤＤ−ＦＤＤジョイント動作をサポートし得る（たとえば、ＵＥ１１５−ａのために構成された複数のｅＣＣの基地局１０５が、理想的でないバックホール能力を有し、それらの送信を別々にスケジュールするときのデュアル接続性など）。ＴＤＤ−ＦＤＤジョイント動作は、ＦＤＤおよびＴＤＤ  ＣＡ動作をサポートするＵＥ１１５−ａが、ＣＡを使用して、またはシングルｅＣＣモードでＦＤＤ  ｅＣＣとＴＤＤ  ｅＣＣの両方にアクセスすることを可能にし得る。さらに、様々な能力をもつレガシーＵＥ（たとえば、シングルモードＵＥ、ＦＤＤ  ＣＡ対応ＵＥ、ＴＤＤ  ＣＡ対応ＵＥなど）が、システム２００のＦＤＤキャリアまたはＴＤＤキャリアに接続し得る。
【００７６】
[0106]基地局１０５−ａおよびＵＥ１１５−ａは、ＰＣｅｌｌ２２５−ａ上でＳＣｅｌｌ  ｅＣＣフィードバックに関する制御情報を送り得る。ＵＥ１１５−ａは、ＰＣｅｌｌ２２５−ａ上で基地局１０５−ａにＳＣｅｌｌ  ｅＣＣデータ送信に関するＵＬ制御情報を送り得る。基地局１０５−ａは、ＰＣｅｌｌ２２５−ａ上でＵＥ１１５−ａにＳＣｅｌｌ  ｅＣＣデータ送信に関するＤＬ制御情報を送り得る。いくつかの例では、基地局１０５−ａは、ＰＣｅｌｌ２２５−ａ上で、ブロックＡＣＫ／ＮＡＣＫなど、ＵＥ１１５−ａならびに他のＵＥに向けられたＤＬ制御情報を送る。
【００７７】
[0107]図２Ｂに、本開示の様々な態様による、１つまたは複数のｅＣＣを利用する例示的な通信環境２５０を示す。通信環境２５０は、たとえば、図１のワイヤレス通信システム１００、または図２Ａのシステム２００の態様を示し得る。通信環境２５０は、ＰＣｅｌｌ２２５−ｄを介してＵＥ１１５−ｂと通信しているｅＮＢ１０５−ｃを含み得る。ＵＥ１１５−ｂはマルチキャリア動作が可能であり得、ｅＮＢ１０５−ｃはＵＥ１１５−ｂのためのＳＣｅｌｌ２３０を構成し得る。ＳＣｅｌｌ２３０は、無認可または共有スペクトルである周波数帯域中のｅＣＣであり得る。
【００７８】
[0108]いくつかの場合には、ｅＣＣ２３０は、可変ＴＴＩ長さおよびシンボル持続時間を利用し得る。いくつかの場合には、ｅＣＣ２３０は、異なるＴＴＩ長さに関連する複数の階層レイヤを含み得る。たとえば、ある階層レイヤにおけるＴＴＩは、均一な１ｍｓサブフレームに対応し得るが、第２のレイヤでは、可変長ＴＴＩが、短持続時間シンボル期間のバーストに対応し得る。いくつかの場合には、より短いシンボル持続時間も、増加したサブキャリア間隔に関連し得る。ｅＣＣ２３０は、ｅＣＣ２３０のためのＴＴＩが、予測可能な境界（たとえば、フレーム、サブフレームなど）ＰＣｅｌｌに当たるように、ＰＣｅｌｌ２２５−ｄに同期させられ得る。代替的に、ｅＣＣ２３０のためのＴＴＩは、ＰＣｅｌｌに関して非同期であり得る。
【００７９】
[0109]ｅＣＣは、変更されたまたは追加のＨＡＲＱ関連制御情報をも含み得る。ｅＣＣ上でのデータ送信は、変更されたデータチャネルを使用して実行され得る（たとえば、ｅＣＣ２３０は、拡張ＰＤＳＣＨ（ｅＰＤＳＣＨ）フォーマットを利用し得る）。ｅＣＣ２３０のための（たとえば、ＰＤＣＣＨまたはｅＰＤＣＣＨなどを介した）ダウンリンク許可は、１つまたは複数のコードブロック（たとえば、ＨＡＲＱのために別々に符号化されたブロック）を含み得る、１つのトランスポートブロック（たとえば、１つのｅＰＤＳＣＨ）に関連し得る。
【００８０】
[0110]他の事業者も、無認可または共有スペクトルを使用し得る。たとえば、図２Ｂは、それぞれ、ワイヤレスリンク２３５−ａおよび２３５−ｂ上でＵＥ１１５−ｃおよび１１５−ｄと通信しているアクセスポイント２４０（たとえば、ＬＴＥ  ｅＮＢ、Ｗｉ−Ｆｉアクセスポイントなど）を示す。ワイヤレスリンク２３５も、ｅＣＣ２３０によって使用される同じ無認可または共有スペクトルを使用し得る。
【００８１】
[0111]ｅＣＣ２３０が無認可または共有スペクトルを使用しているので、媒体は、フィードバック（たとえば、ＨＡＲＱ、ＣＳＩなど）を提供するための特定の時間において利用可能でないことがある。たとえば、媒体は、より優先度の高い事業者（たとえば、アクセスポイント２４０に関連する事業者など）によって先取りされ得るか、または、スケジュールされたＣＳＩまたはＨＡＲＱフィードバック送信について衝突が媒体上で起こり得る。したがって、無認可または共有スペクトルを使用してｅＣＣのための信頼できるフィードバックを提供することが、課題を提供する。
【００８２】
[0112]実施形態では、ｅＮＢ１０５およびＵＥ１１５など、ワイヤレス通信システム１００の異なる態様は、ＰＣｅｌｌを介して非スタンドアロンｅＣＣのためのフィードバック（たとえば、ＣＳＩ、ＨＡＲＱなど）を提供するように構成され得る。ｅＣＣのためのＨＡＲＱフィードバックは、ｅＣＣ上で送信された各コードブロックについてのＡＣＫ／ＮＡＣＫ情報を含み得る。ＡＣＫ／ＮＡＣＫ情報は、ｅＣＣ上での送信が完了したＰＣｅｌｌのサブフレームに基づいて決定されたＰＣｅｌｌのフィードバックサブフレーム中で、ＰＣｅｌｌのアップリンク制御チャネルまたはデータチャネル上で送信され得る。ＦＤＤ  ＰＣｅｌｌの場合、フィードバックサブフレームは、送信サブフレームからの固定オフセットに基づいて決定され得る。ＴＤＤ  ＰＣｅｌｌの場合、フィードバックサブフレームは、固定オフセットの後の第１の利用可能なアップリンクサブフレームであり得る。
【００８３】
[0113]ｅＣＣのためのＨＡＲＱフィードバックは、ＰＣｅｌｌの制御チャネル（たとえば、ＰＵＣＣＨなど）を使用して提供され得、新しいまたは既存のＰＵＣＣＨフォーマット（たとえば、ＰＵＣＣＨフォーマット３など）を使用し得る。フィードバックサブフレーム中のｅＣＣ上で受信されたコードブロックのブロックＡＣＫ／ＮＡＣＫのためのビット数がＰＵＣＣＨフォーマットの容量を超える場合、空間バンドリングまたはトランスポートブロック（たとえば、ｅＰＤＳＣＨ）内のコードブロックのバンドリングが実行され得る。いくつかの実施形態では、ｅＣＣ上で受信された送信に関連するダウンリンク許可は、報告されたＨＡＲＱフィードバック内のＡＣＫ／ＮＡＣＫマッピングあいまいさを解決するために、インデックス情報を含み得る。追加または代替として、複数のＰＵＣＣＨ送信（たとえば、トランスポートブロックごとに１つなど）が、フィードバックサブフレーム中でＰＣｅｌｌ上で送られ得る。
【００８４】
[0114]いくつかの実施形態では、ＰＣｅｌｌのアップリンクデータチャネル（たとえば、ＰＵＳＣＨなど）は、アップリンクデータチャネルが、ｅＣＣのためのフィードバックサブフレーム中で、スケジュールされたデータ送信を有するとき、ｅＣＣのためのＨＡＲＱフィードバックの送信のために使用され得る。ｅＣＣ上で受信されたコードブロックのためのブロックＡＣＫ／ＮＡＣＫフィードバックは、バンドリングなしにＰＵＳＣＨ送信において送られ得る。ＰＵＳＣＨは、ＵＥが同時ＰＵＳＣＨ／ＰＵＣＣＨ送信のために構成されたときでも、ｅＣＣのためのＨＡＲＱフィードバックのために使用され得る。たとえば、他のＣＳＩまたはＨＡＲＱフィードバックはＰＵＣＣＨ上で送信され得、ｅＣＣのためのＨＡＲＱフィードバックは、ＰＵＳＣＨを使用して送信される。
【００８５】
[0115]いくつかの実施形態では、ｅＣＣのためのＣＳＩフィードバックがＰＣｅｌｌ上で送られ得る。たとえば、ｅＣＣは、周期ＣＳＩフィードバックを報告するように構成され得、ＰＣｅｌｌの（データ送信がＣＳＩフィードバックサブフレーム中に送られている場合）ＰＵＣＣＨまたはＰＵＳＣＨ上で周期ＣＳＩフィードバックを報告し得る。非周期ＣＳＩは、ＰＣｅｌｌ上の許可によって、またはｅＣＣ上の許可によってトリガされ得る。いくつかの場合には、非周期ＣＳＩは、非周期ＣＳＩ報告をトリガするセル上で送信される。代替的に、非周期ＣＳＩは、どのセルが非周期ＣＳＩ報告をトリガしたかにかかわらず、ＰＣｅｌｌ上で送信され得る。
【００８６】
[0116]図３に、本開示の様々な態様による、ワイヤレス通信システムにおけるＰＣｅｌｌ上での例示的なｅＣＣ  ＣＳＩ通信を示すフローチャート３００を示す。この例では、ＵＥ１１５−ｅは、ＳＣｅｌｌのＣＳＩを測定し、ＰＣｅｌｌ上で基地局１０５−ｄにＣＳＩ情報を送る。ＵＥ１１５−ｅは、図１、図２Ａ、および図２Ｂを参照しながら説明されたＵＥ１１５の１つまたは複数の態様の一例であり得る。同様に、基地局１０５−ｄは、図１、図２Ａ、および図２Ｂを参照しながら説明された基地局１０５の１つまたは複数の態様の一例であり得る。ＰＣｅｌｌは、図２Ａおよび図２Ｂを参照しながら説明されたＰＣｅｌｌ２２５の１つまたは複数の態様の一例であり得る。
【００８７】
[0117]ＵＥ１１５−ｅは、ブロック３０５において、ＳＣｅｌｌのためのＣＳＩフィードバックを決定する。ＣＳＩフィードバックは、ＵＥ１１５−ｅが基地局１０５−ｄに報告するｅＣＣ  ＤＬチャネル品質情報であり得る。ＵＥ１１５−ｅは、メッセージ３１０において、ＰＣｅｌｌを使用して基地局１０５−ｄにＳＣｅｌｌのためのこの制御情報、すなわち、ＣＳＩを送り得る。いくつかの例では、ＵＥ１１５−ｅは、ＰＣｅｌｌのＰＵＣＣＨを通してｅＣＣ  ＣＳＩフィードバックを送る。他の例では、ＵＥ１１５−ｅは、ＰＣｅｌｌのＰＵＳＣＨを通してｅＣＣ  ＣＳＩフィードバックを送る。
【００８８】
[0118]ＳＣｅｌｌの代わりにＰＣｅｌｌ上で制御情報を送ることにいくつかの利点がある。ＰＣｅｌｌ上でＣＳＩを送ることによって、ＵＥ１１５−ｅは、ＳＣｅｌｌ上でトラフィックを送ることと、ＳＣｅｌｌがビジーであることを引き起こすこととを回避する。ＵＥ１１５−ｅは、トラフィックの短い、分離されたバーストとして、ＰＣｅｌｌ上でＣＳＩを送り得る。このＣＳＩトラフィックが、ＳＣｅｌｌ上で、特に無認可または共有チャネル上で送られた場合、ＳＣｅｌｌは、その時間中にビジーであることになり、同じＳＣｅｌｌを使用している他のＵＥ１１５がバックオフすることを引き起こし得る。ＳＣｅｌｌ上でＣＳＩデータを送ることも、媒体アクセスにより非効率的であり得る。したがって、ＰＣｅｌｌを使用することによって、ＵＥ１１５−ｅは、より効率的にＳＣｅｌｌ帯域幅を使用する。他の例では、基地局１０５−ｄおよびＵＥ１１５−ｅは、ＰＣｅｌｌ上で他のタイプの制御情報を送り得る。
【００８９】
[0119]基地局１０５−ｄとＵＥ１１５−ｅとは、メッセージ３１５においてｅＣＣ上で（ｅＣＣである）ＳＣｅｌｌのためのデータを交換し得る。たとえば、基地局１０５−ｄはＵＥ１１５−ｅにＤＬ  ｅＣＣデータを送り得、ＵＥ１１５−ｅは基地局１０５−ｄにＵＬ  ｅＣＣデータを送り得る。
【００９０】
[0120]図４に、本開示の様々な態様による、ワイヤレス通信システムにおけるＰＣｅｌｌ上での例示的なｅＣＣ  ＡＣＫ／ＮＡＣＫ通信を示すフローチャート４００を示す。この例では、基地局１０５−ｅとＵＥ１１５−ｆとは、ＰＣｅｌｌ上でＡＣＫ／ＮＡＣＫメッセージを交換する。ＵＥ１１５−ｆは、図１〜図３を参照しながら説明されたＵＥ１１５の１つまたは複数の態様の一例であり得る。同様に、基地局１０５−ｅは、図１〜図３を参照しながら説明された基地局１０５の１つまたは複数の態様の一例であり得る。ＰＣｅｌｌは、図２Ａおよび図２Ｂを参照しながら説明されたＰＣｅｌｌ２２５の１つまたは複数の態様の一例であり得る。
【００９１】
[0121]この例では、ＵＥ１１５−ｆは、ＳＣｅｌｌを使用して基地局１０５−ｅにＵＬデータ４０５を送り得る。ＵＬデータ４０５は、ＳＣｅｌｌを使用してｅＣＣ  ＰＵＳＣＨ上で送られ得る。基地局１０５−ｅがＵＬデータ４０５のすべてを正しく受信したかどうかに基づいて、基地局１０５−ｅは、ＰＣｅｌｌ上で返信ＤＬ  ＡＣＫ／ＮＡＣＫメッセージ４１０を送る。たとえば、基地局１０５−ｅは、基地局１０５−ｅが、それがＵＬデータ４０５を受信したと肯定応答することを希望したとき、ＤＬ  ＡＣＫ／ＮＡＣＫメッセージ４１０としてＡＣＫメッセージを送り得る。基地局１０５−ｅが、それがＵＬデータ４０５を正しくまたは完全に受信しなかったと決定する例では、基地局１０５−ｅは、ＤＬ  ＡＣＫ／ＮＡＣＫメッセージ４１０としてＮＡＣＫメッセージを送り得る。基地局１０５−ｅは、ＰＣｅｌｌのＰＨＩＣＨ、ＰＣｅｌｌのｅＰＨＩＣＨ、ＰＣｅｌｌのＰＤＳＣＨ、またはそれらの組合せ、ＤＬ  ＡＣＫ／ＮＡＣＫ  ４１０を送り得る。
【００９２】
[0122]同様に、ＵＥ１１５−ｆは、基地局１０５−ｂが、ＳＣｅｌｌ上で送られたｅＣＣ  ＤＬデータ４１５を送ったことに応答して、ＵＬ  ＡＣＫ／ＮＡＣＫメッセージ４２０を送り得る。ＤＬデータ４１５は、ＳＣｅｌｌを使用してｅＣＣ  ＰＤＳＣＨ上で送られ得る。ＵＥ１１５−ｆがＤＬデータ４１５のすべてを正しく受信したかどうかに基づいて、ＵＥ１１５−ｆは、ＰＣｅｌｌ上で返信ＵＬ  ＡＣＫ／ＮＡＣＫメッセージ４２０を送る。たとえば、ＵＥ１１５−ｆは、ＵＥ１１５−ｆが、それがＤＬデータ４１５を受信したと肯定応答することを希望したとき、ＵＬ  ＡＣＫ／ＮＡＣＫメッセージ４２０としてＡＣＫメッセージを送り得る。ＵＥ１１５−ｆが、それがＤＬデータ４１５を正しくまたは完全に受信しなかったと決定する例では、ＵＥ１１５−ｆは、ＵＬ  ＡＣＫ／ＮＡＣＫメッセージ４２０としてＮＡＣＫメッセージを送り得る。ＵＥ１１５−ｆは、ＰＣｅｌｌのＰＵＣＣＨまたはＰＵＳＣＨを通してＵＬ  ＡＣＫ／ＮＡＣＫ４２０を送り得る。
【００９３】
[0123]いくつかの例では、複数のＤＬ／ＵＬデータからのＡＣＫ／ＮＡＣＫ情報は、ブロックＡＣＫ／ＮＡＣＫにグループ化され得るされ得る。ブロッキングは、ＰＣｅｌｌ上で送られるべき情報の量を低減し得、したがって、ＡＣＫ／ＮＡＣＫフィードバックの効率を増加させ得る。ブロックＡＣＫ／ＮＡＣＫを使用して肯定応答された情報は、複数のユーザからのものであり得る。たとえば、ｅＣＣ  ＵＬデータ４０５に対応するＤＬ  ＡＣＫ／ＮＡＣＫ４１０は、１つまたは複数のＵＥ１１５を対象とするＡＣＫ／ＮＡＣＫビットを含んでいることがあるブロックＡＣＫ／ＮＡＣＫ４１０であり得る。すなわち、ＤＬ  ＡＣＫ／ＮＡＣＫ４１０は、２つまたはそれ以上のＵＥ１１５からのＵＬデータに肯定応答または否定応答し得る。そのような例では、基地局１０５−ｅは、ＰＣｅｌｌ上でＤＬ  ＡＣＫ／ＮＡＣＫ４１０をブロードキャストし得る。
【００９４】
[0124]いくつかの例では、各ＵＬデータ４０５またはＤＬデータ４１５は、各トランスポートブロックについて、複数のＡＣＫ／ＮＡＣＫビットを必要とし得る。たとえば、基地局１０５−ｅおよびＵＥ１１５−ｆは、それぞれ、データの各コードブロックについて、ＡＣＫ／ＮＡＣＫメッセージ４１０および４２０を送り得る。
【００９５】
[0125]ＴＴＩは、レガシーＬＴＥにおけるＴＴＩよりもｅＣＣ通信において短くなり得る。ＴＴＩはより短くなり得るので、ＳＣｅｌｌ上の複数のＵＬデータメッセージ４０５は、単一のフィードバックブロックとしてＤＬ  ＡＣＫ／ＮＡＣＫメッセージ４１０にアグリゲートされ得る。同様に、ＳＣｅｌｌ上の複数のＤＬデータメッセージ４１５は、単一のフィードバックブロックとしてＵＬ  ＡＣＫ／ＮＡＣＫメッセージ４２０にアグリゲートされ得る。
【００９６】
[0126]ＳＣｅｌｌを使用する代わりに、ＡＣＫ／ＮＡＣＫ情報を通信するためにＰＣｅｌｌを使用することは、ＰＣｅｌｌ上でのＣＳＩの送信に関して上記で説明されたものと同じ利益を提供し得る。
【００９７】
[0127]図５に、本開示の様々な態様による、ワイヤレス通信システムにおけるＰＣｅｌｌ上での例示的なＤＬ許可通信を示すフローチャート５００を示す。この例では、基地局１０５−ｆは、ＰＣｅｌｌ上でＵＥ１１５−ｇにＤＬ許可５０５を送る。基地局１０５−ｆは、図１〜図４を参照しながら説明された基地局１０５の１つまたは複数の態様の一例であり得る。ＵＥ１１５−ｇは、図１〜図４を参照しながら説明されたＵＥ１１５の１つまたは複数の態様の一例であり得る。ＰＣｅｌｌは、図２Ａおよび図２Ｂを参照しながら説明されたＰＣｅｌｌ２２５の１つまたは複数の態様の一例であり得る。
【００９８】
[0128]この例では、基地局１０５−ｅは、ＵＥ１１５−ｇにＰＣｅｌｌ上でＤＬ許可５０５を送り得る。ＤＬ許可５０５は、基地局１０５−ｅがＵＥ１１５−ｇにＳＣｅｌｌのｅＣＣ  ＰＤＳＣＨ上でＤＬデータを送る準備ができたことを示し得る。ＤＬ許可５０５は、ＤＬデータが潜在的に送られ得るリソース（たとえば、時間または周波数リソース）を識別し得る。
【００９９】
[0129]ＰＣｅｌｌ上でＤＬ許可５０５を送った後、基地局１０５−ｆは、ブロック５１０において、ＤＬ許可５０５中で識別されたリソースによって示された媒体へのアクセスを獲得することを試みる。基地局１０５−ｆがリソース中の媒体へのアクセスを獲得した場合、基地局１０５−ｆは、媒体上でＳＣｅｌｌ上のｅＣＣを使用してＤＬデータ５１５を送信する。基地局１０５−ｆが、時間内にＤＬ許可５０５中で識別されたリソースによって示された媒体へのアクセスを獲得することに失敗した場合、基地局１０５−ｆは、ＤＬデータを送信することを控える。
【０１００】
[0130]いくつかの例では、ＤＬ許可５０５は複数のリソースを識別し得る。ＤＬ許可５０５は、ＤＬデータを送るためのいくつかの異なる時間および周波数リソースを識別し得る。基地局１０５−ｆが、リソースのうちの１つ中の媒体へのアクセスを獲得することに失敗した場合、基地局１０５−ｆはＤＬデータ５１５を送信しない。
【０１０１】
[0131]代替的に、ＤＬ許可５０５は、ＤＬ許可５０５が有効である持続時間を示し得る。基地局１０５−ｆが、ＤＬ許可５０５が有効である時間中に媒体へのアクセスを獲得した場合、基地局１０５−ｆは、ＳＣｅｌｌ上のｅＣＣ上でＤＬデータ５１５を送信する。基地局１０５−ｆが、ＤＬ許可５０５が有効である時間中に媒体へのアクセスを獲得することに失敗した場合、基地局１０５−ｆはＤＬデータ５１５を送信しない。
【０１０２】
[0132]さらなる代替として、基地局１０５−ｆは、基地局１０５−ｆが媒体へのアクセスを獲得するまで、ＰＣｅｌｌ上でＵＥ１１５−ｇにＤＬ許可５０５を送らないことがある。このオプションは、基地局１０５−ｆが、ＵＥ１１５−ｇにＤＬデータ５１５を送ることが可能になることを保証し得る。
【０１０３】
[0133]ＵＥ１１５−ｇは、ＤＬデータ５１５に応答してＰＣｅｌｌ上でＵＬ  ＡＣＫ／ＮＡＣＫ５２０を送り得る。
【０１０４】
[0134]図６に、本開示の様々な態様による、ワイヤレス通信システムにおけるＰＣｅｌｌ上での例示的なＵＬ許可通信を示すフローチャート６００を示す。この例では、ＵＥ１１５−ｈは、ＰＣｅｌｌ上で基地局１０５−ｇにＵＬ許可６０５を送る。ＵＥ１１５−ｈは、図１〜図５を参照しながら説明されたＵＥ１１５の１つまたは複数の態様の一例であり得る。基地局１０５−ｇは、図１〜図５を参照しながら説明された基地局１０５の１つまたは複数の態様の一例であり得る。ＰＣｅｌｌは、図２Ａおよび図２Ｂを参照しながら説明されたＰＣｅｌｌ２２５の１つまたは複数の態様の一例であり得る。
【０１０５】
[0135]ＵＥ１１５−ｈは、基地局１０５−ｇからＰＣｅｌｌ上でＵＬ許可６０５を受信し得る。ＵＬ許可６０５は、基地局１０５−ｇにＵＬデータを送るためにＵＥ１１５−ｈがどんなリソースを使用し得るかをＵＥ１１５−ｈに示し得る。ＵＬ許可６０５は、ｅＣＣ上でのＵＬデータ送信を要求し得る。ＵＬ許可６０５は、ＵＬデータが潜在的に送られ得るリソース（たとえば、いくつかの時間または周波数リソース）を識別し得る。
【０１０６】
[0136]ＰＣｅｌｌ上でＵＬ許可６０５を受信した後、ＵＥ１１５−ｈは、ブロック６１０において、ＵＬ許可６０５中で識別されたリソースによって示された媒体へのアクセスを獲得することを試みる。ＵＬ許可６０５中で識別されたリソースは、時間および周波数リソースを含み得る。ＵＥ１１５−ｈがリソース中の媒体へのアクセスを獲得した場合、ＵＥ１１５−ｈは、基地局１０５−ｇに媒体上でＳＣｅｌｌ上のｅＣＣを使用してＵＬデータ６１５を送信する。ＵＥ１１５−ｈが、時間内にＵＬ許可６０５中で識別されたリソースによって示された媒体へのアクセスを獲得することに失敗した場合、ＵＥ１１５−ｈは、ＵＬデータを送信することを控える。
【０１０７】
[0137]ＵＬ許可６０５は複数のリソースを識別し得る。たとえば、ＵＬ許可６０５は、ＵＬデータ６１５の送信のために使用され得るいくつかの異なる時間および周波数リソースを識別し得る。ＵＥ１１５−ｈが、リソースのうちの１つ中の媒体へのアクセスを獲得することに失敗した場合、ＵＥ１１５−ｈはＤＬデータ５１５を送信しない。ＵＥ１１５−ｈがリソースのうちの１つ中の媒体へのアクセスを獲得した場合、ＵＥ１１５−ｈはＵＬデータ６１５を送る。
【０１０８】
[0138]代替的に、ＵＬ許可６０５は、ＵＬ許可６０５が有効である持続時間を示し得る。ＵＥ１１５−ｈが、ＵＬ許可６０５が有効である時間中に媒体へのアクセスを獲得した場合、ＵＥ１１５−ｈは、ＳＣｅｌｌ上のｅＣＣ上でＵＬデータ６１５を送信する。ＵＥ１１５−ｈが、ＵＬ許可６０５が有効である時間中に媒体へのアクセスを獲得することに失敗した場合、ＵＥ１１５−ｈはＵＬデータ６１５を送信しない。
【０１０９】
[0139]基地局１０５−ｇは、ＵＬデータ６１５に応答してＰＣｅｌｌ上でＤＬ  ＡＣＫ／ＮＡＣＫ６２０を送り得る。
【０１１０】
[0140]図７に、本開示の様々な態様による、セカンダリＣＣ（たとえば、ＳＣｅｌｌなど）として構成されたｅＣＣのためのＬＴＥ  ＰＣｅｌｌを介して提供されたＨＡＲＱフィードバックを示すタイミング図７００を示す。タイミング図７００は、ＬＴＥ  ＰＣｅｌｌ  ＣＣ２２５−ｅ上で提供されるｅＣＣ２３０−ａのためのＨＡＲＱフィードバックを示す。ＬＴＥ  ＰＣｅｌｌ  ＣＣ２２５−ｅおよびｅＣＣ２３０−ａは、それぞれ、たとえば、図２Ａおよび図２ＢのＬＴＥ  ＰＣｅｌｌ２２５およびｅＣＣ２３０であり得る。
【０１１１】
[0141]ＰＣｅｌｌサブフレーム７１０−ａ中に、ＵＥ１１５は、ｅＣＣ２３０−ａ上での送信を介して１つまたは複数のコードブロックを受信し得、ここで、各コードブロックは、別々に符号化（たとえば、ターボコード化、畳み込みコード化など）される。タイミング図７００では、ＵＥ１１５は、Ｎ個のコードブロックを含む第１の送信７５０−ａと、Ｍ個のコードブロックを含む第２の送信７５０−ｂとを受信する。
【０１１２】
[0142]ＵＥ１１５は、サブフレーム７１０−ａ中に完了した送信のためのＨＡＲＱフィードバックを提供するためのフィードバックサブフレーム７１０−ｂを識別し得る。ＦＤＤ  ＰＣｅｌｌの場合、フィードバックサブフレーム７１０−ｂは、サブフレーム７１０−ａからの固定オフセットを使用して識別され得る。たとえば、ｋが、ｅＣＣ上での送信がその間に完了したサブフレーム７１０−ａである場合、サブフレーム７１０−ｂは、サブフレームｋ＋ｎECCとして識別され得る。ＬＴＥ  ＣＣ（たとえば、ＬＴＥ  ＰＣｅｌｌ、またはＬＴＥフレーム構造を使用する他のＣＣ）を介して受信された送信の場合、フィードバックはサブフレームｋ＋４において提供され得る。しかしながら、ｅＣＣは、ＬＴＥフレーム構造よりも短いシンボル持続時間と、概して低いレイテンシとを有し得るので、ｅＣＣのためのＨＡＲＱフィードバックは、ｎECC＝２またはｎECC＝３など、より低いオフセットを提供され得る。オフセットｎECCは、ｅＣＣがＵＥ１１５のために構成される時間に構成され得るｅＣＣの特性（たとえば、シンボル持続時間、ＴＴＩ持続時間など）に依存し得る。
【０１１３】
[0143]ＵＥ１１５は、サブフレーム７１０−ｂ中で送信７５０−ａおよび７５０−ｂのためのブロックＡＣＫ／ＮＡＣＫ情報を送信し得る。たとえば、ＵＥ１１５は、送信７５０−ａおよび７５０−ｂの各コードブロックについて、１ビットＡＣＫ／ＮＡＣＫ値を送信し得る。したがって、ＵＥ１１５は、サブフレーム７１０−ｂ中でＮ＋ＭビットのＡＣＫ／ＮＡＣＫ情報を送信し得る。ＵＥ１１５は、制御チャネル送信（たとえば、ＰＵＣＣＨ）においてブロックＡＣＫ／ＮＡＣＫ情報を送り得る。たとえば、ＵＥ１１５は、最高２０ＨＡＲＱ  ＡＣＫ／ＮＡＣＫビットを搬送し得るＰＵＣＣＨフォーマット３を使用して、ブロックＡＣＫ／ＮＡＣＫ情報を送信し得る。
【０１１４】
[0144]ＴＤＤ  ＰＣｅｌｌの場合、フィードバックサブフレーム７１０−ｂは、サブフレーム７１０−ａから固定オフセット後の第１の利用可能なアップリンクサブフレームとして識別され得る。たとえば、ｋが、ｅＣＣ上での送信がその間に完了したサブフレーム７１０−ａである場合、サブフレーム７１０−ｂは、ｋ’≧ｋ＋ｎECCを満たす第１の利用可能なサブフレームｋ’として識別され得る。
【０１１５】
[0145]図８に、本開示の様々な態様による、セカンダリＣＣ（たとえば、ＳＣｅｌｌなど）として構成されたｅＣＣのためのＬＴＥ  ＴＤＤ  ＰＣｅｌｌを介して提供されたＨＡＲＱフィードバックを示すタイミング図８００を示す。タイミング図８００は、ＬＴＥ  ＴＤＤ  ＰＣｅｌｌ  ＣＣ２２５−ｆ上で提供されるｅＣＣ２３０−ｂのためのＨＡＲＱフィードバックを示す。ＬＴＥ  ＴＤＤ  ＰＣｅｌｌ  ＣＣ２２５−ｆおよびｅＣＣ２３０−ｂは、それぞれ、たとえば、図２Ａおよび図２ＢのＬＴＥ  ＰＣｅｌｌ２２５およびｅＣＣ２３０であり得る。
【０１１６】
[0146]タイミング図８００は、ＬＴＥ  ＴＤＤ  ＰＣｅｌｌ２２５−ｆが、ＴＤＤ  ＵＬ−ＤＬ構成１において構成され、ｎECC＝３である、ｅＣＣ２３０−ｂのためのＨＡＲＱタイミングを示す。したがって、ｅＣＣ２３０−ｂを介して受信された送信のためのＨＡＲＱフィードバックは、ｋ’≧ｋ＋３を満たす第１の利用可能なサブフレームｋ’中で送られ得る。たとえば、ＬＴＥサブフレーム０中で完了したｅＣＣ２３０−ｂを介して受信された送信は、アップリンクサブフレーム３中で送られ得、ＬＴＥサブフレーム１中で受信された送信は、アップリンクサブフレーム７中で送られ得る。
【０１１７】
[0147]いくつかの場合には、ｅＣＣのためのブロックＡＣＫ／ＮＡＣＫフィードバックは、ＬＴＥ  ＰＣｅｌｌのアップリンク制御チャネルの容量を超え得る。たとえば、シングルＰＵＣＣＨフォーマット３は、最高２０ＨＡＲＱフィードバックビットを搬送することができる。ＡＣＫ／ＮＡＣＫビットの数がＰＵＣＣＨペイロードの容量を超える場合、送信されるべきビット数を低減するために、バンドリングが実行され得る。空間バンドリングが最初に実行され得、ビット数が、依然として制御チャネルの容量を超える場合、コードブロックバンドリングが実行され得る。
【０１１８】
[0148]図９に、本開示の様々な態様による、セカンダリＣＣ（たとえば、ＳＣｅｌｌなど）として構成されたｅＣＣのためのＬＴＥ  ＰＣｅｌｌを介して提供されたＨＡＲＱフィードバックを示すタイミング図９００を示す。タイミング図９００は、ＬＴＥ  ＰＣｅｌｌ  ＣＣ２２５−ｇ上で提供されるｅＣＣ２３０−ｃのためのＨＡＲＱフィードバックを示す。ＬＴＥ  ＰＣｅｌｌ  ＣＣ２２５−ｇおよびｅＣＣ２３０−ｃは、それぞれ、たとえば、図２Ａおよび図２ＢのＬＴＥ  ＰＣｅｌｌ２２５およびｅＣＣ２３０であり得る。
【０１１９】
[0149]タイミング図９００では、送信９５０−ａ、９５０−ｂ、９５０−ｃおよび９５０−ｄは、ｅＣＣ２３０−ｃを介して受信され得、サブフレームｋ中で完了され得る。送信９５０の各々は、１つまたは複数のコードブロックを含み得、１つまたは複数の空間ストリームを含み得る。たとえば、送信９５０−ａは、２つの空間ストリーム中にＡ＊２個のコードブロックを含み得、送信９５０−ｂは、２つの空間ストリーム中にＢ＊２個のコードブロックを含み得、送信９５０−ｃは、２つの空間ストリーム中にＣ＊２個のコードブロックを含み得、送信９５０−ｃは、２つの空間ストリーム中にＣ＊２個のコードブロックを含み得る。ＵＥ１１５は、サブフレームｋ中でｅＣＣ２３０−ｃを介して受信されたコードブロックの総数が、アップリンク制御チャネルの容量を超える（たとえば、ＰＵＣＣＨフォーマット３によって搬送され得るより２０ビットを超えるなど）と決定し得る。
【０１２０】
[0150]ＵＥ１１５は、最初に、サブフレームｋ＋ｎECC中で送信されるべきＡＣＫ／ＮＡＣＫビットの数を低減するために、空間バンドリングを実行し得る。たとえば、ＵＥ１１５は、論理的に２つの空間ストリームからのＡＣＫ／ＮＡＣＫ情報の論理積をとり、それにより、合計Ａ＋Ｂ＋Ｃ＋Ｄ  ＡＣＫ／ＮＡＣＫビットが生じ得る。Ａ＋Ｂ＋Ｃ＋Ｄがアップリンク制御チャネルの容量よりも小さいかまたはそれに等しい場合、ＵＥ１１５は、サブフレームｋ＋ｎECC中で、空間的にバンドルされたＡＣＫ／ＮＡＣＫ情報をフィードバックし得る。たとえば、ＡＣＫ／ＮＡＣＫ情報９６０−ａ、９６０−ｂ、９６０−ｃ、および９６０−ｄは、それぞれ、ＡＣＫ／ＮＡＣＫ情報のＡ、Ｂ、Ｃ、およびＤビットを含み得、サブフレームｋ＋ｎECC中の制御チャネル送信においてジョイントコーディングされ得る。
【０１２１】
[0151]空間バンドリングの後に、ＡＣＫ／ＮＡＣＫビットの総数（たとえば、Ａ＋Ｂ＋Ｃ＋Ｄなど）が、依然としてアップリンク制御チャネルの容量を超える場合、ＵＥ１１５は、ブロックＡＣＫ／ＮＡＣＫ情報のコードブロックバンドリングを実行し得る。たとえば、ＡＣＫ／ＮＡＣＫ情報９６０−ａのシングルビットは、送信９５０−ａ中で受信されたＡ＊２個のコードブロックのためのブロックＡＣＫ／ＮＡＣＫ情報のＡＮＤ演算に基づいて決定され得る。同様に、ＡＣＫ／ＮＡＣＫ情報のシングルビット９６０−ｂ、９６０−ｃ、および９６０−ｄが、送信９５０−ｂ、９５０−ｃ、および９５０−ｄのために生成され得る。ＵＥは、サブフレームｋ＋ｎECC中で（またはＬＴＥ  ＴＤＤ  ＰＣｅｌｌのためのｋ＋ｎECCの後の第１の利用可能なアップリンクサブフレーム中でＬＴＥ  ＰＣｅｌｌ２２５−ｇのためのアップリンク制御チャネルを介してＮ＋Ｍビットを送り得る。送信９５０−ｅは、サブフレームｋ中で開始されるが、サブフレームｋ＋１まで完了ないことがあり、したがって、送信９５０−ｅのためのＨＡＲＱフィードバックは、異なるフィードバックサブフレーム（たとえば、サブフレームｋ＋１＋ｎECCなど）中で提供され得る。
【０１２２】
[0152]いくつかの実施形態では、ｅＣＣ上で受信された送信に関連するダウンリンク許可は、報告されたＨＡＲＱフィードバック内のＡＣＫ／ＮＡＣＫマッピングあいまいさを解決するために、インデックス情報を含み得る。たとえば、各送信９５０についてのダウンリンク許可は、ダウンリンク許可に関連するインデックス（たとえば、トランスポートブロックインデックス）、または許可に関連する送信の各コードブロックについてのインデックス（たとえば、コードブロックインデックス）を提供し得る。ダウンリンク許可がＵＥ１１５によって受信されない場合、ＵＥ１１５は、受信されたインデックス中のギャップによってダウンリンク許可の損失を検出し得る。ダウンリンクインデックス情報は、ＨＡＲＱフィードバック中で暗黙的にまたは明示的に示され得る。たとえば、コードブロックインデックス付けは暗黙的インデックス情報を使用し得、ここで、コードブロックＡＣＫ／ＮＡＣＫビットの順序はコードブロックインデックス情報に従う。ＵＥは、ダウンリンク許可が失われた送信の各コードブロックについてＮＡＣＫビットをフィードバックし得る。トランスポートブロックインデックス付けが使用されるとき、ＵＥは、ＡＣＫ／ＮＡＣＫフィードバック情報がいずれの許可に対応するかの明示的インジケーションを含み得る。たとえば、許可インデックスは固定数のビット（たとえば、２つ、３つ、４つなど）であり得、ＨＡＲＱフィードバック中の所与の許可のためのＡＣＫ／ＮＡＣＫビットの各セットは、対応する許可インデックスによって先行され得る。したがって、ＵＥ１１５は、順序が狂ったインデックスとともに受信されたトランスポートブロックのためのＨＡＲＱフィードバックを送信し得、ｅＮＢ１０５は、許可のためのＨＡＲＱフィードバック情報が消失した場合、許可が失われたと決定することができる。
【０１２３】
[0153]いくつかの実施形態では、複数のアップリンク制御チャネルリソースが構成され得、ｅＣＣのためのＨＡＲＱフィードバックは、同じサブフレーム中で複数の制御チャネル送信を使用して提供され得る。図１０に、本開示の様々な態様による、セカンダリＣＣ（たとえば、ＳＣｅｌｌなど）として構成されたｅＣＣのためのＬＴＥ  ＰＣｅｌｌを介して提供されたＨＡＲＱフィードバックを示すタイミング図１０００を示す。タイミング図１０００は、ＬＴＥ  ＰＣｅｌｌ  ＣＣ２２５−ｈ上で提供されるｅＣＣ２３０−ｄのためのＨＡＲＱフィードバックを示す。ＬＴＥ  ＰＣｅｌｌ  ＣＣ２２５−ｈおよびｅＣＣ２３０−ｄは、それぞれ、たとえば、図２Ａおよび図２ＢのＬＴＥ  ＰＣｅｌｌ２２５およびｅＣＣ２３０であり得る。
【０１２４】
[0154]タイミング図１０００では、送信１０５０−ａおよび１０５０−ｂは、ｅＣＣ２３０−ｄを介して受信され得、サブフレームｋ中で完了され得る。送信１０５０の各々は、１つまたは複数のコードブロックを含み得、１つまたは複数の空間ストリームを含み得る。たとえば、送信１０５０−ａは、Ｓ個の空間ストリーム中にＮ個のコードブロックを含み得、送信１０５０−ｂは、Ｓ個の空間ストリーム中にＭ個のコードブロックを含み得る。
【０１２５】
[0155]ＵＥ１１５は、セカンダリＣＣのためのＨＡＲＱフィードバックを報告するための複数のアップリンク制御チャネルリソースで構成され得る。たとえば、ＵＥ１１５は、アップリンク制御チャネルリソースＲ１  １０２０−ａとアップリンク制御チャネルリソースＲ２  １０２０−ｂとで（たとえば、ＲＲＣシグナリングなどを介して）構成され得る。複数のアップリンク制御チャネルリソースは特定のＰＵＣＣＨフォーマットに関連し得る。たとえば、ＵＥ１１５は、ＰＵＣＣＨフォーマット３に関連する複数
【０１２６】
【数１】
0006651531.tif 000003
【０１２７】
個のリソースで構成され得る。
【０１２８】
[0156]いくつかの実施形態では、複数の構成されたリソースのうちのいずれを使用すべきかの識別は、ダウンリンク許可において提供され得る。たとえば、ダウンリンク許可は、ＨＡＲＱアップリンク制御チャネルリソースインデックスを示し得、ダウンリンク許可に関連する送信のためのＨＡＲＱフィードバックは、指定されたインデックスに従うものであり得る。タイミング図１０００では、送信１０５０−ａのためのダウンリンク許可は、（１）のＨＡＲＱアップリンク制御チャネルリソースインデックスを指定し得、送信１０５０−ｂのためのダウンリンク許可は、（２）のＨＡＲＱアップリンク制御チャネルリソースインデックスを指定し得る。したがって、送信１０５０−ａのためのＡＣＫ／ＮＡＣＫ情報１０６０−ａは、アップリンク制御チャネルリソースＲ１  １０２０−ａ上での第１のアップリンク制御チャネル送信において提供され得、送信１０５０−ｂのためのＡＣＫ／ＮＡＣＫ情報１０６０−ｂは、アップリンク制御チャネルリソースＲ２  １０２０−ｂ上での第２の別個のアップリンク制御チャネル送信において提供され得る。第１および第２のアップリンク制御チャネル送信の各々は、たとえば、別個のシングルキャリア波形（たとえば、ＰＵＣＣＨフォーマット３送信など）であり得る。
【０１２９】
[0157]追加または代替として、ｅＣＣ２３０−ｄのためのＨＡＲＱフィードバックを提供するために使用するアップリンク制御チャネルリソースは、ＨＡＲＱフィードバックがフィードバックサブフレーム中で提供されるコードブロックの総数に基づいて決定され得る。たとえば、ＵＥ１１５は、サブフレームｋ中でｅＣＣ２３０−ｄを介して受信された送信のためのブロックＡＣＫ／ＮＡＣＫを提供するためのコードブロックの総数が、アップリンク制御チャネル上での単一の制御チャネル送信の容量を超えると決定し得る。ＵＥ１１５は、サブフレームｋ中でｅＣＣ２３０−ｄを介して受信された送信のためのブロックＡＣＫ／ＮＡＣＫフィードバックを提供するための複数の構成されたアップリンク制御チャネルリソースを使用し得る。たとえば、ＵＥ１１５は、送信１０５０−ａのためのＮビットのブロックＡＣＫ／ＮＡＣＫ情報１０６０−ａと、送信１０５０−ｂのためのＭビットのブロックＡＣＫ／ＮＡＣＫ情報１０６０−ｂとを生成し得る。ＵＥ１１５は、アップリンク制御チャネルリソース１０２０−ａ上で第１のアップリンク制御チャネル送信において送るためのブロックＡＣＫ／ＮＡＣＫ情報１０６０−ａをジョイント符号化および処理し得、アップリンク制御チャネルリソース１０２０−ｂ上で第２のアップリンク制御チャネル送信において送るためのブロックＡＣＫ／ＮＡＣＫ情報１０６０−ｂをジョイント符号化および処理し得る。ＵＥ１１５は、サブフレームｋ＋ｎECC中で第１の送信と第２の送信の両方を送信し得る。第１および第２のアップリンク制御チャネル送信の各々は、たとえば、別個のシングルキャリア波形（たとえば、ＰＵＣＣＨフォーマット３送信など）であり得る。
【０１３０】
[0158]アップリンク制御チャネルリソース１０２０−ａおよび１０２０−ｂは、論理リソース（たとえば、
【０１３１】
【数２】
0006651531.tif 000004
【０１３２】
個のリソースなど）を示し得る。送信のために使用される物理リソースは、アップリンクキャリアの論理リソースおよび特性（たとえば、キャリア帯域幅など）から決定され得る。したがって、論理リソース１０２０は、サブフレーム内で変動し得る（たとえば、スロットにわたってホッピングするなど）物理リソースにマッピングされ得る。
【０１３３】
[0159]いくつかの実施形態では、アップリンクデータチャネル（たとえば、ＰＵＳＣＨなど）は、アップリンクデータチャネル上での送信がスケジュールされるときはいつでも、構成されたｅＣＣのためのフィードバックを提供するために使用され得る。たとえば、ｅＣＣのためのＨＡＲＱフィードバックを提供するためのフィードバックサブフレームは、上記で説明されたように決定され得る。ＰＵＳＣＨ送信がフィードバックサブフレームのためにスケジュールされる場合、ｅＣＣに関連するＡＣＫ／ＮＡＣＫ情報は、ＰＵＳＣＨ上でのデータ送信と多重化され得る。ｅＣＣを介して受信されたコードブロックのための完全なブロックＡＣＫ／ＮＡＣＫ情報は、データ送信と多重化され得る（たとえば、バンドリングは実行されない）。いくつかの場合には、ｅＣＣのためのＨＡＲＱフィードバックは、他のキャリアのための他のＨＡＲＱフィードバックがアップリンク制御チャネルを介して提供される場合でも、アップリンクデータチャネル上で送信され得る。たとえば、ＵＥ１１５は、同時アップリンク制御チャネルおよびデータチャネル送信を提供するために構成され得、同じサブフレーム中でアップリンクデータチャネルを介してｅＣＣのためのフィードバックを提供しながら、アップリンク制御チャネル上でＰＣｅｌｌ（または別のＳＣｅｌｌ）を介して受信された送信のためのＡＣＫ／ＮＡＣＫ情報をフィードバックし得る。
【０１３４】
[0160]いくつかの実施形態では、非周期ＣＳＩは、ＰＣｅｌｌ上の許可によって、またはｅＣＣ上の許可によってトリガされ得る。図１１に、本開示の様々な態様による、セカンダリＣＣ（たとえば、ＳＣｅｌｌなど）として構成されたｅＣＣのためのＣＳＩフィードバックを示すタイミング図１１００を示す。タイミング図１１００は、ＬＴＥ  ＰＣｅｌｌ２２５−ｉおよびｅＣＣ２３０−ｅで構成されたＵＥ１１５のためのＣＳＩフィードバックを示す。ＬＴＥ  ＰＣｅｌｌ２２５−ｉおよびｅＣＣ２３０−ｄは、それぞれ、たとえば、図２Ａおよび図２ＢのＬＴＥ  ＰＣｅｌｌ２２５およびｅＣＣ２３０であり得る。図１１に示されているＬＴＥ  ＰＣｅｌｌ２２５−ｉは、ＦＤＤ  ＰＣｅｌｌであり得、ダウンリンクＣＣ１１２５−ａとアップリンクＣＣ１１２５−ｂとを含み得る。しかしながら、ＬＴＥ  ＰＣｅｌｌ２２５−ｉは、いくつかの場合には、ＴＤＤ  ＰＣｅｌｌでもあり得る。
【０１３５】
[0161]ｅＣＣ２３０−ｅのための非周期ＣＳＩは、非周期ＣＳＩ報告をトリガするセル上で送信され得る。たとえば、ＵＥ１１５は、（たとえば、ＰＣｅｌｌ２２５−ｉ上で受信された許可内で）第１の非周期ＣＳＩトリガ１１４０−ａを受信し得、ＰＣｅｌｌ２２５−ｉ上で非周期ＣＳＩ報告１１４５−ａをフィードバックし得る。ＵＥ１１５は、（たとえば、ｅＣＣ２３０−ｅ上で受信された許可内で）第２の非周期ＣＳＩトリガ１１４０−ｂを受信し得、ｅＣＣ２３０−ｂ上で非周期ＣＳＩ報告１１４５−ｂをフィードバックし得る。代替的に、非周期ＣＳＩは、どのセルが非周期ＣＳＩ報告をトリガしたかにかかわらず、ＰＣｅｌｌ２２５−ｉ上で送信され得る。
【０１３６】
[0162]図１２に、本開示の様々な態様による、ワイヤレス通信において使用するためのデバイス１２０５のブロック図１２００を示す。デバイス１２０５は、図１〜図１１を参照しながら説明されたＵＥ１１５の１つまたは複数の態様の一例であり得る。デバイス１２０５は、ＵＥ受信機１２１０、ＵＥ  ｅＣＣ制御情報構成要素１４５−ａ、および／またはＵＥ送信機１２２０を含み得る。デバイス１２０５はまた、プロセッサであるか、またはプロセッサを含み得る。これらの構成要素の各々は互いと通信していることがある。
【０１３７】
[0163]デバイス１２０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１３８】
[0164]ＵＥ受信機１２１０は、パケット、ユーザデータ、および／または様々な情報チャネルに関連する制御情報（たとえば、制御チャネル、データチャネル、非スタンドアロン拡張コンポーネントキャリアのためのＨＡＲＱおよびＣＳＩフィードバックに関する情報など）などの情報を受信し得る。ＵＥ受信機１２１０は、ｅＣＣ通信のＳＣｅｌｌ上でＤＬデータを受信するように構成され得る。ＵＥ受信機１２１０はまた、ｅＣＣ通信のＰＣｅｌｌ上でＤＬ制御情報を受信するように構成され得る。制御情報は、ＤＬ  ＡＣＫ／ＮＡＣＫ、ＣＳＩ、ＤＬ許可、ＵＬ許可、または他のタイプの制御情報であり得る。情報は、ＵＥ  ｅＣＣ制御情報構成要素１４５−ａに、およびデバイス１２０５の他の構成要素に受け渡され得る。いくつかの例では、受信機１２１０は、非周期ＣＳＩフィードバックのためのトリガを備える許可を受信し得る。
【０１３９】
[0165]ＵＥ  ｅＣＣ制御情報構成要素１４５−ａは、ＰＣｅｌｌ上でＵＥ受信機１２１０によって受信された制御情報を解釈し得る。ＵＥ  ｅＣＣ制御情報構成要素１４５−ａはまた、ＣＳＩ、ＵＬ  ＡＣＫ／ＮＡＣＫ、または他のタイプの制御情報など、ＵＬへの制御情報を決定し得る。ＵＥ  ｅＣＣ制御情報構成要素１４５−ａは、ＰＣｅｌｌ上でＵＥ送信機によって送信されるべき制御情報をフォーマットする。ＵＥ  ｅＣＣ制御情報構成要素１４５−ａは、情報を送るために、ＰＣｅｌｌのＰＵＣＣＨまたはＰＵＳＣＨなど、ＰＣｅｌｌの適切なチャネルを選択し得る。ＵＥ  ｅＣＣ制御情報構成要素１４５−ａは、制御情報のタイプ、チャネル状態、またはいくつかの他の考慮事項に少なくとも部分的に基づいて、適切なチャネルを選択し得る。ＵＥ  ｅＣＣ制御情報構成要素１４５−ａはまた、ＰＣｅｌｌおよびＳＣｅｌｌを備えるマルチキャリア構成を識別し、ＳＣｅｌｌはｅＣＣを備え、ＳＣｅｌｌのｅＣＣ（たとえば、各々が１つまたは複数のコードブロックをもつ、１つまたは複数のスケジュールされたトランスポートブロックなど）上で受信された複数のコードブロックのためのＡＣＫ／ＮＡＣＫフィードバック情報を識別し、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別し、識別されたフィードバックサブフレーム中でＰＣｅｌｌを介してＡＣＫ／ＮＡＣＫフィードバック情報を送信し得る。
【０１４０】
[0166]ＵＥ送信機１２２０は、デバイス１２０５の他の構成要素から受信された１つまたは複数の信号を送信し得る。ＵＥ送信機１２２０は、ｅＣＣ通信のＰＣｅｌｌ上でＵＥ  ｅＣＣ制御情報構成要素１４５−ａから制御情報を送信し得る。いくつかの例では、ＵＥ送信機１２２０は、ＵＥトランシーバにおいてＵＥ受信機１２１０とコロケートされ得る。
【０１４１】
[0167]ＵＥ  ｅＣＣ制御情報構成要素１４５−ａからの命令に従って、ＵＥ送信機１２２０は、ＰＣｅｌｌのＰＵＣＣＨまたはＰＵＳＣＨ上で制御情報を送信し得る。送信機１２２０は単一のアンテナを含み得るか、またはそれは複数のアンテナを含み得る。いくつかの例では、送信機１２２０は、識別されたフィードバックサブフレーム中でＰＣｅｌｌを介してＡＣＫ／ＮＡＣＫフィードバック情報を送信し得る。いくつかの例では、ＡＣＫ／ＮＡＣＫフィードバック情報を送信することは、複数のＰＵＣＣＨリソースを使用して複数のＰＵＣＣＨ送信を送信することを含む。いくつかの例では、送信機１２２０は、複数のＰＵＣＣＨ送信の各々において、ＳＣｅｌｌのための複数のスケジュールされたトランスポートブロックのうちのそれぞれのトランスポートブロックのためのＡＣＫ／ＮＡＣＫフィードバック情報を別々に送信し得る。いくつかの例では、識別されたフィードバックサブフレーム中でＰＣｅｌｌを介してＡＣＫ／ＮＡＣＫフィードバック情報を送信することは、スケジュールされたＰＵＳＣＨ送信を使用してＡＣＫ／ＮＡＣＫフィードバック情報を送信することを含む。いくつかの例では、送信機１２２０は、識別されたフィードバックサブフレーム中でＰＵＣＣＨ上で第２のＡＣＫ／ＮＡＣＫフィードバック情報を送信し得る。
【０１４２】
[0168]図１３に、様々な例による、ワイヤレス通信において使用するためのデバイス１２０５−ａのブロック図１３００を示す。デバイス１２０５−ａは、図１〜図１１を参照しながら説明されたＵＥ１１５の１つまたは複数の態様の一例であり得る。デバイス１２０５−ａはまた、図１２を参照しながら説明されたデバイス１２０５の一例であり得る。デバイス１２０５−ａは、ＵＥ受信機１２１０−ａ、ＵＥ  ｅＣＣ制御情報構成要素１４５−ｂ、またはＵＥ送信機１２２０−ａを含み得、それらは、デバイス１２０５の対応するモジュールの例であり得る。デバイス１２０５−ａはプロセッサをも含み得る。これらの構成要素の各々は互いと通信していることがある。ＵＥ  ｅＣＣ制御情報構成要素１４５−ｂは、ＵＥ  ＡＣＫ／ＮＡＣＫ構成要素１３０５と、ＵＥ  ＣＳＩ構成要素１３１０と、ＵＥ許可構成要素１３１５と、ｅＣＣフィードバック構成要素１３２０とを含み得る。ＵＥ受信機１２１０−ａおよびＵＥ送信機１２２０−ａは、それぞれ、図１２のＵＥ受信機１２１０およびＵＥ送信機１２２０の機能を実行し得る。
【０１４３】
[0169]ＵＥ  ＡＣＫ／ＮＡＣＫ構成要素１３０５は、基地局１０５など、基地局から送られたＤＬデータに基づいて、ＵＬへの肯定応答メッセージまたは否定応答メッセージを決定し得る。ＵＥ  ＡＣＫ／ＮＡＣＫ構成要素１３０５はまた、ＰＣｅｌｌ上でＵＥ受信機１２１０−ａにおいて受信された、受信されたＤＬ  ＡＣＫ／ＮＡＣＫメッセージを解釈し得る。たとえば、ＵＥ  ＡＣＫ／ＮＡＣＫ構成要素１３０５は、デバイス１２０５−ａならびに少なくとも１つの他のデバイスを対象とするＰＣｅｌｌ上で受信されたＤＬブロックＡＣＫ／ＮＡＣＫメッセージを解釈し得る。ＵＥ  ＡＣＫ／ＮＡＣＫ構成要素１３０５はまた、複数のｅＣＣ  ＤＬデータからのＡＣＫ／ＮＡＣＫを単一のフィードバックブロックにアグリゲートし得る。さらに、ＵＥ  ＡＣＫ／ＮＡＣＫ構成要素１３０５は、ＵＬ  ＡＣＫ／ＮＡＣＫメッセージを送信するために、ＵＥ送信機１２２０−ａのためのＰＣｅｌｌのＰＵＣＣＨまたはＰＵＳＣＨを選択し得る。
【０１４４】
[0170]ＵＥ  ＣＳＩ構成要素１３１０は、ＵＥ受信機１２１０−ａにおいて受信されたＤＬデータに基づいて、ＳＣｅｌｌのためのＣＳＩ情報を決定し得る。いくつかの例では、ＵＥ  ＣＳＩ構成要素１３１０は、ＰＣｅｌｌ上でＵＥ受信機１２１０−ａにおいて受信されたＣＳＩ情報を解釈し得る。さらに、ＵＥ  ＣＳＩ構成要素１３１０は、ＣＳＩフィードバックを送信するために、ＵＥ送信機１２２０−ａのためのＰＣｅｌｌのＰＵＣＣＨまたはＰＵＳＣＨを選択し得る。
【０１４５】
[0171]ＵＥ許可構成要素１３１５は、ＵＥ送信機１２２０−ａがｅＣＣ上でＵＬデータ送信を実行するためのリソースを示す、ＵＥ受信機１２１０−ａによって受信されたＵＬ許可を解釈する。ＵＬ許可は、ＵＬデータが潜在的に送られ得る媒体上で、いくつかの送信時間、ＵＬ許可の満了時間、または周波数リソースのうちの１つまたは複数を示し得る。いくつかの例では、周波数リソースはｅＣＣ  ＳＣｅｌｌ上にある。
【０１４６】
[0172]ＵＥ許可構成要素１３１５はまた、デバイス１２０５−ａが、ＵＬ許可中で識別された媒体へのアクセスを獲得したかどうかに基づいて、デバイス１２０５−ａが何のアクションを取るべきであるかを決定する。デバイス１２０５−ａがリソースのうちの１つ中の媒体へのアクセスを獲得した場合、ＵＥ送信機１２２０−ａはＵＬデータを送る。デバイス１２０５−ａが時間内に媒体へのアクセスを獲得しなかった場合、ＵＬ許可構成要素１３１５は、ＵＬデータを送信することを控えるようにＵＥ送信機１２２０−ａに命令するか、またはＵＥ送信機１２２０−ａにＵＬデータをまったく提供しない。
【０１４７】
[0173]ｅＣＣフィードバック構成要素１３２０は、ＰＣｅｌｌおよびＳＣｅｌｌを備えるマルチキャリア構成を識別し、ＳＣｅｌｌはｅＣＣを備え、ＳＣｅｌｌのｅＣＣ（たとえば、各々が１つまたは複数のコードブロックをもつ、１つまたは複数のスケジュールされたトランスポートブロックなど）上で受信された複数のコードブロックのためのＡＣＫ／ＮＡＣＫフィードバック情報を識別し、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別し、識別されたフィードバックサブフレーム中でＰＣｅｌｌを介してＡＣＫ／ＮＡＣＫフィードバック情報を送信し得る。いくつかの例では、ＰＣｅｌｌは、ダウンリンクプライマリコンポーネントキャリアとＦＤＤアップリンクプライマリコンポーネントキャリアとを含む。フィードバックサブフレームは、ｅＣＣ上で受信された１つまたは複数のコードブロックの送信が完了したＰＣｅｌｌのサブフレームからの所定のオフセットを有し得る。いくつかの例では、ＰＣｅｌｌはＴＤＤコンポーネントキャリアを含み得る。フィードバックサブフレームは、ｅＣＣ上で受信された１つまたは複数のコードブロックの送信が完了したＰＣｅｌｌのサブフレームからの所定のオフセットの後のＴＤＤコンポーネントキャリアの第１のアップリンクサブフレームであり得る。
【０１４８】
[0174]図１４に、本開示の様々な態様による、非スタンドアロン拡張コンポーネントキャリアのためのＨＡＲＱおよびＣＳＩフィードバックのために構成されたｅＣＣフィードバック構成要素１３２０−ａのブロック図１４００を示す。ｅＣＣフィードバック構成要素１３２０−ａは、図１２〜図１３のワイヤレスデバイス１２０５またはワイヤレスデバイス１３０５の構成要素であり得る。ｅＣＣフィードバック構成要素１３２０−ａは、図１３を参照しながら説明されたｅＣＣフィードバック構成要素１３２０の態様の一例であり得る。ｅＣＣフィードバック構成要素１３２０−ａは、ＣＡ構成モジュール１４０５と、ｅＣＣデコーダモジュール１４１０と、ｅＣＣ  ＨＡＲＱフィードバックモジュール１４１５とを含み得る。ｅＣＣフィードバック構成要素１３２０−ａは、ＨＡＲＱ符号化モジュール１４２０と、ｅＣＣ許可インデックスモジュール１４２５と、ＨＡＲＱフィードバックリソースモジュール１４３０と、ＰＣｅｌｌデータモジュール１４３５と、補助デコーダモジュール１４４０と、ｅＣＣ  ＣＳＩフィードバックモジュール１４４５とをも含み得る。
【０１４９】
[0175]ＣＡ構成モジュール１４０５は、ＰＣｅｌｌおよび少なくとも１つのＳＣｅｌｌを備えるマルチキャリア構成を識別し得る。少なくとも１つのＳＣｅｌｌは、図２Ａ〜図１１を参照しながら上記で説明されたように、共有または無認可スペクトルを使用するｅＣＣを含み得る。
【０１５０】
[0176]ｅＣＣデコーダモジュール１４１０は、少なくとも１つのＳＣｅｌｌのｅＣＣ上で受信された複数のコードブロックのためのＡＣＫ／ＮＡＣＫフィードバック情報を識別し得る。複数のコードブロックは、図２Ａ〜図１１を参照しながら上記で説明されたように、複数のスケジュールされたトランスポートブロック中で受信され得る。
【０１５１】
[0177]ｅＣＣ  ＨＡＲＱフィードバックモジュール１４１５は、図２Ａ〜図１１を参照しながら上記で説明されたように、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別し得る。いくつかの例では、ＰＣｅｌｌは、ダウンリンクプライマリコンポーネントキャリアとＦＤＤアップリンクプライマリコンポーネントキャリアとを含む。フィードバックサブフレームは、ｅＣＣ上で受信された１つまたは複数のコードブロックの送信が完了したＰＣｅｌｌのサブフレームからの所定のオフセットを有し得る。いくつかの例では、ＰＣｅｌｌはＴＤＤコンポーネントキャリアを含み得る。フィードバックサブフレームは、ｅＣＣ上で受信された１つまたは複数のコードブロックの送信が完了したＰＣｅｌｌのサブフレームからの所定のオフセットの後のＴＤＤコンポーネントキャリアの第１のアップリンクサブフレームであり得る。
【０１５２】
[0178]ＨＡＲＱ符号化モジュール１４２０は、図２Ａ〜図１１を参照しながら上記で説明されたように、単一のＰＵＣＣＨ送信において送るためのＡＣＫ／ＮＡＣＫフィードバック情報をジョイントコーディングし得る。いくつかの例では、ＰＵＣＣＨ送信は、ＬＴＥ／ＬＴＥ−Ａ  ＰＵＣＣＨフォーマット３送信を備える。ＨＡＲＱ符号化モジュール１４２０はまた、ＡＣＫ／ＮＡＣＫフィードバック情報のＡＣＫ／ＮＡＣＫビットの数が、ＰＵＣＣＨ送信のために使用されるＰＵＣＣＨフォーマットの容量を超えると決定し得る。ＡＣＫ／ＮＡＣＫビットの数がＰＵＣＣＨ容量を超えるとき、ＨＡＲＱ符号化モジュール１４２０は、ジョイント符号化するより前にＡＣＫ／ＮＡＣＫフィードバック情報の１つまたは複数のカテゴリーをバンドルし得、ここにおいて、１つまたは複数のカテゴリーは、異なる空間ストリームに関連するＡＣＫ／ＮＡＣＫフィードバック情報、ＳＣｅｌｌのための複数のスケジュールされたトランスポートブロックのうちのトランスポートブロック内のコードブロックのためのＡＣＫ／ＮＡＣＫフィードバック情報、またはそれらの組合せのいずれかを備える。
【０１５３】
[0179]追加または代替として、ＨＡＲＱフィードバックリソースモジュール１４３０は、図２Ａ〜図１１を参照しながら上記で説明されたように、ＡＣＫ／ＮＡＣＫフィードバック情報の送信のための複数のＰＵＣＣＨリソースを決定し得る。ＡＣＫ／ＮＡＣＫビットの数がＰＵＣＣＨ容量を超えるとき、ＨＡＲＱ符号化モジュール１４２０は別個のＰＵＣＣＨ送信における送信のためのＰＵＣＣＨ変調シンボルの複数のブロックに、ＡＣＫ／ＮＡＣＫフィードバック情報を別々に符号化し得る。
【０１５４】
[0180]ｅＣＣ許可インデックスモジュール１４２５は、図２Ａ〜図１１を参照しながら上記で説明されたように、複数のスケジュールされたトランスポートブロックに関連するダウンリンク許可内のダウンリンク送信インデックス情報を受信し得る。ｅＣＣ許可インデックスモジュール１４２５はまた、順が狂ったインデックスを有するｅＣＣのためのダウンリンク許可を受信することに少なくとも部分的に基づいて、ｅＣＣのための少なくとも１つのダウンリンク許可の送信が失敗したと決定し得る。インデックスは、各ダウンリンク許可またはトランスポートブロックに関連し得るか、または複数のダウンリンク許可に関連する送信の各コードブロックについてのインデックス情報を含み得る。ｅＣＣデコーダモジュール１４１０は、送信されたＡＣＫ／ＮＡＣＫフィードバック情報中で、失敗したｅＣＣのための少なくとも１つのダウンリンク許可のための１つまたは複数のＮＡＣＫビットを送り得る。
【０１５５】
[0181]いくつかの例では、ＡＣＫ／ＮＡＣＫフィードバック情報は、データ送信（たとえば、ＰＵＳＣＨなど）がスケジュールされるとき、ＰＣｅｌｌのデータチャネルにおいて送信され得る。ＰＣｅｌｌデータモジュール１４３５は、図２Ａ〜図１１を参照しながら上記で説明されたように、識別されたフィードバックサブフレームのためにスケジュールされたＰＵＳＣＨ送信を識別し得る。補助デコーダモジュール１４４０は、図２Ａ〜図１１を参照しながら上記で説明されたように、識別されたフィードバックサブフレーム中に送るためのｅＣＣを介して搬送されないダウンリンク送信に関連する第２のＡＣＫ／ＮＡＣＫフィードバック情報を識別し得る。
【０１５６】
[0182]ｅＣＣ  ＣＳＩフィードバックモジュール１４４５は、図２Ａ〜図１１を参照しながら上記で説明されたように、非周期ＣＳＩフィードバックの送信のためのＰＣｅｌｌまたはＳＣｅｌｌのキャリアを決定し得る。いくつかの例では、キャリアを決定することは、許可が受信され得るセル、許可によってスケジュールされ得るセル、またはそれらの組合せのいずれかに少なくとも部分的に基づいて、キャリアを決定することを備える。いくつかの例では、非周期ＣＳＩフィードバックの送信のためのキャリアは、ＰＣｅｌｌのキャリアを備える。
【０１５７】
[0183]ｅＣＣフィードバック構成要素１３２０−ａを含むデバイス１２０５の構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１５８】
[0184]図１５に、様々な例による、ワイヤレス通信において使用するためのシステム１５００を示す。システム１５００は、図１〜図１１のＵＥ１１５の一例であり得るＵＥ１１５−ｉを含み得る。ＵＥ１１５−ｉはまた、図１２〜図１３のデバイス１２０５の１つまたは複数の態様の一例であり得る。
【０１５９】
[0185]ＵＥ１１５−ｉは、概して、通信を送信するための構成要素と通信を受信するための構成要素とを含む、双方向音声およびデータ通信のための構成要素を含み得る。ＵＥ１１５−ｉは、（１つまたは複数の）ＵＥアンテナ１５４０と、ＵＥトランシーバ１５３５と、ＵＥプロセッサ１５０５と、（ソフトウェア（ＳＷ）１５２０を含む）ＵＥメモリ１５１５とを含み得、それらはそれぞれ、（たとえば、１つまたは複数のバス１５４５を介して）直接または間接的に互いに通信し得る。ＵＥトランシーバ１５３５は、上記で説明されたように、（１つまたは複数の）ＵＥアンテナ１５４０あるいは１つまたは複数のワイヤードまたはワイヤレスリンクを介して、１つまたは複数のネットワークと双方向に通信するように構成され得る。たとえば、ＵＥトランシーバ１５３５は、図１〜図１１に関して基地局１０５と双方向に通信するように構成され得る。ＵＥトランシーバ１５３５は、パケットを変調し、変調されたパケットを送信のために（１つまたは複数の）ＵＥアンテナ１５４０に提供し、（１つまたは複数の）ＵＥアンテナ１５４０から受信されたパケットを復調するように構成されたモデムを含み得る。ＵＥ１１５−ｉは単一のアンテナ１５４０を含み得るが、ＵＥ１１５−ｉは、複数のワイヤレス送信を同時に送信および／または受信することが可能な複数のアンテナ１５４０を有し得る。ＵＥトランシーバ１５３５は、複数のコンポーネントキャリアを介して１つまたは複数の基地局１０５と同時に通信することが可能であり得る。ＵＥトランシーバ１５３５は、１つまたは複数のＳＣｅｌｌおよびＰＣｅｌｌ上でのｅＣＣ通信が可能であり得る。
【０１６０】
[0186]ＵＥ１１５−ｉは、図１２〜図１３のデバイス１２０５および図１〜図２ＢのＵＥ１１５ｓのＵＥ  ｅＣＣ制御情報構成要素１４５のための上記で説明された機能を実行し得る、ＵＥ  ｅＣＣ制御情報構成要素１４５−ｃを含み得る。ＵＥ１１５−ｉは、ブロックＡＣＫ／ＮＡＣＫメッセージを分析または生成するためのＵＥブロックＡＣＫ／ＮＡＣＫ構成要素１５２５をも含み得る。いくつかの例では、ＵＥブロックＡＣＫ／ＮＡＣＫ構成要素１５２５は、ＵＥ  ｅＣＣ制御情報構成要素１４５−ｃの一部であり得る。
【０１６１】
[0187]ＵＥ１１５−ｉは、ＵＬ許可中で識別された媒体へのアクセスを獲得することを試みるＵＥ媒体アクセス構成要素１５３０をも含み得る。いくつかの例では、ＵＥ媒体アクセス構成要素１５３０は、ＵＥ  ｅＣＣ制御情報構成要素１４５−ｃの一部であり得る。
【０１６２】
[0188]ＵＥメモリ１５１５は、ランダムアクセスメモリ（ＲＡＭ）および読取り専用メモリ（ＲＯＭ）を含み得る。ＵＥメモリ１５１５は、実行されたとき、ＰＣｅｌｌ上で制御情報を送るまたは受信するための本明細書で説明される様々な機能をＵＥプロセッサ１５０５に実行させるように構成された命令を含んでいるコンピュータ可読、コンピュータ実行可能ソフトウェア／ファームウェアコード１５２０を記憶し得る。代替的に、コンピュータ可読、コンピュータ実行可能ソフトウェア／ファームウェアコード１５２０は、ＵＥプロセッサ１５０５によって直接的に実行可能でないことがあるが、（たとえば、コンパイルされ、実行されたとき）本明細書で説明される機能をコンピュータに実行させるように構成され得る。ＵＥプロセッサ１５０５は、インテリジェントハードウェアデバイス、たとえば、中央処理ユニット（ＣＰＵ）、マイクロコントローラ、ＡＳＩＣなどを含み得る。
【０１６３】
[0189]図１６に、本開示の様々な態様による、ワイヤレス通信において使用するためのデバイス１６０５のブロック図１６００を示す。いくつかの例では、デバイス１６０５は、図１〜図６を参照しながら説明された基地局１０５のうちの１つまたは複数の態様の一例であり得る。いくつかの例では、デバイス１６０５は、ｅＣＣ通信をサポートするＬＴＥ／ＬＴＥ−Ａ  ｅＮＢおよび／またはＬＴＥ／ＬＴＥ−Ａ基地局の一部であるか、またはそれを含み得る。デバイス１６０５はまた、プロセッサであり得る。デバイス１６０５は、基地局受信機１６１０、基地局ｅＣＣ制御情報構成要素１４０−ａ、または基地局送信機１６２０を含み得る。これらの構成要素の各々は互いと通信していることがある。
【０１６４】
[0190]デバイス１６０５の構成要素は、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１６５】
[0191]いくつかの例では、基地局受信機１６１０は、ＳＣｅｌｌ上でＵＬデータを受信し、ＰＣｅｌｌ上でＵＬ制御情報を受信するように動作可能な無線周波数（ＲＦ）受信機など、少なくとも１つのＲＦ受信機を含み得る。基地局受信機１６１０は、図１を参照しながら説明されたワイヤレス通信システム１００の１つまたは複数の通信リンクなど、ワイヤレス通信システムの１つまたは複数の通信リンク上で様々なタイプのデータまたは制御信号（すなわち、送信）を受信するために使用され得る。
【０１６６】
[0192]いくつかの例では、基地局送信機１６２０は、ＳＣｅｌｌ上でＤＬデータを送信し、ＰＣｅｌｌ上でＤＬ制御情報を送信するように動作可能な少なくとも１つのＲＦ送信機など、少なくとも１つのＲＦ送信機を含み得る。基地局送信機１６２０は、図１を参照しながら説明されたワイヤレス通信システム１００の１つまたは複数の通信リンクなど、ワイヤレス通信システムの１つまたは複数の通信リンク上で様々なタイプのデータおよび／または制御信号（すなわち、送信）を送信するために使用され得る。
【０１６７】
[0193]基地局ｅＣＣ制御情報構成要素１４０−ａは、ＰＣｅｌｌ上で基地局受信機１６１０によって受信された制御情報を解釈し得る。基地局ｅＣＣ制御情報構成要素１４０−ａはまた、ＣＳＩ、ＤＬ  ＡＣＫ／ＮＡＣＫ、ＤＬ／ＵＬ許可、または他のタイプの制御情報など、ＤＬへの制御情報を決定し得る。基地局ｅＣＣ制御情報構成要素１４０−ａは、ＰＣｅｌｌ上で基地局送信機１６２０によって送信されるべき制御情報をフォーマットし得る。基地局ｅＣＣ制御情報構成要素１４０−ａは、情報を送るために、ＰＣｅｌｌのＰＨＩＣＨ、ｅＰＨＩＣＨ、またはＰＤＳＣＨなど、ＰＣｅｌｌの適切なチャネルを選択し得る。基地局ｅＣＣ制御情報構成要素１４０−ａは、制御情報のタイプ、チャネル状態、またはいくつかの他の考慮事項に少なくとも部分的に基づいて、適切なチャネルを選択し得る。
【０１６８】
[0194]図１７に、本開示の様々な態様による、ワイヤレス通信において使用するためのデバイス１６０５−ａのブロック図１７００を示す。いくつかの例では、デバイス１６０５−ａは、図１〜図６を参照しながら説明された基地局１０５のうちの１つまたは複数の態様の一例、および／あるいは、図１６を参照しながら説明されたデバイス１６０５の態様の一例であり得る。いくつかの例では、デバイス１６０５−ａは、ｅＣＣ通信が可能であるＬＴＥ／ＬＴＥ−Ａ  ｅＮＢおよび／またはＬＴＥ／ＬＴＥ−Ａ基地局の一部であるか、またはそれを含み得る。デバイス１６０５−ａはまた、プロセッサであり得る。デバイス１６０５−ａは、基地局受信機１６１０−ａ、基地局ｅＣＣ制御情報構成要素１４０−ｂ、または基地局送信機１６２０−ａを含み得る。基地局ｅＣＣ制御情報構成要素１４０−ｂは、基地局ＡＣＫ／ＮＡＣＫ構成要素１７０５と、基地局ＣＳＩ構成要素１７１０と、基地局許可構成要素１７１５とをさらに含み得る。これらの構成要素の各々は互いと通信していることがある。
【０１６９】
[0195]デバイス１６０５−ａの構成要素は、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１７０】
[0196]いくつかの例では、基地局受信機１６１０−ａは、図１６を参照しながら説明された基地局受信機１６１０の１つまたは複数の態様の一例であり得る。いくつかの例では、基地局受信機１６１０−ａは、ＰＣｅｌｌ上で制御情報を受信するように動作可能な少なくとも１つの無線周波数（ＲＦ）受信機など、少なくとも１つのＲＦ受信機を含み得る。基地局受信機１６１０−ａは、図１を参照しながら説明されたワイヤレス通信システム１００、および図２Ａ〜図２Ｂに関して説明された１つまたは複数のＰＣｅｌｌ２２５の１つまたは複数の通信リンクなど、ワイヤレス通信システムの１つまたは複数の通信リンク上で様々なタイプのデータおよび／または制御信号（すなわち、送信）を受信するために使用され得る。
【０１７１】
[0197]いくつかの例では、基地局送信機１６２０−ａは、図１６を参照しながら説明された基地局送信機１６２０の１つまたは複数の態様の一例であり得る。いくつかの例では、基地局送信機１６２０−ａは、ＰＣｅｌｌ上で制御情報を送信するように動作可能な少なくとも１つのＲＦ送信機など、少なくとも１つのＲＦ送信機を含み得る。基地局送信機１６２０−ａは、図１を参照しながら説明されたワイヤレス通信システム１００、および図２Ａ〜図２Ｂに関して説明された１つまたは複数のＰＣｅｌｌ２２５の１つまたは複数の通信リンクなど、ワイヤレス通信システムの１つまたは複数の通信リンク上で様々なタイプのデータおよび／または制御信号（すなわち、送信）を送信するために使用され得る。
【０１７２】
[0198]基地局ＡＣＫ／ＮＡＣＫ構成要素１７０５は、ＵＥ１１５など、ＵＥから送られたＵＬデータに基づいて、ＤＬへの肯定応答メッセージまたは否定応答メッセージを決定し得る。基地局ＡＣＫ／ＮＡＣＫ構成要素１７０５はまた、ＰＣｅｌｌ上で基地局受信機１６１０−ａにおいて受信されたＵＬ  ＡＣＫ／ＮＡＣＫメッセージを解釈し得る。たとえば、基地局ＡＣＫ／ＮＡＣＫ構成要素１７０５は、デバイス１６０５−ａを対象とするＰＣｅｌｌ上で受信されたＵＬブロックＡＣＫ／ＮＡＣＫメッセージを解釈し得る。基地局ＡＣＫ／ＮＡＣＫ構成要素１７０５はまた、複数のｅＣＣ  ＵＬデータからのＡＣＫ／ＮＡＣＫを単一のフィードバックブロックにアグリゲートし得る。さらに、基地局ＡＣＫ／ＮＡＣＫ構成要素１７０５は、ＤＬ  ＡＣＫ／ＮＡＣＫメッセージを送信するために、基地局送信機１６２０−ａのためのＰＣｅｌｌのＰＨＩＣＨ、ｅＰＨＩＣＨ、またはＰＤＳＣＨを選択し得る。
【０１７３】
[0199]基地局ＣＳＩ構成要素１７１０は、ＰＣｅｌｌ上で基地局受信機１６１０−ａにおいて受信されたＣＳＩ情報を解釈し得る。いくつかの例では、基地局ＣＳＩ構成要素１７１０は、基地局受信機１６１０−ａにおいて受信されたＵＬデータに基づいて、ＳＣｅｌｌのためのＣＳＩ情報を決定し得る。
【０１７４】
[0200]基地局許可構成要素１７１５は、ｅＣＣ上でのＤＬまたはＵＬデータ送信を要求する、基地局送信機１６２０−ａによって送られるべきＤＬ／ＵＬ許可を決定する。基地局許可構成要素１７１５は、ＤＬ／ＵＬ許可を送信するためのＰＣｅｌｌのＰＤＳＣＨを選択し得る。基地局許可構成要素１７１５は、ＤＬ／ＵＬデータが潜在的に送られ得る媒体上で、いくつかの送信時間、ＤＬ／ＵＬ許可の満了時間、または周波数リソースのうちの１つまたは複数を示すためのＤＬ／ＵＬ許可を作成し得る。いくつかの例では、周波数リソースはｅＣＣ  ＳＣｅｌｌ上にある。
【０１７５】
[0201]基地局許可構成要素１７１５はまた、デバイス１６０５−ａが、ＤＬ許可中で識別された媒体へのアクセスを獲得したかどうかに基づいて、デバイス１６０５−ａが何のアクションを取るべきであるかを決定する。デバイス１６０５−ａがリソースのうちの１つ中の媒体へのアクセスを獲得した場合、基地局送信機１６２０−ａはＤＬデータを送る。デバイス１６０５−ａが時間内に媒体へのアクセスを獲得しなかった場合、基地局許可構成要素１７１５は、ＤＬデータを送信することを控えるように基地局送信機１６２０−ａに命令し得るか、または基地局送信機１６２０−ａにＤＬデータをまったく提供しない。別の例では、基地局許可構成要素１７１５は、デバイス１６０５−ａが媒体へのアクセスを獲得した後にのみ、基地局送信機１６２０−ａにＤＬ許可を送らせる。これは、ＤＬデータが送られることが可能であることを保証し得る。
【０１７６】
[0202]図１８に、本開示の様々な態様による、ワイヤレス通信において使用するための基地局１０５−ｈ（たとえば、ｅＮＢの一部または全部を形成する基地局）のブロック図１８００を示す。いくつかの例では、基地局１０５−ｈは、図１〜図６を参照しながら説明された基地局１０５のうちの１つまたは複数の態様、あるいは図１６〜図１７を参照しながら説明されたように、基地局として構成されたときのデバイス１６０５のうちの１つまたは複数の態様の一例であり得る。基地局１０５−ｈは、図１〜図６および図１６〜図１７を参照しながら説明された基地局および／またはデバイスの特徴および機能のうちの少なくともいくつかを実装するかまたは可能にするように構成され得る。
【０１７７】
[0203]基地局１０５−ｈは、基地局プロセッサ１８１０と、基地局メモリ１８２０と、（（１つまたは複数の）基地局トランシーバ１８５０によって表される）少なくとも１つの基地局トランシーバと、（（１つまたは複数の）基地局アンテナ１８５５によって表される）少なくとも１つの基地局アンテナと、基地局ｅＣＣ制御情報構成要素１４０−ｃとを含み得る。基地局１０５−ｈはまた、基地局通信構成要素１８３０および／またはネットワーク通信構成要素１８４０のうちの１つまたは複数を含み得る。これらの構成要素の各々は、１つまたは複数のバス１８３５を介して、直接的または間接的に、互いと通信していることがある。
【０１７８】
[0204]基地局メモリ１８２０はＲＡＭおよび／またはＲＯＭを含み得る。基地局メモリ１８２０は、実行されたとき、基地局プロセッサ１８１０に、ワイヤレス通信に関係する本明細書で説明される様々な機能を実行させる（たとえば、ＰＣｅｌｌ上で制御情報を送らせるまたは受信させるなど）ように構成された命令を含んでいるコンピュータ可読、コンピュータ実行可能ソフトウェア／ファームウェアコード１８２５を記憶し得る。代替的に、コンピュータ可読、コンピュータ実行可能ソフトウェア／ファームウェアコード１８２５は、基地局プロセッサ１８１０によって直接的に実行可能でないことがあるが、（たとえば、コンパイルされ、実行されたとき）本明細書で説明される機能のうちのいくつかを基地局１０５−ｈに実行させるように構成され得る。
【０１７９】
[0205]基地局プロセッサ１８１０は、インテリジェントハードウェアデバイス、たとえば、ＣＰＵ、マイクロコントローラ、ＡＳＩＣなどを含み得る。基地局プロセッサ１８１０は、（１つまたは複数の）基地局トランシーバ１８５０、基地局通信構成要素１８３０、および／またはネットワーク通信構成要素１８４０を通して受信された情報を処理し得る。基地局プロセッサ１８１０はまた、（１つまたは複数の）基地局アンテナ１８５５を通した送信のために（１つまたは複数の）基地局トランシーバ１８５０に送られるべき情報、１つまたは複数の他の基地局１０５−ｉおよび１０５−ｊへの送信のために基地局通信構成要素１８３０に送られるべき情報、または図１を参照しながら説明されたコアネットワーク１３０の１つまたは複数の態様の一例であり得る、コアネットワーク１８４５への送信のためにネットワーク通信構成要素１８４０に送られるべき情報を処理し得る。基地局プロセッサ１８１０は、単独で、または基地局ｅＣＣ制御情報構成要素１４０−ｃとともに、ＰＣｅｌｌ上で通信される制御情報フィードバックの様々な態様を扱い得る。
【０１８０】
[0206]（１つまたは複数の）基地局トランシーバ１８５０は、パケットを変調し、変調されたパケットを送信のために（１つまたは複数の）基地局アンテナ１８５５に提供し、（１つまたは複数の）基地局アンテナ１８５５から受信されたパケットを復調するように構成されたモデムを含み得る。（１つまたは複数の）基地局トランシーバ１８５０は、いくつかの例では、１つまたは複数の基地局送信機および１つまたは複数の別個の基地局受信機として実装され得る。（１つまたは複数の）基地局トランシーバ１８５０は、第１の無線周波数スペクトル帯域および／または第２の無線周波数スペクトル帯域における通信をサポートし得る。（１つまたは複数の）基地局トランシーバ１８５０は、共有無線周波数スペクトル帯域であり得る認可または無認可無線周波数スペクトル帯域中の通信をサポートし得る。（１つまたは複数の）基地局トランシーバ１８５０は、図１〜図１１を参照しながら説明されたＵＥ１１５、または図１２〜図１３に関して説明されたデバイス１２０５のうちの１つまたは複数など、１つまたは複数のＵＥまたは装置と、（１つまたは複数の）アンテナ１８５５を介して双方向に通信するように構成され得る。基地局１０５−ｈは、たとえば、複数の基地局アンテナ１８５５（たとえば、アンテナアレイ）を含み得る。基地局１０５−ｈは、ネットワーク通信構成要素１８４０を通してコアネットワーク１８４５と通信し得る。基地局１０５−ｈはまた、基地局通信構成要素１８３０を使用して、基地局１０５−ｉおよび１０５−ｊなど、他の基地局と通信し得る。
【０１８１】
[0207]基地局ｅＣＣ制御情報構成要素１４０−ｃは、ＰＣｅｌｌ上で制御情報を送るかまたは受信することに関する図１、図１６、または図１７を参照しながら説明された特徴および／または機能の一部または全部を実行および／または制御するように構成され得る。基地局ｅＣＣ制御情報構成要素１４０−ｃ、または基地局ｅＣＣ制御情報構成要素１４０−ｃの部分は、プロセッサを含み得、あるいは基地局ｅＣＣ制御情報構成要素１４０−ｃの機能の一部または全部は、基地局プロセッサ１８１０によって実行されるか、または基地局プロセッサ１８１０とともに実行され得る。いくつかの例では、基地局ｅＣＣ制御情報構成要素１４０−ｃは、図１、図１６、または図１７を参照しながら説明された基地局ｅＣＣ制御情報構成要素１４０の一例であり得る。
【０１８２】
[0208]基地局１０５−ｈは、ブロックＡＣＫ／ＮＡＣＫメッセージを分析または生成するための基地局ブロックＡＣＫ／ＮＡＣＫ構成要素１８６０をも含み得る。いくつかの例では、基地局ブロックＡＣＫ／ＮＡＣＫ構成要素１８６０は、基地局ｅＣＣ制御情報構成要素１４０−ｃの一部であり得る。基地局１０５−ｈは、ＤＬ許可中で識別された媒体へのアクセスを獲得することを試みる基地局媒体アクセス構成要素１８６５をも含み得る。いくつかの例では、基地局媒体アクセス構成要素１８６５は、基地局ｅＣＣ制御情報構成要素１４０−ｃの一部であり得る。
【０１８３】
[0209]図１９は、基地局１０５−ｋとＵＥ１１５−ｊとを含む多入力多出力（ＭＩＭＯ）通信システム１９００のブロック図である。ＭＩＭＯ通信システム１９００は、図１に示されているワイヤレス通信システム１００、ならびに図２Ａおよび図２Ｂに示されているシステム２００および通信環境２５０の態様を示し得る。基地局１０５−ｊはアンテナ１３３４−ａ〜１３３４−ｘを装備し得、ＵＥ１１５−ｊはアンテナ１９５２−ａ〜１９５２−ｎを装備し得る。ＭＩＭＯ通信システム１９００では、基地局１０５−ｋは、同時に複数の通信リンク上でデータを送ることが可能であり得る。各通信リンクは「レイヤ」と呼ばれることがあり、通信リンクの「ランク」は、通信のために使用されるレイヤの数を示し得る。たとえば、基地局１０５−ｋが２つの「レイヤ」を送信する２×２ＭＩＭＯ通信システムでは、基地局１０５−ｋとＵＥ１１５−ｊとの間の通信リンクのランクは２である。基地局１０５−ｋおよびＵＥ１１５−ｊは、ＰＣｅｌｌおよびＳＣｅｌｌ上でｅＣＣ通信を実行し得る。
【０１８４】
[0210]基地局１０５−ｋにおいて、送信プロセッサ１９２０がデータソースからデータを受信し得る。送信プロセッサ１９２０はデータを処理し得る。送信プロセッサ１９２０はまた、制御シンボルおよび／または基準シンボルを生成し得る。送信（ＴＸ）ＭＩＭＯプロセッサ１９３０が、適用可能な場合、データシンボル、制御シンボル、および／または基準シンボルに対して空間処理（たとえば、プリコーディング）を実行し得、出力シンボルストリームを送信変調器１９３２−ａ〜１９３２−ｘに提供し得る。各変調器１９３２は、出力サンプルストリームを取得するために、（たとえば、ＯＦＤＭなどのために）それぞれの出力シンボルストリームを処理し得る。各変調器１９３２はさらに、ＤＬ信号を取得するために、出力サンプルストリームを処理（たとえば、アナログへの変換、増幅、フィルタ処理、およびアップコンバート）し得る。一例では、変調器１９３２−ａ〜１９３２−ｘからのＤＬ信号は、それぞれアンテナ１３３４−ａ〜１３３４−ｘを介して送信され得る。
【０１８５】
[0211]ＵＥ１１５−ｊにおいて、ＵＥアンテナ１９５２−ａ〜１９５２−ｎは、基地局１０５−ｋからＤＬ信号を受信し得、受信信号をそれぞれ復調器１９５４−ａ〜１９５４−ｎに提供し得る。各復調器１９５４は、入力サンプルを取得するために、それぞれの受信信号を調整（たとえば、フィルタ処理、増幅、ダウンコンバート、およびデジタル化）し得る。各復調器１９５４はさらに、受信シンボルを取得するために、（たとえば、ＯＦＤＭなどのために）入力サンプルを処理し得る。ＭＩＭＯ検出器１９５６は、すべての復調器１９５４−ａ〜１９５４−ｎから受信シンボルを取得し、適用可能な場合は受信シンボルに対してＭＩＭＯ検出を実行し、検出シンボルを提供し得る。受信プロセッサ１９５８が、検出されたシンボルを処理（たとえば、復調、デインターリーブ、および復号）し、ＵＥ１１５−ｊのための復号されたデータをデータ出力に提供し、復号された制御情報をプロセッサ１９８０、またはメモリ１９８２に提供し得る。
【０１８６】
[0212]プロセッサ１９８０は、いくつかの場合には、ＵＥ  ｅＣＣ制御情報構成要素１４５−ｄのうちの１つまたは複数をインスタンス化するための記憶された命令を実行し得る。ＵＥ  ｅＣＣ制御情報構成要素１４５−ｄは、図１、図１２、図１３、および図１５を参照しながら説明されたＵＥ  ｅＣＣ制御情報構成要素１４５の態様の一例であり得る。
【０１８７】
[0213]ＵＬ上で、ＵＥ１１５−ｊにおいて、送信プロセッサ１９６４が、データソースからデータを受信し、処理し得る。送信プロセッサ１９６４はまた、基準信号のための基準シンボルを生成し得る。送信プロセッサ１９６４からのシンボルは、適用可能な場合は送信ＭＩＭＯプロセッサ１９６６によってプリコーディングされ、さらに（たとえば、ＳＣ−ＦＤＭＡなどのために）復調器１９５４−ａ〜１９５４−ｎによって処理され、基地局１０５−ｋから受信された送信パラメータに従って基地局１０５−ｋに送信され得る。基地局１０５−ｋにおいて、ＵＥ１１５−ｊからのＵＬ信号は、アンテナ１３３４によって受信され、変調器１９３２によって処理され、適用可能な場合はＭＩＭＯ検出器１９３６によって検出され、さらに受信プロセッサ１９３８によって処理され得る。受信プロセッサ１９３８は、復号されたデータをデータ出力とプロセッサ１９４０またはメモリ１９４２とに提供し得る。プロセッサ１９４０は、いくつかの場合には、基地局ｅＣＣ制御情報構成要素１４０−ｄのうちの１つまたは複数をインスタンス化するための記憶された命令を実行し得る。基地局ｅＣＣ制御情報構成要素１４０−ｄは、図１および図１６〜図１８を参照しながら説明された基地局ｅＣＣ制御情報構成要素１４０の態様の一例であり得る。
【０１８８】
[0214]ＵＥ１１５−ｊの構成要素は、適用可能な機能の一部または全部をハードウェアで実行するように適応された１つまたは複数のＡＳＩＣを用いて、個々にまたはまとめて実装され得る。言及されたモジュールの各々は、ＭＩＭＯ通信システム１９００の動作に関係する１つまたは複数の機能を実行するための手段であり得る。同様に、基地局１０５−ｋの構成要素は、適用可能な機能の一部または全部をハードウェアで実行するように適応された１つまたは複数のＡＳＩＣを用いて、個々にまたはまとめて実装され得る。言及された構成要素の各々は、ＭＩＭＯ通信システム１９００の動作に関係する１つまたは複数の機能を実行するための手段であり得る。
【０１８９】
[0215]図２０は、本開示の様々な態様による、ワイヤレス通信のための方法２０００の一例を示すフローチャートである。明快のために、方法２０００は、図１〜図６および図１６〜図１８を参照しながら説明された基地局１０５のうちの１つまたは複数の態様、あるいは図１〜図１５を参照しながら説明されたＵＥのうちの１つまたは複数の態様に関して以下で説明される。いくつかの例では、基地局１０５またはＵＥ１１５が、以下で説明される機能を実行するように基地局１０５またはＵＥ１１５の機能要素を制御するためのコードの１つまたは複数のセットを実行し得る。追加または代替として、基地局１０５またはＵＥ１１５は、専用ハードウェアを使用して、以下で説明される機能のうちの１つまたは複数を実行し得る。
【０１９０】
[0216]ブロック２００５において、方法２０００は、ＣＡ構成における少なくともＳＣｅｌｌ上のｅＣＣを使用して通信することを含み得る。たとえば、基地局１０５およびＵＥ１１５は、図２ＡのＳＣｅｌｌ２２５−ｂなど、ｅＣＣ  ＳＣｅｌｌ上で通信を確立し得る。基地局１０５およびＵＥ１１５は、ＳＣｅｌｌ上でＤＬおよびＵＬデータを交換し得る。いくつかの例では、ｅＣＣを使用して通信することは、無認可無線周波数スペクトル帯域または共有無線周波数スペクトル帯域上で通信することを含む。追加の例では、ｅＣＣを使用して通信することは、認可無線周波数スペクトル帯域上で通信することを含む。
【０１９１】
[0217]ブロック２０１０において、方法２０００は、ｅＣＣ上での通信に関係する制御情報のために、ＰＣｅｌｌを使用することを含み得る。たとえば、基地局１０５またはＵＥ１１５は、ＣＳＩ、ＡＣＫ／ＮＡＣＫメッセージ、ＤＬ／ＵＬ許可など、制御情報を送り得る。
【０１９２】
[0218]一例では、ＰＣｅｌｌは、ｅＣＣに関するＣＳＩを送るまたは受信するために使用される。ＣＳＩを送ることまたは受信することは、ＰＣｅｌｌのＰＵＣＣＨおよびＰＣｅｌｌのＰＵＳＣＨの一方または両方上でＣＳＩを送ることまたは受信することを含み得る。
【０１９３】
[0219]別の例では、ＰＣｅｌｌは、ＡＣＫ／ＮＡＣＫ制御情報のために使用される。いくつかの例では、制御情報のためにＰＣｅｌｌを使用することは、ｅＣＣを介して受信されたデータに応答して、ＤＬ  ＡＣＫ／ＮＡＣＫおよびＵＬ  ＡＣＫ／ＮＡＣＫのうちの１つを送ることまたは受信することを含む。たとえば、基地局１０５は、ＵＬデータに応答してＤＬ  ＡＣＫ／ＮＡＣＫを送り得る。同様に、ＵＥ１１５は、ＤＬデータに応答してＵＬ  ＡＣＫ／ＮＡＣＫを送り得る。いくつかの例では、制御情報を送るまたは受信するためにＰＣｅｌｌを使用することは、ＰＣｅｌｌのＰＵＣＣＨおよびＰＣｅｌｌのＰＵＳＣＨの一方または両方上でｅＣＣ  ＤＬデータに応答してＵＬ  ＡＣＫ／ＮＡＣＫを送ることをさらに含む。別の例では、制御情報を送るまたは受信するためにＰＣｅｌｌを使用することは、ＰＣｅｌｌのＰＨＩＣＨ、ＰＣｅｌｌのｅＰＨＩＣＨ、ＰＣｅｌｌのＰＤＳＣＨ、およびそれらの組合せのうちの少なくとも１つ上でｅＣＣ  ＵＬデータに応答してＤＬ  ＡＣＫ／ＮＡＣＫを送ることをさらに含む。
【０１９４】
[0220]別の例では、ＤＬ  ＡＣＫ／ＮＡＣＫおよびＵＬ  ＡＣＫ／ＮＡＣＫのうちの１つを通信することは、複数のｅＣＣ  ＤＬデータまたは複数のｅＣＣ  ＵＬデータに対応する複数のＡＣＫ／ＮＡＣＫを含んでいるブロックＡＣＫ／ＮＡＣＫを通信することをさらに含み得る。さらに、ブロックＡＣＫ／ＮＡＣＫを通信することは、複数のＡＣＫ／ＮＡＣＫが、ｅＣＣを介して受信されたデータを送信する複数のユーザに対応することを示すことを含み得る。
【０１９５】
[0221]方法２０００の別の例では、制御情報を送るまたは受信するためにＰＣｅｌｌを使用することは、ＤＬ許可およびＵＬ許可の一方または両方を送ることまたは受信することを含み得る。一例では、方法２０００は、ｅＣＣ上でのＰＤＳＣＨ送信のための時間および周波数リソースの一方または両方を識別するＤＬ許可を送ることを含む。方法２０００は、識別された時間または周波数リソースを使用してＤＬ許可中で識別された媒体へのアクセスを獲得することに失敗したことに応答して、ＤＬデータを送ることを控えることをも含み得る。たとえば、基地局１０５がＰＣｅｌｌ上でＤＬ許可を送り、次いで、適切な時間中に媒体リソースにアクセスすることができない場合、基地局１０５はＤＬデータを送らない。しかしながら、基地局１０５が適切な時間中に媒体へのアクセスを獲得した場合、基地局１０５はＤＬデータを送る。
【０１９６】
[0222]一例では、方法２０００は、ｅＣＣ上でのＰＤＳＣＨ送信のための満了時間を識別するＤＬ許可を送ることを含む。方法２０００は、満了時間までにＤＬ許可中で識別された媒体へのアクセスを獲得することに失敗したことに応答して、ＤＬデータを送ることを控えることをも含み得る。たとえば、基地局１０５がＰＣｅｌｌ上でＤＬ許可を送り、次いで、満了時間の前に媒体リソースにアクセスすることができない場合、基地局１０５はＤＬデータを送らない。
【０１９７】
[0223]方法２０００のいくつかの例は、媒体へのアクセスを獲得することを含み、ここにおいて、一方または両方のＤＬ許可およびＵＬ許可を送ることまたは受信することは、媒体上でＤＬ許可を送ることをさらに備える。方法２０００は、ｅＣＣ上でのＰＵＳＣＨ送信のための時間および周波数リソースの一方または両方を識別するＵＬ許可を受信することをも含み得る。方法２０００は、識別された時間または周波数リソースを使用してＵＬ許可中で識別された媒体へのアクセスを獲得することに失敗したことに応答して、ＵＬデータを送ることを控えることをさらに含み得る。たとえば、ＵＥ１１５がＰＣｅｌｌ上でＵＬ許可を受信し、次いで、適切な時間中に媒体リソースにアクセスすることができない場合、ＵＥ１１５はＵＬデータを送らない。しかしながら、ＵＥ１１５が適切な時間中に媒体へのアクセスを獲得した場合、ＵＥ１１５はＵＬデータを送る。
【０１９８】
[0224]同様に、方法２０００は、ｅＣＣ上でのＰＵＳＣＨ送信のための満了時間を識別するＵＬ許可を受信することと、満了時間までにＵＬ許可中で識別された媒体へのアクセスを獲得することに失敗したことに応答して、ＵＬデータを送ることを控えることとを含み得る。
【０１９９】
[0225]別の例では、方法２０００は、非周期ＣＳＩフィードバックのためのトリガを備える許可を受信することと、非周期ＣＳＩフィードバックの送信のためのＰＣｅｌｌまたはＳＣｅｌｌのキャリアを決定することとを含む。いくつかの例では、方法２０００における送ることまたは受信することは、ＰＣｅｌｌのＰＵＣＣＨおよびＰＣｅｌｌのＰＵＳＣＨの一方または両方上でＣＳＩを送ることまたは受信することを含む。いくつかの例では、キャリアを決定することは、許可が受信されるセル、許可によってスケジュールされるセル、またはそれらの組合せのいずれかに少なくとも部分的に基づいて、キャリアを決定することを含む。
【０２００】
[0226]方法２０００の他の例では、制御情報のためにＰＣｅｌｌを使用することは、ｅＣＣを介して受信されたデータに応答して、ダウンリンクＡＣＫ／ＮＡＣＫフィードバック情報およびアップリンクＡＣＫ／ＮＡＣＫフィードバック情報のうちの１つを送ることまたは受信することをさらに含む。方法２０００は、ＳＣｅｌｌのｅＣＣ上で受信された複数のコードブロックのためのＡＣＫ／ＮＡＣＫフィードバック情報を識別することをも含み得、複数のコードブロックは、複数のスケジュールされたトランスポートブロック中で受信される。方法２０００は、ｅＣＣ上で受信された複数コードブロックの送信が完了されたＰＣｅｌｌのサブフレームに少なくとも部分的に基づいて、ＡＣＫ／ＮＡＣＫフィードバック情報を提供するためのＰＣｅｌｌのフィードバックサブフレームを識別することをさらに含み得、ここにおいて、ダウンリンクＡＣＫ／ＮＡＣＫおよびアップリンクＡＣＫ／ＮＡＣＫのうちの１つを送ることまたは受信することは、識別されたフィードバックサブフレーム中でＰＣｅｌｌを介してＡＣＫ／ＮＡＣＫフィードバック情報を送信することをさらに備える。
【０２０１】
[0227]いくつかの追加の例では、ＰＣｅｌｌは、ダウンリンクプライマリコンポーネントキャリアと、ＦＤＤアップリンクプライマリコンポーネントキャリアとを含み、フィードバックサブフレームは、ｅＣＣ上で受信された複数のコードブロックの送信が完了したＰＣｅｌｌのサブフレームからの所定のオフセットを有する。他の例では、ＰＣｅｌｌは、ＴＤＤコンポーネントキャリアを備え、ここにおいて、フィードバックサブフレームは、ｅＣＣ上で受信された複数のコードブロックの送信が完了したＰＣｅｌｌのサブフレームからの所定のオフセットの後の、ＴＤＤコンポーネントキャリアの第１のアップリンクサブフレームを備える。
【０２０２】
[0228]制御情報を送るまたは受信するためにＰＣｅｌｌを使用することは、ＰＣｅｌｌのＰＵＣＣＨおよびＰＣｅｌｌのＰＵＳＣＨの一方または両方上でｅＣＣダウンリンクデータに応答してアップリンクＡＣＫ／ＮＡＣＫを送ること、あるいはＰＣｅｌｌのＰＨＩＣＨ、ＰＣｅｌｌのｅＰＨＩＣＨ、ＰＣｅｌｌのＰＤＳＣＨ、およびそれらの組合せのうちの少なくとも１つ上でｅＣＣアップリンクデータに応答してダウンリンクＡＣＫ／ＮＡＣＫを送ることをさらに含み得る。ダウンリンクＡＣＫ／ＮＡＣＫおよびアップリンクＡＣＫ／ＮＡＣＫのうちの１つを通信することは、複数のｅＣＣダウンリンクデータまたは複数のｅＣＣアップリンクデータに対応する複数のＡＣＫ／ＮＡＣＫを含んでいるブロックＡＣＫ／ＮＡＣＫを通信することをさらに含み得る。他の例では、ブロックＡＣＫ／ＮＡＣＫを通信することは、複数のＡＣＫ／ＮＡＣＫが、ｅＣＣを介して受信されたデータを送信する複数のユーザに対応することを示すことをさらに含む。方法２０００の追加の例は、複数のスケジュールされたトランスポートブロックに関連するダウンリンク許可内のダウンリンク送信インデックス情報を受信することを含む。
【０２０３】
[0229]別の例では、方法２０００は、ＡＣＫ／ＮＡＣＫフィードバック情報のＡＣＫ／ＮＡＣＫビットの数が、ＡＣＫ／ＮＡＣＫフィードバック情報を送信するために使用されるＰＵＣＣＨフォーマットの容量を超えると決定することと、ＡＣＫ／ＮＡＣＫフィードバック情報の送信のための複数のＰＵＣＣＨリソースを決定することとを含み、ここにおいて、ＡＣＫ／ＮＡＣＫフィードバック情報を送ることまたは受信することは、複数のＰＵＣＣＨリソースを使用して複数のＰＵＣＣＨ送信を送信することをさらに備える。
【０２０４】
[0230]ブロック２００５および２０１０における（１つまたは複数の）動作は、図１および図１２〜図１９を参照しながら説明されたＵＥ  ｅＣＣ制御情報構成要素１４５または基地局ｅＣＣ制御情報構成要素１４０を使用して実行され得る。
【０２０５】
[0231]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０２０６】
[0232]図２１は、本開示の様々な態様による、ｅＣＣ  ＵＬ  ＡＣＫ／ＮＡＣＫ通信の方法２１００の一例を示すフローチャートである。明快のために、方法２１００は、図１〜図１５を参照しながら説明された１つまたは複数のＵＥの態様に関して以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して以下で説明される機能のうちの１つまたは複数を実行し得る。
【０２０７】
[0233]ブロック２１０５において、方法２１００は、ｅＣＣ  ＤＬデータを受信することを含む。たとえば、ＵＥ１１５は、ｅＣＣ  ＳＣｅｌｌ上で基地局１０５からデータを受信し得る。ＵＥ１１５は、ｅＣＣ  ＳＣｅｌｌ  ＰＤＳＣＨ上でＤＬデータを受信し得る。ブロック２１１０において、ＵＥ１１５は、ＰＣｅｌｌ  ＰＵＣＣＨまたはＰＵＳＣＨを通してＵＬ  ＡＣＫ／ＮＡＣＫメッセージを送る。たとえば、ＵＥ１１５がブロック２１０５においてＤＬデータを適切に受信した場合、ＵＥ１１５は基地局１０５にＵＬ  ＡＣＫメッセージを送り得る。ＵＥ１１５がブロック２１０５においてＤＬデータを適切に受信しなかった場合、ＵＥ１１５は基地局１０５にＵＬ  ＮＡＣＫメッセージを送り得る。方法２１００のいくつかの例では、ＡＣＫ／ＮＡＣＫメッセージはブロックＡＣＫ／ＮＡＣＫメッセージである。
【０２０８】
[0234]ブロック２１０５および２１１０における動作は、図１および図１２〜図１３を参照しながら説明されたＵＥ  ｅＣＣ制御情報構成要素１４５を使用して実行され得る。したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０２０９】
[0235]図１６は、本開示の様々な態様による、ｅＣＣ  ＤＬ  ＡＣＫ／ＮＡＣＫ通信の方法２２００の一例を示すフローチャートである。明快のために、方法２２００は、図１〜図２および図１６〜図１８を参照しながら説明された基地局１０５のうちの１つまたは複数の態様に関して以下で説明される。いくつかの例では、基地局１０５が、以下で説明される機能を実行するように基地局１０５の機能要素を制御するためのコードの１つまたは複数のセットを実行し得る。追加または代替として、基地局１０５は、専用ハードウェアを使用して、以下で説明される機能のうちの１つまたは複数を実行し得る。
【０２１０】
[0236]ブロック２２０５において、方法２２００は、ｅＣＣ  ＵＬデータを受信することを含み得る。たとえば、基地局１０５は、ｅＣＣ  ＳＣｅｌｌ上でＵＥ１１５からデータを受信し得る。基地局１０５は、ｅＣＣ  ＳＣｅｌｌ  ＰＵＳＣＨ上でＵＬデータを受信し得る。ブロック２２１０において、基地局１０５は、ＰＣｅｌｌ  ＰＨＩＣＨ、ｅＰＨＩＣＨ、またはＰＤＳＣＨを通してＤＬ  ＡＣＫ／ＮＡＣＫメッセージを送る。たとえば、基地局１０５がブロック２２０５においてＵＬデータを適切に受信した場合、基地局１０５はＵＥ１１５にＤＬ  ＡＣＫメッセージを送り得る。基地局１０５がブロック２２０５においてＵＬデータを適切に受信しなかった場合、基地局１０５はＵＥ１１５にＤＬ  ＮＡＣＫメッセージを送り得る。方法２２００のいくつかの例では、ＡＣＫ／ＮＡＣＫメッセージはブロックＡＣＫ／ＮＡＣＫメッセージである。
【０２１１】
[0237]ブロック２２０５および２２１０における動作は、図１および図１０〜図１３を参照しながら説明された基地局ｅＣＣ制御情報構成要素１４０を使用して実行され得る。したがって、方法２２００はワイヤレス通信を提供し得る。方法２２００は一実装形態にすぎないこと、および方法２２００の動作は、他の実装形態が可能であるように、並べ替えられるかまたは場合によっては変更され得ることに留意されたい。
【０２１２】
[0238]図２３は、本開示の様々な態様による、ｅＣＣ  ＣＳＩ通信の方法２３００の一例を示すフローチャートである。明快のために、方法２３００は、図１〜図１５を参照しながら説明されたＵＥのうちの１つまたは複数の態様に関して以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して以下で説明される機能のうちの１つまたは複数を実行し得る。
【０２１３】
[0239]ブロック２３０５において、方法２３００は、ｅＣＣ  ＳＣｅｌｌチャネルのためのＣＳＩフィードバックを決定することを含む。たとえば、ＵＥ１１５は、ｅＣＣ  ＳＣｅｌｌ上で基地局１０５から受信されたパイロット信号などの信号に基づいて、ＣＳＩフィードバックを決定し得る。ブロック２３１０において、ＵＥ１１５は、ＰＣｅｌｌ  ＰＵＣＣＨまたはＰＵＳＣＨを通してＣＳＩフィードバックを報告し得る。ＣＳＩフィードバックは、ＵＬ上で基地局１０５に報告されるべきｅＣＣ  ＤＬチャネル品質を反映し得る。
【０２１４】
[0240]ブロック２３０５および２３１０における動作は、図１および図１２〜図１３を参照しながら説明されたＵＥ  ｅＣＣ制御情報構成要素１４５を使用して実行され得る。したがって、方法２３００はワイヤレス通信を提供し得る。方法２３００は一実装形態にすぎないこと、および方法２３００の動作は、他の実装形態が可能であるように、並べ替えられるかまたは場合によっては変更され得ることに留意されたい。
【０２１５】
[0241]図２４は、本開示の様々な態様による、ｅＣＣ  ＤＬ許可通信の方法２４００の一例を示すフローチャートである。明快のために、方法２４００は、図１〜図６および図１６〜図１８を参照しながら説明された基地局１０５のうちの１つまたは複数の態様に関して以下で説明される。いくつかの例では、基地局１０５が、以下で説明される機能を実行するように基地局１０５の機能要素を制御するためのコードの１つまたは複数のセットを実行し得る。追加または代替として、基地局１０５は、専用ハードウェアを使用して、以下で説明される機能のうちの１つまたは複数を実行し得る。
【０２１６】
[0242]ブロック２４０５において、方法２４００は、ｅＣＣのＰＣｅｌｌ上でＤＬ許可を送ることを含み得る。ＤＬ許可は、潜在的ＤＬデータのためのいくつかの時間および周波数リソースを識別し得る。別の例では、ＤＬ許可は、ＤＬ許可がその後にもはや有効でなくなる満了時間を識別する。いくつかの例では、基地局１０５は、ＰＣｅｌｌ  ＰＤＣＣＨ上でＤＬ許可を送信する。
【０２１７】
[0243]ブロック２４１０において、基地局は、ＤＬ許可によって識別された媒体へのアクセスを獲得することを試みる。基地局１０５が媒体へのアクセスを獲得した場合、方法２４００は経路２４１５に沿ってブロック２４２５に進む。ブロック２４２５において、方法２４００は、媒体上でＤＬデータを送信することを含む。
【０２１８】
[0244]しかしながら、基地局１０５が時間内に媒体または特定のリソースへのアクセスを獲得しなかった場合、方法２４００は経路２４２０に沿ってブロック２４３０に進む。ブロック２４３０において、方法２４００は、ＤＬデータを送信することを控えることを含む。いくつかの例では、方法２４０５はブロック２４０５に戻り得、基地局１０５はＰＣｅｌｌ上で新しいＤＬ許可を送り得る。
【０２１９】
[0245]ブロック２４０５〜２４３０における動作は、図１および図１２〜図１３を参照しながら説明された基地局ｅＣＣ制御情報構成要素１４０を使用して実行され得る。したがって、方法２４００はワイヤレス通信を提供し得る。方法２４００は一実装形態にすぎないこと、および方法２４００の動作は、他の実装形態が可能であるように、並べ替えられるかまたは場合によっては変更され得ることに留意されたい。
【０２２０】
[0246]図２５は、本開示の様々な態様による、ｅＣＣ  ＵＬ許可通信の方法２５００の一例を示すフローチャートである。明快のために、方法２５００は、図１〜図１５を参照しながら説明されたＵＥのうちの１つまたは複数の態様に関して以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して以下で説明される機能のうちの１つまたは複数を実行し得る。
【０２２１】
[0247]ブロック２５０５において、方法２５００は、ｅＣＣのＰＣｅｌｌ上でＵＬ許可を受信することを含み得る。ＵＬ許可は、潜在的ＵＬデータのためのいくつかの時間および周波数リソースを識別し得る。別の例では、ＵＬ許可は、ＵＬ許可がその後にもはや有効でなくなる満了時間を識別する。いくつかの例では、ＵＥ１１５は、ＰＣｅｌｌ  ＰＤＣＣＨ上でＵＬ許可を受信する。
【０２２２】
[0248]ブロック２５１０において、ＵＥ１１５は、ＵＬ許可によって識別された媒体へのアクセスを獲得することを試みる。ＵＥ１１５が媒体へのアクセスを獲得した場合、方法２５００は経路２５１５に沿ってブロック２５２５に進む。ブロック２５２５において、方法２５００は、媒体上でＵＬデータを送信することを含む。
【０２２３】
[0249]しかしながら、ＵＥ１１５が時間内に媒体または特定のリソースへのアクセスを獲得しなかった場合、方法２５００は経路２５２０に沿ってブロック２５３０に進む。ブロック２５３０において、方法２５００は、ＵＬデータを送信することを控えることを含む。いくつかの例では、方法２５００はブロック２５０５に戻り得、基地局１０５はＰＣｅｌｌ上で新しいＵＬ許可を送り得る。
【０２２４】
[0250]ブロック２５０５〜２５３０における動作は、図１、図７〜図９、および図１３を参照しながら説明されたＵＥ  ｅＣＣ制御情報構成要素１４５を使用して実行され得る。したがって、方法２５００はワイヤレス通信を提供し得る。方法２５００は一実装形態にすぎないこと、および方法２５００の動作は、他の実装形態が可能であるように、並べ替えられるかまたは場合によっては変更され得ることに留意されたい。
【０２２５】
[0251]図２６に、本開示の様々な態様による、非スタンドアロン拡張コンポーネントキャリアのためのＨＡＲＱおよびＣＳＩフィードバックのための方法２６００を示すフローチャートを示す。方法２６００の動作は、図１〜図１５を参照しながら説明されたように、ＵＥ１１５またはそれの構成要素によって実装され得る。たとえば、方法２６００の動作は、図１および図１２〜図１３を参照しながら説明されたように、ＵＥ  ｅＣＣ情報構成要素１４５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０２２６】
[0252]ブロック２６０５において、ＵＥ１１５は、図２〜図１１を参照しながら上記で説明されたように、ＰＣｅｌｌおよびＳＣｅｌｌを備えるマルチキャリア構成を識別する。たとえば、ＳＣｅｌｌは、無認可または共有スペクトルを使用する非スタンドアロンｅＣＣを含み得る。いくつかの例では、ブロック２６０５の動作は、図１４を参照しながら上記で説明されたように、ＣＡ構成モジュール１４０５によって実行され得る。
【０２２７】
[0253]ブロック２６１０において、図２〜図１１を参照しながら上記で説明されたように、ＵＥ１１５は、ＳＣｅｌｌのｅＣＣ上で受信された複数のコードブロックのためのＡＣＫ／ＮＡＣＫフィードバック情報を識別し、複数のコードブロックは、複数のスケジュールされたトランスポートブロック中で受信される。いくつかの例では、ブロック２６１０の動作は、図１４を参照しながら上記で説明されたように、ｅＣＣデコーダモジュール１４１０によって実行され得る。
【０２２８】
[0254]ブロック２６１５において、ＵＥ１１５は、図２〜図１１を参照しながら上記で説明されたように、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別する。いくつかの例では、ブロック２６１５の動作は、図１４を参照しながら上記で説明されたように、ｅＣＣ  ＨＡＲＱフィードバックモジュール１４１５によって実行され得る。
【０２２９】
[0255]ブロック２６２０において、ＵＥ１１５は、図２〜図１１を参照しながら上記で説明されたように、識別されたフィードバックサブフレーム中でＰＣｅｌｌを介してＡＣＫ／ＮＡＣＫフィードバック情報を送信する。いくつかの例では、ブロック２６２０の動作は、図１２を参照しながら上記で説明されたように、送信機１２２０によって実行され得る。
【０２３０】
[0256]図２７に、本開示の様々な態様による、非スタンドアロン拡張コンポーネントキャリアのためのＨＡＲＱおよびＣＳＩフィードバックのための方法２７００を示すフローチャートを示す。方法２７００の動作は、図１〜図１１を参照しながら説明されたように、ＵＥ１１５またはそれの構成要素によって実装され得る。たとえば、方法２７００の動作は、図１および図１２〜図１３を参照しながら説明されたように、ＵＥ  ｅＣＣ情報構成要素１４５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法２７００はまた、図２６の方法２６００の態様を組み込み得る。
【０２３１】
[0257]ブロック２７０５において、ＵＥ１１５は、図２Ａ〜図１１を参照しながら上記で説明されたように、ＰＣｅｌｌおよびＳＣｅｌｌを備えるマルチキャリア構成を識別する。たとえば、ＳＣｅｌｌは、無認可または共有スペクトルを使用する非スタンドアロンｅＣＣを含み得る。いくつかの例では、ブロック２７０５の動作は、図１４を参照しながら上記で説明されたように、ＣＡ構成モジュール１４０５によって実行され得る。
【０２３２】
[0258]ブロック２７１０において、図２Ａ〜図１１を参照しながら上記で説明されたように、ＵＥ１１５は、ＳＣｅｌｌのｅＣＣ上で受信された複数のコードブロックのためのＡＣＫ／ＮＡＣＫフィードバック情報を識別し、複数のコードブロックは、複数のスケジュールされたトランスポートブロック中で受信される。いくつかの例では、ブロック２７１０の動作は、図１４を参照しながら上記で説明されたように、ｅＣＣデコーダモジュール１４１０によって実行され得る。
【０２３３】
[0259]ブロック２７１５において、ＵＥ１１５は、図２Ａ〜図１１を参照しながら上記で説明されたように、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別する。いくつかの例では、ブロック２７１５の動作は、図１４を参照しながら上記で説明されたように、ｅＣＣ  ＨＡＲＱフィードバックモジュール１４１５によって実行され得る。
【０２３４】
[0260]ブロック２７２０において、ＵＥ１１５は、図２Ａ〜図１１を参照しながら上記で説明されたように、ＡＣＫ／ＮＡＣＫフィードバック情報のＡＣＫ／ＮＡＣＫビットの数が、ＰＵＣＣＨ送信のために使用されるＰＵＣＣＨフォーマットの容量を超えるかどうかを決定する。いくつかの例では、ブロック２７２０の動作は、図１４を参照しながら上記で説明されたように、ＣＡ構成モジュール１４０５によって実行され得る。
【０２３５】
[0261]ＵＥ１１５が、ブロック２７２０において、ＡＣＫ／ＮＡＣＫビットの数がＰＵＣＣＨ容量を超えると決定した場合、ＵＥ１１５は、ブロック２７２５において、ＡＣＫ／ＮＡＣＫフィードバック情報のカテゴリーに従ってＡＣＫ／ＮＡＣＫフィードバック情報のバンドリングを実行する。たとえば、ＵＥ１１５は、最初に、空間バンドリング（たとえば、異なる空間ストリームのためのＡＣＫ／ＮＡＣＫフィードバック情報のバンドリングなど）を実行し得る。ＡＣＫ／ＮＡＣＫフィードバック情報のＡＣＫ／ＮＡＣＫビットの数が、空間バンドリングの後に依然としてＰＵＣＣＨフォーマットの容量を超える場合、ＵＥ１１５は、ＳＣｅｌｌのための複数のスケジュールされたトランスポートブロックのうちのトランスポートブロック内の複数のコードブロックに関連するＡＣＫ／ＮＡＣＫビットのためのバンドリングを実行し得る。いくつかの例では、ブロック２７２５の動作は、図１４を参照しながら上記で説明されたように、ＣＡ構成モジュール１４０５によって実行され得る。
【０２３６】
[0262]ブロック２７３０において、ＵＥ１１５は、図２Ａ〜図１１を参照しながら上記で説明されたように、単一のＰＵＣＣＨ送信において送るためのＡＣＫ／ＮＡＣＫフィードバック情報をジョイントコーディングする。いくつかの例では、ブロック２７３０の動作は、図１４を参照しながら上記で説明されたように、ＣＡ構成モジュール１４０５によって実行され得る。
【０２３７】
[0263]ブロック２７３５において、ＵＥ１１５は、図２Ａ〜図１１を参照しながら上記で説明されたように、識別されたフィードバックサブフレーム中でＰＣｅｌｌを介してＡＣＫ／ＮＡＣＫフィードバック情報を送信する。いくつかの例では、ブロック２７３５の動作は、図１２を参照しながら上記で説明されたように、送信機１２２０によって実行され得る。
【０２３８】
[0264]図２８に、本開示の様々な態様による、非スタンドアロン拡張コンポーネントキャリアのためのＨＡＲＱおよびＣＳＩフィードバックのための方法２８００を示すフローチャートを示す。方法２８００の動作は、図１〜図１１を参照しながら説明されたように、ＵＥ１１５またはそれの構成要素によって実装され得る。たとえば、方法２８００の動作は、図１および図１２〜図１３を参照しながら説明されたように、ＵＥ  ｅＣＣ情報構成要素１４５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法２８００はまた、図２６〜図２７の方法２６００、および２７００の態様を組み込み得る。
【０２３９】
[0265]ブロック２８０５において、ＵＥ１１５は、図２〜図１１を参照しながら上記で説明されたように、ＰＣｅｌｌおよびＳＣｅｌｌを備えるマルチキャリア構成を識別する。たとえば、ＳＣｅｌｌは、無認可または共有スペクトルを使用する非スタンドアロンｅＣＣを含み得る。いくつかの例では、ブロック２８０５の動作は、図１４を参照しながら上記で説明されたように、ＣＡ構成モジュール１４０５によって実行され得る。
【０２４０】
[0266]ブロック２８１０において、ＵＥ１１５は、図６〜図１１を参照しながら上記で説明されたように、複数のスケジュールされたトランスポートブロックに関連するダウンリンク許可内のダウンリンク送信インデックス情報を受信する。いくつかの例では、ブロック２８１０の動作は、図１４を参照しながら上記で説明されたように、ｅＣＣデコーダモジュール１４１０によって実行され得る。
【０２４１】
[0267]ブロック２８１５において、ＵＥ１１５は、図２〜図１１を参照しながら上記で説明されたように、順が狂ったインデックスを有するｅＣＣのためのダウンリンク許可を受信することに少なくとも部分的に基づいて、ｅＣＣのための少なくとも１つのダウンリンク許可の送信が失敗したと決定する。いくつかの例では、ブロック２８１５の動作は、図１４を参照しながら上記で説明されたように、ｅＣＣデコーダモジュール１４１０によって実行され得る。
【０２４２】
[0268]ブロック２８２０において、図２〜図１１を参照しながら上記で説明されたように、ＵＥ１１５は、ＳＣｅｌｌのｅＣＣ上で受信された複数のコードブロックのためのＡＣＫ／ＮＡＣＫフィードバック情報を識別し、複数のコードブロックは、複数のスケジュールされたトランスポートブロック中で受信される。いくつかの例では、ブロック２８２０の動作は、図１４を参照しながら上記で説明されたように、ｅＣＣデコーダモジュール１４１０によって実行され得る。
【０２４３】
[0269]ブロック２８２５において、ＵＥ１１５は、図７〜図１１を参照しながら上記で説明されたように、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別する。いくつかの例では、ブロック２８２５の動作は、図１４を参照しながら上記で説明されたように、ｅＣＣ  ＨＡＲＱフィードバックモジュール１４１５によって実行され得る。
【０２４４】
[0270]ブロック２８３０において、ＵＥ１１５は、図７〜図１１を参照しながら上記で説明されたように、識別されたフィードバックサブフレーム中でＰＣｅｌｌを介してＡＣＫ／ＮＡＣＫフィードバック情報を送信する。たとえば、ＵＥ１１５は、図２〜図１１を参照しながら上記で説明されたように、送信されたＡＣＫ／ＮＡＣＫフィードバック情報中で、失敗したｅＣＣのための少なくとも１つのダウンリンク許可のための１つまたは複数のＮＡＣＫビットを送り得る。いくつかの例では、ブロック２８３０の動作は、図１２を参照しながら上記で説明されたように、送信機１２２０によって実行され得る。
【０２４５】
[0271]図２９に、本開示の様々な態様による、非スタンドアロン拡張コンポーネントキャリアのためのＨＡＲＱおよびＣＳＩフィードバックのための方法２９００を示すフローチャートを示す。方法２９００の動作は、図１〜図１１を参照しながら説明されたように、ＵＥ１１５またはそれの構成要素によって実装され得る。たとえば、方法２９００の動作は、図１および図１２〜図１３を参照しながら説明されたように、ＵＥ  ｅＣＣ情報構成要素１４５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法２９００はまた、図２０および図２６〜図２８の方法２０００、２６００、２７００、および２８００の態様を組み込み得る。
【０２４６】
[0272]ブロック２９０５において、ＵＥ１１５は、図２〜図１１を参照しながら上記で説明されたように、ＰＣｅｌｌおよびＳＣｅｌｌを備えるマルチキャリア構成を識別する。たとえば、ＳＣｅｌｌは、無認可または共有スペクトルを使用する非スタンドアロンｅＣＣを含み得る。いくつかの例では、ブロック２９０５の動作は、図１４を参照しながら上記で説明されたように、ＣＡ構成モジュール１４０５によって実行され得る。
【０２４７】
[0273]ブロック２９１０において、図７〜図１１を参照しながら上記で説明されたように、ＵＥ１１５は、ＳＣｅｌｌのｅＣＣ上で受信された複数のコードブロックのためのＡＣＫ／ＮＡＣＫフィードバック情報を識別し、複数のコードブロックは、複数のスケジュールされたトランスポートブロック中で受信される。いくつかの例では、ブロック２９１０の動作は、図１４を参照しながら上記で説明されたように、ｅＣＣデコーダモジュール１４１０によって実行され得る。
【０２４８】
[0274]ブロック２９１５において、ＵＥ１１５は、図７〜図１１を参照しながら上記で説明されたように、ｅＣＣ上で受信された複数コードブロックの送信が完了したＰＣｅｌｌのサブフレームに少なくとも部分的に基づいて、ＡＣＫ／ＮＡＣＫフィードバック情報を提供するためのＰＣｅｌｌのフィードバックサブフレームを識別する。いくつかの例では、ブロック２９１５の動作は、図１４を参照しながら上記で説明されたように、ｅＣＣ  ＨＡＲＱフィードバックモジュール１４１５によって実行され得る。
【０２４９】
[0275]ブロック２９２０において、ＵＥ１１５は、図７〜図１１を参照しながら上記で説明されたように、ＡＣＫ／ＮＡＣＫフィードバック情報のＡＣＫ／ＮＡＣＫビットの数が、ＡＣＫ／ＮＡＣＫフィードバック情報を送信するために使用されるＰＵＣＣＨフォーマットの容量を超えると決定する。いくつかの例では、ブロック２９２０の動作は、図１４を参照しながら上記で説明されたように、ＣＡ構成モジュール１４０５によって実行され得る。
【０２５０】
[0276]ブロック２９２５において、ＵＥ１１５は、図７〜図１１を参照しながら上記で説明されたように、ＡＣＫ／ＮＡＣＫフィードバック情報の送信のための複数のＰＵＣＣＨリソースを決定する。いくつかの例では、ブロック２９２５の動作は、図１４を参照しながら上記で説明されたように、ＨＡＲＱフィードバックリソースモジュール１４１５によって実行され得る。
【０２５１】
[0277]ブロック２９３０において、ＵＥ１１５は、図７〜図１１を参照しながら上記で説明されたように、識別されたフィードバックサブフレーム中で複数のＰＵＣＣＨリソースを使用してＰＣｅｌｌを介してＡＣＫ／ＮＡＣＫフィードバック情報を送信する。いくつかの例では、ブロック２９３０の動作は、図１２を参照しながら上記で説明されたように、送信機１２２０によって実行され得る。
【０２５２】
[0278]図３０に、本開示の様々な態様による、非スタンドアロン拡張コンポーネントキャリアのためのＣＳＩフィードバックのための方法３０００を示すフローチャートを示す。方法３０００の動作は、図１〜図１５を参照しながら説明されたように、ＵＥ１１５またはそれの構成要素によって実装され得る。たとえば、方法３０００の動作は、図１および図１２〜図１３を参照しながら説明されたように、ＵＥ  ｅＣＣ情報構成要素１４５によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。方法３０００はまた、図２０および図２６〜図２９の方法２０００、２６００、２７００、２８００、および２９００の態様を組み込み得る。
【０２５３】
[0279]ブロック３００５において、ＵＥ１１５は、図２〜図１１を参照しながら上記で説明されたように、ＰＣｅｌｌおよびＳＣｅｌｌを備えるマルチキャリア構成を識別する。たとえば、ＳＣｅｌｌは、無認可または共有スペクトルを使用する非スタンドアロンｅＣＣを含み得る。いくつかの例では、ブロック３００５の動作は、図１４を参照しながら上記で説明されたように、ＣＡ構成モジュール１４０５によって実行され得る。
【０２５４】
[0280]ブロック３０１０において、ＵＥ１１５は、図２〜図７を参照しながら上記で説明されたように、非周期ＣＳＩフィードバックのためのトリガを備える許可を受信する。いくつかの例では、ブロック３０１０の動作は、図１２を参照しながら上記で説明されたように、デバイス１２０５によって実行され得る。
【０２５５】
[0281]ブロック３０１５において、ＵＥ１１５は、図２〜図１１を参照しながら上記で説明されたように、非周期ＣＳＩフィードバックの送信のためのＰＣｅｌｌまたはＳＣｅｌｌのキャリアを決定する。いくつかの例では、ブロック３０１５の動作は、図１４を参照しながら上記で説明されたように、ｅＣＣ  ＣＳＩフィードバックモジュール１４４５によって実行され得る。
【０２５６】
[0282]いくつかの例では、方法２０００〜３０００のうちの２つまたはそれ以上からの態様は、組み合わせられ得る。方法２０００〜３０００は例示的な実装形態にすぎないこと、および方法２０００〜３０００の動作は、他の実装形態が可能であるように、並べ替えられるかまたは場合によっては変更され得ることに留意されたい。方法２０００〜３０００は基地局とＵＥとの間の通信について説明したが、本明細書で説明される技法は、２つまたはそれ以上の基地局ならびに２つまたはそれ以上のＵＥ間の通信にも適用され得る。
【０２５７】
[0283]添付の図面に関して上記に記載された詳細な説明は、例について説明しており、実装され得るまたは特許請求の範囲内に入る例のみを表すものではない。「例」という語は、この説明で使用されるとき、「例、事例、または例示の働きをすること」を意味し、「好ましい」または「他の例よりも有利な」を意味しない。詳細な説明は、説明された技法の理解を提供するための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０２５８】
[0284]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２５９】
[0285]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２６０】
[0286]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２６１】
[0287]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２６２】
[0288]本開示についての以上の説明は、当業者が本開示を作成または使用することができるように提供されたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
キャリアアグリゲーション（ＣＡ）構成における少なくともセカンダリコンポーネントキャリア（ＳＣｅｌｌ）上の拡張コンポーネントキャリア（ｅＣＣ）を使用して通信することと、
前記ｅＣＣ上での通信に関係する制御情報のために、プライマリコンポーネントキャリア（ＰＣｅｌｌ）を使用することと
を備える、ワイヤレス通信のための方法。
［Ｃ２］
前記ｅＣＣを使用して通信することは、
無認可無線周波数スペクトル帯域または共有無線周波数スペクトル帯域上で通信することを備える、
［Ｃ１］に記載の方法。
［Ｃ３］
制御情報のために前記ＰＣｅｌｌを使用することは、
前記ｅＣＣに関するチャネル状態情報（ＣＳＩ）を送ることまたは受信することをさらに備える、
［Ｃ１］に記載の方法。
［Ｃ４］
非周期ＣＳＩフィードバックのためのトリガを備える許可を受信することと、
前記非周期ＣＳＩフィードバックの送信のための前記ＰＣｅｌｌまたはＳＣｅｌｌのキャリアを決定することと
をさらに備える、［Ｃ３］に記載の方法。
［Ｃ５］
ＣＳＩを送ることまたは受信することは、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上で前記ＣＳＩを送ることまたは受信することをさらに備える、
［Ｃ３］に記載の方法。
［Ｃ６］
前記キャリアを決定することは、
前記許可が受信されたセル、前記許可によってスケジュールされたセル、またはそれらの組合せのいずれかに少なくとも部分的に基づいて、前記キャリアを決定することを備える、
［Ｃ３］に記載の方法。
［Ｃ７］
制御情報のために前記ＰＣｅｌｌを使用することは、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送ることまたは受信することをさらに備える、
［Ｃ１］に記載の方法。
［Ｃ８］
前記ＳＣｅｌｌのｅＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ｅＣＣ上で受信された前記複数コードブロックの送信が完了された前記ＰＣｅｌｌのサブフレームに少なくとも部分的に基づいて、前記ＡＣＫ／ＮＡＣＫフィードバック情報を提供するための前記ＰＣｅｌｌのフィードバックサブフレームを識別すること、ここにおいて、前記ダウンリンクＡＣＫ／ＮＡＣＫおよび前記アップリンクＡＣＫ／ＮＡＣＫのうちの１つを送ることまたは受信することは、前記識別されたフィードバックサブフレーム中で前記ＰＣｅｌｌを介して前記ＡＣＫ／ＮＡＣＫフィードバック情報を送信することをさらに備える、と
をさらに備える、［Ｃ７］に記載の方法。
［Ｃ９］
前記ＰＣｅｌｌは、ダウンリンクプライマリコンポーネントキャリアと、周波数分割複信（ＦＤＤ）アップリンクプライマリコンポーネントキャリアとを備え、前記フィードバックサブフレームは、前記ｅＣＣ上で受信された前記複数のコードブロックの前記送信が完了した前記ＰＣｅｌｌの前記サブフレームからの所定のオフセットを有する、
［Ｃ８］に記載の方法。
［Ｃ１０］
前記ＰＣｅｌｌは、時分割複信（ＴＤＤ）コンポーネントキャリアを備え、前記フィードバックサブフレームは、前記ｅＣＣ上で受信された前記複数のコードブロックの前記送信が完了した前記ＰＣｅｌｌの前記サブフレームからの所定のオフセットの後の、前記ＴＤＤコンポーネントキャリアの第１のアップリンクサブフレームを備える、
［Ｃ８］に記載の方法。
［Ｃ１１］
制御情報を送るまたは受信するために前記ＰＣｅｌｌを使用することは、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上でｅＣＣダウンリンクデータに応答して前記アップリンクＡＣＫ／ＮＡＣＫを送ること、あるいは前記ＰＣｅｌｌの物理ハイブリッド自動再送要求（ＡＲＱ）インジケータチャネル（ＰＨＩＣＨ）、前記ＰＣｅｌｌの拡張ＰＨＩＣＨ（ｅＰＨＩＣＨ）、前記ＰＣｅｌｌの物理ダウンリンク共有チャネル（ＰＤＳＣＨ）、およびそれらの組合せのうちの少なくとも１つ上でｅＣＣアップリンクデータに応答して前記ダウンリンクＡＣＫ／ＮＡＣＫを送ることをさらに備える、
［Ｃ７］に記載の方法。
［Ｃ１２］
前記ダウンリンクＡＣＫ／ＮＡＣＫ、および前記アップリンクＡＣＫ／ＮＡＣＫのうちの１つを通信することは、
複数のｅＣＣダウンリンクデータまたは複数のｅＣＣアップリンクデータに対応する複数のＡＣＫ／ＮＡＣＫを含んでいるブロックＡＣＫ／ＮＡＣＫを通信することをさらに備える、
［Ｃ７］に記載の方法。
［Ｃ１３］
前記ブロックＡＣＫ／ＮＡＣＫを通信することは、
前記複数のＡＣＫ／ＮＡＣＫが、前記ｅＣＣを介して受信された前記データを送信する複数のユーザに対応することを示すことをさらに備える、
［Ｃ１２］に記載の方法。
［Ｃ１４］
前記複数のスケジュールされたトランスポートブロックに関連するダウンリンク許可内のダウンリンク送信インデックス情報を受信することをさらに備える、
［Ｃ１２］に記載の方法。
［Ｃ１５］
前記ＡＣＫ／ＮＡＣＫフィードバック情報のＡＣＫ／ＮＡＣＫビットの数が、前記ＡＣＫ／ＮＡＣＫフィードバック情報を送信するために使用されるＰＵＣＣＨフォーマットの容量を超えると決定することと、
前記ＡＣＫ／ＮＡＣＫフィードバック情報の送信のための複数のＰＵＣＣＨリソースを決定すること、ここにおいて、前記ＡＣＫ／ＮＡＣＫフィードバック情報を送ることまたは受信することは、前記複数のＰＵＣＣＨリソースを使用して複数のＰＵＣＣＨ送信を送信することをさらに備える、と
をさらに備える、［Ｃ７］に記載の方法。
［Ｃ１６］
前記ｅＣＣ上での物理ダウンリンク共有チャネル（ＰＤＳＣＨ）送信のための時間および周波数リソースの一方または両方を識別するダウンリンク許可を送ることと、
前記識別された時間または周波数リソースを使用して前記ダウンリンク許可中で識別された媒体へのアクセスを獲得することに失敗したことに応答して、ダウンリンクデータを送ることを控えることと
をさらに備える、［Ｃ１］に記載の方法。
［Ｃ１７］
前記ｅＣＣ上での物理ダウンリンク共有チャネル（ＰＤＳＣＨ）送信のための複数の時間および周波数リソースを識別するダウンリンク許可を送ることと、
前記複数の時間または周波数リソースのうちの１つを使用して前記ダウンリンク許可中で識別された媒体へのアクセスを獲得することに失敗したことに応答して、ダウンリンクデータを送ることを控えることと
をさらに備える、［Ｃ１］に記載の方法。
［Ｃ１８］
前記ｅＣＣ上での物理ダウンリンク共有チャネル（ＰＤＳＣＨ）送信のための満了時間を識別するダウンリンク許可を送ることと、
前記満了時間までに前記ダウンリンク許可中で識別された媒体へのアクセスを獲得することに失敗したことに応答して、ダウンリンクデータを送ることを控えることと
をさらに備える、［Ｃ１］に記載の方法。
［Ｃ１９］
前記ｅＣＣ上での物理アップリンク共有チャネル（ＰＵＳＣＨ）送信のための時間および周波数リソースの一方または両方を識別するアップリンク許可を受信することと、
前記識別された時間または周波数リソースを使用して前記アップリンク許可中で識別された媒体へのアクセスを獲得することに失敗したことに応答して、アップリンクデータを送ることを控えることと
をさらに備える、［Ｃ１］に記載の方法。
［Ｃ２０］
前記ｅＣＣ上での物理アップリンク共有チャネル（ＰＵＳＣＨ）送信のための満了時間を識別するアップリンク許可を受信することと、
前記満了時間までに前記アップリンク許可中で識別された媒体へのアクセスを獲得することに失敗したことに応答して、アップリンクデータを送ることを控えることと
をさらに備える、［Ｃ１］に記載の方法。
［Ｃ２１］
キャリアアグリゲーション（ＣＡ）構成における少なくともセカンダリコンポーネントキャリア（ＳＣｅｌｌ）上の拡張コンポーネントキャリア（ｅＣＣ）を使用して通信するための手段と、
前記ｅＣＣ上での通信に関係する制御情報のために、プライマリコンポーネントキャリア（ＰＣｅｌｌ）を使用するための手段と
を備える、ワイヤレス通信のための装置。
［Ｃ２２］
前記ｅＣＣを使用して前記通信するための手段は、
無認可無線周波数スペクトル帯域または共有無線周波数スペクトル帯域上で通信するための手段を備える、
［Ｃ２１］に記載の装置。
［Ｃ２３］
制御情報のために前記ＰＣｅｌｌを前記使用するための手段は、
前記ｅＣＣに関するチャネル状態情報（ＣＳＩ）を送るまたは受信するための手段をさらに備える、
［Ｃ２１］に記載の装置。
［Ｃ２４］
非周期ＣＳＩフィードバックのためのトリガを備える許可を受信するための手段と、
前記非周期ＣＳＩフィードバックの送信のための前記ＰＣｅｌｌまたはＳＣｅｌｌのキャリアを決定するための手段と
をさらに備える、［Ｃ２３］に記載の装置。
［Ｃ２５］
ＣＳＩを前記送るまたは受信するための手段は、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上で前記ＣＳＩを送るまたは受信するための手段をさらに備える、
［Ｃ２３］に記載の装置。
［Ｃ２６］
前記キャリアを前記決定するための手段は、
前記許可が受信されたセル、前記許可によってスケジュールされたセル、またはそれらの組合せのいずれかに少なくとも部分的に基づいて、前記キャリアを決定するための手段を備える、
［Ｃ２３］に記載の装置。
［Ｃ２７］
制御情報のために前記ＰＣｅｌｌを前記使用するための手段は、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送るまたは受信するための手段をさらに備える、
［Ｃ２１］に記載の装置。
［Ｃ２８］
前記ＳＣｅｌｌのｅＣＣ上で受信された複数のコードブロックのためのＡＣＫ／ＮＡＣＫフィードバック情報を識別するための手段、前記複数のコードブロックは、複数のスケジュールされたトランスポートブロック中で受信される、と、
前記ｅＣＣ上で受信された前記複数コードブロックの送信が完了された前記ＰＣｅｌｌのサブフレームに少なくとも部分的に基づいて、前記ＡＣＫ／ＮＡＣＫフィードバック情報を提供するための前記ＰＣｅｌｌのフィードバックサブフレームを識別するための手段、ここにおいて、前記ダウンリンクＡＣＫ／ＮＡＣＫおよび前記アップリンクＡＣＫ／ＮＡＣＫのうちの１つを送ることまたは受信することは、前記識別されたフィードバックサブフレーム中で前記ＰＣｅｌｌを介して前記ＡＣＫ／ＮＡＣＫフィードバック情報を送信することをさらに備える、と
をさらに備える、［Ｃ２７］に記載の装置。
［Ｃ２９］
前記ＰＣｅｌｌは、ダウンリンクプライマリコンポーネントキャリアと、周波数分割複信（ＦＤＤ）アップリンクプライマリコンポーネントキャリアとを備え、前記フィードバックサブフレームは、前記ｅＣＣ上で受信された前記複数のコードブロックの前記送信が完了した前記ＰＣｅｌｌの前記サブフレームからの所定のオフセットを有する、
［Ｃ２８］に記載の装置。
［Ｃ３０］
前記ＰＣｅｌｌは、時分割複信（ＴＤＤ）コンポーネントキャリアを備え、前記フィードバックサブフレームは、前記ｅＣＣ上で受信された前記複数のコードブロックの前記送信が完了した前記ＰＣｅｌｌの前記サブフレームからの所定のオフセットの後の、前記ＴＤＤコンポーネントキャリアの第１のアップリンクサブフレームを備える、
［Ｃ２８］に記載の装置。
［Ｃ３１］
制御情報を送るまたは受信するために前記ＰＣｅｌｌを前記使用するための手段は、
前記ＰＣｅｌｌの物理アップリンク制御チャネル（ＰＵＣＣＨ）および前記ＰＣｅｌｌの物理アップリンク共有チャネル（ＰＵＳＣＨ）の一方または両方上でｅＣＣダウンリンクデータに応答して前記アップリンクＡＣＫ／ＮＡＣＫを送ること、あるいは前記ＰＣｅｌｌの物理ハイブリッド自動再送要求（ＡＲＱ）インジケータチャネル（ＰＨＩＣＨ）、前記ＰＣｅｌｌの拡張ＰＨＩＣＨ（ｅＰＨＩＣＨ）、前記ＰＣｅｌｌの物理ダウンリンク共有チャネル（ＰＤＳＣＨ）、およびそれらの組合せのうちの少なくとも１つ上でｅＣＣアップリンクデータに応答して前記ダウンリンクＡＣＫ／ＮＡＣＫを送ることを行うための手段をさらに備える、
［Ｃ２７］に記載の装置。
［Ｃ３２］
前記ダウンリンクＡＣＫ／ＮＡＣＫ、および前記アップリンクＡＣＫ／ＮＡＣＫのうちの１つを前記通信するための手段は、
複数のｅＣＣダウンリンクデータまたは複数のｅＣＣアップリンクデータに対応する複数のＡＣＫ／ＮＡＣＫを含んでいるブロックＡＣＫ／ＮＡＣＫを通信するための手段をさらに備える、
［Ｃ２７］に記載の装置。
［Ｃ３３］
前記ブロックＡＣＫ／ＮＡＣＫを前記通信するための手段は、
前記複数のＡＣＫ／ＮＡＣＫが、前記ｅＣＣを介して受信された前記データを送信する複数のユーザに対応することを示すための手段をさらに備える、
［Ｃ３２］に記載の装置。
［Ｃ３４］
前記複数のスケジュールされたトランスポートブロックに関連するダウンリンク許可内のダウンリンク送信インデックス情報を受信するための手段をさらに備える、
［Ｃ３２］に記載の装置。
［Ｃ３５］
前記ＡＣＫ／ＮＡＣＫフィードバック情報のＡＣＫ／ＮＡＣＫビットの数が、前記ＡＣＫ／ＮＡＣＫフィードバック情報を送信するために使用されるＰＵＣＣＨフォーマットの容量を超えると決定するための手段と、
前記ＡＣＫ／ＮＡＣＫフィードバック情報の送信のための複数のＰＵＣＣＨリソースを決定するための手段、前記ＡＣＫ／ＮＡＣＫフィードバック情報を送ることまたは受信することは、前記複数のＰＵＣＣＨリソースを使用して複数のＰＵＣＣＨ送信を送信することをさらに備える、と
をさらに備える、［Ｃ２７］に記載の装置。
［Ｃ３６］
前記ｅＣＣ上での物理ダウンリンク共有チャネル（ＰＤＳＣＨ）送信のための時間および周波数リソースの一方または両方を識別するダウンリンク許可を送るための手段と、
前記識別された時間または周波数リソースを使用して前記ダウンリンク許可中で識別された媒体へのアクセスを獲得することに失敗したことに応答して、ダウンリンクデータを送ることを控えるための手段と
をさらに備える、［Ｃ２１］に記載の装置。
［Ｃ３７］
前記ｅＣＣ上での物理ダウンリンク共有チャネル（ＰＤＳＣＨ）送信のための複数の時間および周波数リソースを識別するダウンリンク許可を送るための手段と、
前記複数の時間または周波数リソースのうちの１つを使用して前記ダウンリンク許可中で識別された媒体へのアクセスを獲得することに失敗したことに応答して、ダウンリンクデータを送ることを控えるための手段と
をさらに備える、［Ｃ２１］に記載の装置。
［Ｃ３８］
前記ｅＣＣ上での物理ダウンリンク共有チャネル（ＰＤＳＣＨ）送信のための満了時間を識別するダウンリンク許可を送るための手段と、
前記満了時間までに前記ダウンリンク許可中で識別された媒体へのアクセスを獲得することに失敗したことに応答して、ダウンリンクデータを送ることを控えるための手段と
をさらに備える、［Ｃ２１］に記載の装置。
［Ｃ３９］
前記ｅＣＣ上での物理アップリンク共有チャネル（ＰＵＳＣＨ）送信のための時間および周波数リソースの一方または両方を識別するアップリンク許可を受信するための手段と、
前記識別された時間または周波数リソースを使用して前記アップリンク許可中で識別された媒体へのアクセスを獲得することに失敗したことに応答して、アップリンクデータを送ることを控えるための手段と
をさらに備える、［Ｃ２１］に記載の装置。
［Ｃ４０］
前記ｅＣＣ上での物理アップリンク共有チャネル（ＰＵＳＣＨ）送信のための満了時間を識別するアップリンク許可を受信するための手段と、
前記満了時間までに前記アップリンク許可中で識別された媒体へのアクセスを獲得することに失敗したことに応答して、アップリンクデータを送ることを控えるための手段と
をさらに備える、［Ｃ２１］に記載の装置。
［Ｃ４１］
プロセッサと、
前記プロセッサと電子通信しているメモリと、
前記メモリに記憶された命令と
を備え、前記命令は、
キャリアアグリゲーション（ＣＡ）構成における少なくともセカンダリコンポーネントキャリア（ＳＣｅｌｌ）上の拡張コンポーネントキャリア（ｅＣＣ）を使用して通信することと、
前記ｅＣＣ上での通信に関係する制御情報のために、プライマリコンポーネントキャリア（ＰＣｅｌｌ）を使用することと
を行うために前記プロセッサによって実行可能である、
ワイヤレス通信のための装置。
［Ｃ４２］
前記命令は、
前記ｅＣＣに関するチャネル状態情報（ＣＳＩ）を送ることまたは受信することを行うために前記プロセッサによって実行可能である、
［Ｃ４１］に記載の装置。
［Ｃ４３］
前記命令は、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送ることまたは受信することを行うために前記プロセッサによって実行可能である、
［Ｃ４１］に記載の装置。
［Ｃ４４］
前記命令は、
前記ＳＣｅｌｌのｅＣＣ上で受信された複数のコードブロックのためのＡＣＫ／ＮＡＣＫフィードバック情報を識別すること、前記複数のコードブロックは、複数のスケジュールされたトランスポートブロック中で受信される、と、
前記ｅＣＣ上で受信された前記複数コードブロックの送信が完了された前記ＰＣｅｌｌのサブフレームに少なくとも部分的に基づいて、前記ＡＣＫ／ＮＡＣＫフィードバック情報を提供するための前記ＰＣｅｌｌのフィードバックサブフレームを識別すること、ここにおいて、前記ダウンリンクＡＣＫ／ＮＡＣＫおよび前記アップリンクＡＣＫ／ＮＡＣＫのうちの１つを送るまたは受信するは、前記識別されたフィードバックサブフレーム中で前記ＰＣｅｌｌを介して前記ＡＣＫ／ＮＡＣＫフィードバック情報を送信することをさらに備える、と
を行うために前記プロセッサによって実行可能である、［Ｃ４３］に記載の装置。
［Ｃ４５］
ワイヤレス通信のためのコンピュータ実行可能コードを記憶する非一時的コンピュータ可読媒体であって、前記コードは、
キャリアアグリゲーション（ＣＡ）構成における少なくともセカンダリコンポーネントキャリア（ＳＣｅｌｌ）上の拡張コンポーネントキャリア（ｅＣＣ）を使用して通信することと、
前記ｅＣＣ上での通信に関係する制御情報のために、プライマリコンポーネントキャリア（ＰＣｅｌｌ）を使用することと
を行うためにプロセッサによって実行可能である、非一時的コンピュータ可読媒体。
［Ｃ４６］
制御情報のために前記ＰＣｅｌｌを使用するは、
前記ｅＣＣに関するチャネル状態情報（ＣＳＩ）を送ることまたは受信することを行うために前記プロセッサによって実行可能な前記コードをさらに備える、
［Ｃ４５］に記載の非一時的コンピュータ可読媒体。
［Ｃ４７］
制御情報のために前記ＰＣｅｌｌを使用するは、
前記ｅＣＣを介して受信されたデータに応答して、ダウンリンク肯定応答／否定応答（ＡＣＫ／ＮＡＣＫ）フィードバック情報、およびアップリンクＡＣＫ／ＮＡＣＫフィードバック情報のうちの１つを送ることまたは受信することを行うために前記プロセッサによって実行可能な前記コードをさらに備える、
［Ｃ４５］に記載の非一時的コンピュータ可読媒体。
【図１】
0006651531.tif 000005
【図２Ａ】
0006651531.tif 000006
【図２Ｂ】
0006651531.tif 000007
【図３】
0006651531.tif 000008
【図４】
0006651531.tif 000009
【図５】
0006651531.tif 000010
【図６】
0006651531.tif 000011
【図７】
0006651531.tif 000012
【図８】
0006651531.tif 000013
【図９】
0006651531.tif 000014
【図１０】
0006651531.tif 000015
【図１１】
0006651531.tif 000016
【図１２】
0006651531.tif 000017
【図１３】
0006651531.tif 000018
【図１４】
0006651531.tif 000019
【図１５】
0006651531.tif 000020
【図１６】
0006651531.tif 000021
【図１７】
0006651531.tif 000022
【図１８】
0006651531.tif 000023
【図１９】
0006651531.tif 000024
【図２０】
0006651531.tif 000025
【図２１】
0006651531.tif 000026
【図２２】
0006651531.tif 000027
【図２３】
0006651531.tif 000028
【図２４】
0006651531.tif 000029
【図２５】
0006651531.tif 000030
【図２６】
0006651531.tif 000031
【図２７】
0006651531.tif 000032
【図２８】
0006651531.tif 000033
【図２９】
0006651531.tif 000034
【図３０】
0006651531.tif 000035